(57)【要約】【課題】患者の情報の登録及びスケジューリングから内視鏡検査の事前手順相、手順相、事後手順相までの内視鏡ラボラトリに関係する全てのユーザの役割の作業の流れを支援し管理するように設計されたシステムを提供する。【解決手段】これはデータベースに記憶されている患者の記録に関連して、患者の内視鏡検査中に捕捉された内視鏡映像の処理および記憶を含めた内視鏡ラボラトリに関係する種々のユーザによる情報及びデータのエントリを支援し、および集積されたユーザインターフェースを介して記憶された映像を含む手順ノートのエントリと報告書の作成を含んでいる。【選択図】図１
2007505419.tif 000002
【特許請求の範囲】
【請求項１】
コンピュータ装置を含む内視鏡ラボラトリ中の情報の流れを管理する方法において、前記内視鏡ラボラトリはユーザが患者に対して内視鏡手順を行うことを可能にするように構成され、前記方法は、
ａ）患者情報を入力し、ケア相の登録期間中に前記コンピュータ装置を介して内視鏡検査のスケジュールを設定し、
ｂ）前記手順を行う前に前記コンピュータ装置により前記患者に関する予備検査情報を入力し、
ｃ）前記コンピュータ装置による実時間内視鏡映像の捕捉を含む前記手順の実行期間中に情報を入力し、
ｄ）前記手順を行った後に前記コンピュータ装置により前記患者に関係する情報を入力し、
ｅ）前記入力登録及びスケジュール化情報、予備情報、前記手順中に捕捉された映像、前記患者に関する事後手順情報をデータベース記録に記憶し、
ｆ）前記データベース記録に含まれる情報のプレゼンテーションを組織化し、前記コンピュータ装置に関連する一体化されたユーザインターフェースを介して前記データベース記録に記憶されている前記情報および映像へのアクセスを管理する各ステップを含んでおり、前記プレゼンテーション及びアクセスはユーザの役目に従って制御され、
患者及び関連情報の流れ全体の支援は内視鏡実施に含まれる全てのユーザに関する種々の相を通して与えられる方法。
【請求項２】
さらに、現在のユーザの状態に基づいて、次のケア相の段階を実行する前に全ての情報が特定の順序で捕捉されることを確実にするために患者の状態を追跡するステップを含んでいる請求項１記載の方法。
【請求項３】
前記患者情報は経歴データ、医療的警告、現在患者に処方されている薬物を含み、前記システムはさらに前記経歴データ、医療的警告、現在患者に処方されている薬物のプレゼンテーションを可能にしている請求項１記載の方法。
【請求項４】
前記患者情報は行われる内視鏡検査を設定するスケジュール情報を含んでおり、前記方法はさらに手順で使用される検査室および装置を含めた検査のリソースを割当てるステップを含んでいる請求項１記載の方法。
【請求項５】
予備検査情報を入力するステップは準備、薬物、患者の通院の開始に関する同意のチェックを行うことを含んでいる請求項１記載の方法。
【請求項６】
前記手順の実行中に情報を入力するステップは、前記一体化されたユーザインターフェースを介して、選択可能なキーワードを含んでいる知識ベースとのユーザの対話を可能にするステップを含んでおり、これは各ケア相の段階で前記検査に関する文書を自動的に作成するために使用されるキーワードの階層リストの構築を可能にする請求項１記載の方法。
【請求項７】
前記手順の実行中に情報を入力するステップは、ユーザが各患者の生存兆候、薬物の詳細、装置使用の詳細、前記手順に関する病状標本情報を記録することを可能にするステップを含んでいる請求項１記載の方法。
【請求項８】
前記手順の実行後の前記患者に関する情報を入力するステップは、投与される薬物を含めた回復室における患者の監視に関する情報を含んでいる請求項１記載の方法。
【請求項９】
前記手順の実行後の前記患者に関する情報を入力するステップは、前記検査期間中に捕捉された映像に対して注釈を付加することを含んでいる請求項１記載の方法。
【請求項１０】
さらに、現在の検査に関する捕捉された映像と、患者の以前の検査に関する保存された映像との比較を可能にするステップを含んでいる請求項１記載の方法。
【請求項１１】
さらに、各ケア相の段階において手順ノート、報告書および他の文書を作成するテンプレートの生成を含めた予め規定されたテンプレートベースの管理報告能力を提供するステップを含んでいる請求項１記載の方法。
【請求項１２】
さらに、前記一体化されたユーザインターフェースを介して、前記内視鏡ラボラトリのハードウェア構造をカスタマイズするステップを含んでいる請求項１記載の方法。
【請求項１３】
さらに、ユーザの役割を生成及び変更し、前記役割に基づいたシステム機能に対してアクセスするステップを含んでいる請求項１記載の方法。
【請求項１４】
さらに、特定の検査に関する料金請求情報の生成を可能にするために料金請求コードを特定の医学専門用語に自動的に関連付けるステップを含んでいる請求項１記載の方法。
【請求項１５】
さらに、各ケア相の段階に関連付けられる新しいキーワード、文章モデル、メニュー構造の付加を可能にすることによって前記知識ベースを維持するステップを含んでいる請求項６記載の方法。
【請求項１６】
さらに、装置のリソースと臨床員の記録を含むリソース情報を維持するステップを含んでいる請求項１記載の方法。
【請求項１７】
さらに、前記一体化されたインターフェースを介して、ユーザが各ケア相の段階をナビゲートするとき、ユーザ、患者、検査、部門、検査が行われる施設を含むコンテキスト情報を追跡するステップを含んでいる請求項１記載の方法。
【請求項１８】
コンピュータ装置を含む内視鏡ラボラトリ中の情報の流れを管理する方法ステップを実行するためにマシンにより実行可能な命令のプログラムを確実に実施するマシンにより読取り可能なプログラム記憶装置において、前記内視鏡ラボラトリはユーザが患者に対して内視鏡手順を行うことを可能にするように構成され、前記方法ステップは、
ｇ）患者情報を入力し、ケア相の登録期間中に前記コンピュータ装置を介して内視鏡検査のスケジュールを設定し、
ｈ）前記手順を行う前に前記コンピュータ装置を介して前記患者に関する予備検査情報を入力し、
ｉ）前記コンピュータ装置による実時間内視鏡映像の捕捉を含む前記手順の実行中に情報を入力し、
ｊ）前記手順を行った後に前記コンピュータ装置を介して前記患者に関する情報を入力し、
ｋ）前記入力登録及びスケジュール化情報、予備情報、前記手順中に捕捉された映像、前記患者に関する事後手順情報をデータベース記録中に記憶し、
ｌ）前記データベース記録中に含まれている情報のプレゼンテーションを組織化し、前記コンピュータ装置に関連する一体化されたユーザインターフェースを介して前記データベース記録中に記憶されている前記情報および映像へのアクセスを管理する各ステップを含んでおり、前記プレゼンテーション及びアクセスはユーザの役目に従って制御され、
患者及び関連情報の流れ全体の支援は内視鏡実施に含まれている全てのユーザに関する種々の相を通して行われるプログラム記憶装置。
【請求項１９】
前記方法ステップはさらに、現在の患者の状態に基づいて、次のケア相の段階を実行する前に全ての情報が特定の順序で捕捉されることを確実にするために患者の状態を追跡するステップを含んでいる請求項１８記載のマシンにより読取り可能なプログラム記憶装置。
【請求項２０】
前記患者情報には、経歴データ、医療的警告、現在患者に処方されている薬物が含まれ、前記システムはさらに前記経歴データ、医療的警告、現在患者に処方されている薬物のプレゼンテーションを可能にする請求項１８記載のマシンにより読取り可能なプログラム記憶装置。
【請求項２１】
前記患者情報は行われる内視鏡検査を設定するスケジュール情報を含んでおり、前記方法はさらに手順で使用される検査室および装置を含めた検査のリソースを割当てるステップを含んでいる請求項１８記載のマシンにより読取り可能なプログラム記憶装置。
【請求項２２】
予備検査情報を入力するステップは、準備、薬物、患者の通院の開始に関する同意のチェックを行うステップを含んでいる請求項１８記載のマシンにより読取り可能なプログラム記憶装置。
【請求項２３】
前記手順の実行中に情報を入力するステップは、前記一体化されたユーザインターフェースを介して、選択可能なキーワードを含んでいる知識ベースとの対話を可能にするステップを含んでおり、これは各ケア相の段階で前記検査に関する文書を自動的に作成するために使用されるキーワードの階層リストの構築を可能にする請求項１８記載のマシンにより読取り可能なプログラム記憶装置。
【請求項２４】
前記手順の実行中に情報を入力するステップは、ユーザが各患者の生存兆候、薬物の詳細、装置使用の詳細、前記手順に関する病状標本情報を記録することを可能にするステップを含んでいる請求項１８記載のマシンにより読取り可能なプログラム記憶装置。
【請求項２５】
前記手順の実行後に前記患者に関する情報を入力するステップは、投与される薬物を含めた回復室における患者の監視に関する情報を含んでいる請求項１８記載のマシンにより読取り可能なプログラム記憶装置。
【請求項２６】
前記手順の実行後に前記患者に関する情報を入力するステップは、前記検査中に捕捉された映像に対して注釈を付加するステップを含んでいる請求項１８記載のマシンにより読取り可能なプログラム記憶装置。
【請求項２７】
さらに、現在の検査に関する捕捉された映像と、患者の従来の検査に関する保存された映像との比較を可能にするステップを含んでいる請求項１８記載のマシンにより読取り可能なプログラム記憶装置。
【請求項２８】
さらに、各ケア相の段階において、手順ノート、報告書および他の文書を作成するテンプレートの生成を含めた予め規定されたテンプレートベースの管理報告能力を提供するステップを含んでいる請求項１８記載のマシンにより読取り可能なプログラム記憶装置。
【請求項２９】
さらに、前記一体化されたユーザインターフェースを介して、前記内視鏡ラボラトリのハードウェア構造をカスタマイズするステップを含んでいる請求項１８記載のマシンにより読取り可能なプログラム記憶装置。
【請求項３０】
さらに、ユーザの役割を生成及び変更し、前記役割に基づいたシステム機能に対してアクセスするステップを含んでいる請求項１８記載のマシンにより読取り可能なプログラム記憶装置。
【請求項３１】
さらに、特定の検査に関する料金請求情報の作成を可能にするために料金請求コードを特定の医学専門用語に自動的に関連付けるステップを含んでいる請求項１８記載のマシンにより読取り可能なプログラム記憶装置。
【請求項３２】
さらに、各ケア相の段階に関連付けられる新しいキーワード、文章モデル、メニュー構造の付加を可能にすることによって前記知識ベースを維持するステップを含んでいる請求項２３記載のマシンにより読取り可能なプログラム記憶装置。
【請求項３３】
さらに、装置のリソースと臨床員の記録を含むリソース情報を維持するステップを含んでいる請求項１８記載のマシンにより読取り可能なプログラム記憶装置。
【請求項３４】
さらに、前記一体化されたインターフェースを介して、ユーザが各ケア相の段階をナビゲートするとき、ユーザ、患者、検査、部門、検査が行われる施設を含むコンテキスト情報を追跡するステップを含んでいる請求項１８記載のマシンにより読取り可能なプログラム記憶装置。
【発明の詳細な説明】
【技術分野】
【０００１】
本発明は医療応用のための映像システムおよびワークステーションに関し、特に内視鏡検査中の内視鏡映像の捕捉、処理、記憶を含めた内視鏡ラボラトリに関係する種々のユーザによる情報及びデータのエントリを支援し、および特に集積されたユーザインターフェースを介して手順ノートの生成により患者の情報の登録及びスケジューリングから事前手順、手順中、事後手順相までの内視鏡ラボラトリに関する全てのユーザの役割の作業の流れを管理するように設計されたシステムに関する。
【背景技術】
【０００２】
患者の異なるケア相で患者の検査データを管理する従来技術の臨床的な管理システムが現在存在する。
【０００３】
しかしながら、典型的に内視鏡手順を行う内視鏡ラボラトリの場合、種々のシステムプログラム及びインターフェースは、患者に関する検査情報の管理のサポートに使用され、これは患者の検査及び通院をスケジュールするように機能する別々のプログラムと、例えば事前手順から事後手順までの種々の内視鏡手順のライフサイクル段における検査に関連した情報を捕捉する別々のプログラムを含んでいる。最良のものは、内視鏡の現在の臨界的な管理システムプラットフォームは標準的なグラフィック特性と映像捕捉およびプレゼンテーション特性を提供する単一のメディアプラットフォームを具備している。
【０００４】
さらに、このような従来技術の臨界情報管理システムは内視鏡ラボラトリに関して役割を有する全てのユーザの作業の流れを正確に支援し管理しない。
【発明の開示】
【発明が解決しようとする課題】
【０００５】
それ故、報告特性を有する内視鏡ラボ用の臨床情報管理システムを提供することが非常に望ましく、これは臨床情報、内視鏡映像、関連する患者データを種々の詳細レベルで管理し、組織化し、さらに効率を良くし、例えば医師、看護婦、臨床医、スケジューラ等の内視鏡装置のユーザにより実行される機能を彼らの役割に基づいて容易にする。この管理システムには内視鏡映像および関連する検査データ（例えば患者ＩＤ、開業医情報、内視鏡ＩＤのタイプ）の実時間データ捕捉およびプレゼンテーションの能力が一体化されている。
【０００６】
ユーザの役割に関連するデータベースの内容にアクセスするためユーザの異なる役割に基づいて全てのユーザの作業の流れを支援し管理する内視鏡ラボラトリのための集積インターフェースを提供し、さらにシステムにログインする人の役割にしたがってインターフェーススクリーンを自動的に構成するシステムを提供することが非常に望ましい。
【０００７】
さらに、ウェブエネーブルインターフェースを通して医師による患者及び検査関連情報の秘密保護された遠隔アクセスを提供する内視鏡の実用に設計された臨床的な情報管理システムを提供することが非常に望ましい。
【０００８】
したがって、本発明の目的は内視鏡のラボラトリに関係する役割をもつ全てのユーザの作業の流れを支援し管理する内視鏡の実用のために、特に逐次的に内視鏡の実用に関連する種々のライフサイクル段を通して、患者に対して行われる内視鏡手順の実行のために設計されている優れた臨床的情報管理システムを提供することである。好ましくは、これらのライフサイクル段に関連する作業の流れのプロセスは大きいヘルスケア機関に一体化されている小さい、独立した内視鏡診療所および内視鏡部門を支援するのに十分フレキシブルである。
【課題を解決するための手段】
【０００９】
さらに、本発明の目的は内視鏡診療所に関連する種々のライフサイクル段を経て患者および関連する情報の流れをサポートする内視鏡の実施用に設計されている臨床的情報管理システムを提供することであり、各段は関連するアクティビティのグループ化を表している。したがって、システムのユーザはライフサイクルの適切な点で、全ての必要とされる内視鏡情報を捕捉し、処理し、報告書を作成する。異なる段階で捕捉される情報はシステムアプリケーションにより管理され、医療記録を生成し、報告書を生成し、検査等を行うための必要な情報を提供するために処理される。
【００１０】
患者が典型的に逐次的な順序、即ち患者の登録及びスケジュール化から内視鏡検査の手順前、手順中、手順後の相を経るライフサイクル段に従うとき、本発明はデータベースに記憶されている患者の記録に関連して、患者の内視鏡検査中に捕捉された内視鏡映像の処理及び記憶を含めた内視鏡ラボラトリに関連する種々のユーザによる情報及びデータのエントリを支援し、全て一体化されたユーザインターフェースを介して、記憶された映像を含む手順ノートと他の報告書の作成を容易にする。
【００１１】
さらに、本発明にしたがって、内視鏡の実施用に設計された臨床的な情報管理システムは（患者が置かれているプロセス段階、既に捕捉されている情報、まだ捕捉されていない情報のような）各患者の状態の追跡を容易にし、基本的なライフサイクルに従うことを可能にし、それによって臨床員は全ての必要な情報が次のステップを実行する前に適切であることを確認できる。したがって本発明による内視鏡の実施用に設計された臨床情報管理システムは患者の現在の状態に基づいた特定の順序のアクティビティを促進する１組のビジネスルールを実行する。これらのルールにより、システムは全ての必要な動作を行うのに必要なサービスを提供しながら、患者に関連する全ての関連情報を増分的に捕捉し、医師、看護婦、スケジューラ、システム管理者を含む全てのユーザとの対話を組織化する。
【００１２】
本発明はさらに内視鏡実施に関連する種々の段階を通して患者及び関連情報の流れをサポートし、これはスケジュール化、患者のファイルの管理、事前手順相、手順中、手順後の相を含んでいる。システムインターフェースは一体化され、さらに医師が手順ノートの作成に関連する時間を減少することを可能にする。例えばこれは注釈を有するまたはラベルを付された映像を書き込まれた報告書に一体化しながら警報を提供する。
【００１３】
本発明はさらに臨床的文書のためのマルチメディアプラットフォームを提供する。映像捕捉および進歩したグラフィックを内視鏡の医療知識ベースに一体化することによって、本発明のシステムは完全な手順ノートおよび関連する文書を作成する。システムはさらに“紙の管理”を制御しながら、患者の検査スケジュールおよび装置の目録を管理することによって内視鏡クリニックを自動化する。
【００１４】
本発明はさらに、一体化されたウェブエネーブルシステムインターフェースを通して、医師による患者および検査に関する情報の秘密保護された遠隔アクセスを提供する。
【００１５】
したがって、本発明の好ましい特徴にしたがって、コンピュータ装置を含む内視鏡ラボラトリの情報の流れを管理するシステム及び方法が提供され、ラボラトリはユーザが患者に対して内視鏡手順を行うことを可能にするように適合され、前記方法には、患者情報を入力し、ケアの登録相中にコンピュータ装置を介して内視鏡検査のスケジュールを設定し、手順を行う前にコンピュータ装置を使用して患者に関する予備検査情報を入力し、コンピュータ装置による実時間内視鏡映像の捕捉を含む手順実行期間中に情報を入力し、手順を行った後にコンピュータ装置により患者に関する情報を入力し、入力登録及びスケジュール化情報、予備情報、手順中に捕捉された映像、患者に関する事後手順情報をデータベース記録中に記憶し、データベース記録中に含まれる情報のプレゼンテーションを組織し、コンピュータ装置に関連する一体化されたユーザインターフェースを介してデータベース記録中に記憶されている情報および映像へのアクセスを管理することが含まれており、プレゼンテーション及びアクセスはユーザの役割に従って制御され、患者及び関連情報の流れ全体の全体的な支援は内視鏡実施に含まれる全てのユーザに関係する種々の相を通して与えられる。
【００１６】
有効に、内視鏡の実施用に設計された基本となるの臨床情報システムによって、医師及び他の医療人員はそれらの手順から直接的に作成された臨床記録を利用できる。これは臨床的な作業の流れを強化し、時間及び価格を減少し、エラーを最小にし、異なる病院情報システム間の対話を可能にする。
【００１７】
さらに、本発明による内視鏡の実施用に設計されたベースの臨床情報システムは装置の使用とメンテナンス追跡の自動化によって装置のメンテナンス価格の減少を可能にする。
【００１８】
更に別の利点には、組織の電子医療記録の手順報告書を含み、医療エラーと紙ベースのプロセスをなくす手順および病状情報の交換を自動化することが含まれている。
【発明を実施するための最良の形態】
【００１９】
本発明の目的、特徴、利点は添付図面を伴った以下の詳細な説明を考慮して当業者に明白になるであろう。  
本発明は内視鏡の実施用に設計された包括的で、実時間の対話的臨床情報管理システムである。これは統合された報告特性を含んでおり、これはケア相中に得られた内視鏡検査に関する臨床情報と、内視鏡映像および関連する患者データとを種々の詳細レベルにおいて管理及び組織し、例えば医師、看護婦、臨床医等の内視鏡装置のユーザによって行われる機能の効率を良好にし、容易にする。
【００２０】
特に、内視鏡の実施用に設計された臨床情報管理システムは患者の登録、事前内視鏡手順、内視鏡手順、ケア相の事後手順中にユーザによって行われる全てのデータ捕捉、ケアを与える機能をサポートするウェブブラウザインターフェースを含んでいる。
【００２１】
臨床情報管理システムはさらに、手順期間中において内視鏡映像を捕捉し、処理し、記録する能力を含んでおり、さらにユーザが映像に注釈を付け、ラベル付けし、取り入れ、搬出し、その映像の品質を強化することを可能にする映像管理機能を含んでおり、これはライブのビデオクリップを管理し、記録し、搬出し、記憶された映像を含む報告書を作成する能力を含んでいる。映像の捕捉及び表示の特性に加えて、システムはヘルスケアの開業医により使用されている特定の内視鏡映像装置に基づいて適切なビデオマスクを自動的に選択する“自動マスキング”特性を提供する。
【００２２】
内視鏡の実施用に設計された臨床情報管理システムはさらに、例えば胃腸、内視鏡、気管支鏡の用語のキーワード等の、手順に関連するキーワードを含む医学的な用語“知識ベース”（ＫＢ）を含んでいる。そのキーワードは手順前、手順中および／または手順後に、グラフィッカルユーザインターフェース（ＧＵＩ）を介して捕捉される。キーワードは報告書で使用されるように検査中に捕捉された映像にラベル付けし、患者の経歴に基づいて以下更に説明する手順ノートのような報告書の適切なセクションを自動的にポピュレートし、情報のセクションを自動的にポピュレートするために手順ノートのテンプレートまたはモデルを構築するために利用可能である。システムはさらに特別な部門または位置へ適用するカスタム用語の使用を容易にする。したがって、例えば検査中に、ユーザは共通のユーザインターフェースを介して手順に対するＫＢ用語を選択することができ、これはユーザがキーワードを突き止めるか抽出することを必要とするときにはいつでも使用される。これは専門用語を選択および使用するための一貫する方法も提供する。
【００２３】
［システムの概要］  
図１のａおよびｂは、Ｅｎｄｏｗｏｒｋｓ（登録商標）システム（以後“ＥＷ”システムと呼び、これはオリンパス社により製造されている）と呼ばれるアプリケーションを可能にするために必要な種々のハードウェア装置及びコンポーネントを具備するハードウェアインフラストラクチャを示しており、これは必要なビジネス機能を作動するか支援することによって内視鏡ラボを自動化する機能を提供する。図１のａに示されているように、本発明のハードウェアインフラストラクチャは内視鏡ワークステーション110、印刷装置112（例えばＭａｖｉｇｒａｐｈプリンタ）、ＲＧＢモニタ20、およびビデオプロセッサ40を含んでいる。ユーザはキーボード、マウスインターフェース等を介してワークステーション110へ入力を行う。ワークステーションは例えばＶＧＡモニタ55のような第２のモニタを含み、ウェブブラウザインターフェースを構成し、そのウェブブラウザインターフェースは内視鏡検査に関する全てのケア相の期間に必要な情報を提供し、内視鏡装置のユーザ、例えば医師、看護婦、または臨床医が内視鏡映像と患者及び検査データを効率的に捕捉し、管理し、組織化し、提示することを容易にする。このシステムの特徴に関連する作業の流れのプロセスは大きいヘルスケア施設内の内視鏡部門に加えて、小さい内視鏡の診療所をサポートするように十分フレキシブルである。
【００２４】
図１のｂは実時間の内視鏡映像の捕捉、処理、表示を含めた全てのＥｎｄｏＷｏｒｋｓアプリケーション機能をサポートするための内視鏡ラボ110をさらに詳細に説明するブロック図である。図１のｂに示されているように、システムはコネクタ装置30によりビデオプロセッサ装置40、例えばオリンパスＣＶ−１６０装置に接続されている内視鏡装置25を備えている。前述したように、内視鏡装置は実時間フレーム映像信号、例えば同時に発生されたＲＧＢ信号を生成するための固体ＣＣＤ映像装置を含んでおり、これらの信号はビデオプロセッサ装置により処理され、ＲＧＢモニタ20上で表示するための映像の実時間ビデオ信号を発生する。示されているように、ビデオプロセッサはさらに映像ステーションまたはノード50に接続されており、その映像ステーションまたはノード50はパーソナルコンピュータ（ＰＣ）またはワークステーションを具備し、プロセッサ60、ビデオディスプレイ駆動装置65、メモリ装置70を含んでおり、実時間ビデオ映像を捕捉し、それによってその映像をメモリ70に記憶するためにデジタル化し、さらに映像のスケールされたバージョンを例えばＲＧＢモニタ20と第２のモニタ、例えばＶＧＡモニタ装置55との両者に表示する。１実施形態では、映像ノード50に設けられているプロセッサは、ビデオプロセッサ40から標準的なアナログ複合およびＹ／ＣビデオをＮＴＳＣ／ＰＡＬフォーマットで捕捉するフレームグラッパーボードおよび関連するハードウェア駆動装置を含んでおり、さらにＮＴＳＣ／ＰＡＬフォーマットのコンポーネントＲＧＢを捕捉するためのアナログデジタル変換器を含んでいる。捕捉されたフィールドは映像ノードの主メモリ70中に記憶される。Ｍａｔｒｏｘボードが設けられているグラフィック制御装置（図示せず）はＶＧＡディスプレイ出力を処理するために設けられ、グラフィックオーバーレイ及びビデオスケーリングを含んでいる。
【００２５】
このシステムは独立したシステムとして機能するが、ワークステーションは機関またはファシリティネットワークに接続する付加的な能力を有し、これを支持するため、イーサネット（登録商標）100ベースのＴネットワークインターフェースカード（ＮＩＣ）またはその等価物が設けられ、ネットワークの接続性を与える。ＮＩＣ駆動装置はウィンドウズ（登録商標）2000（またはその後のバージョンＯＳ）と互換性をもち、ＴＣＰ／ＩＰプロトコルをサポートする。したがって、図１のａに戻って参照すると、システムはネットワークサーバ140およびデータベース素子145または、患者の記録および関連する患者データと映像情報を含んだシステムアプリケーションデータ記録を記憶するための類似のメモリ記憶システムも含んでいる。このサーバはゲートウェイアプリケーションを介して、病院情報システムのような種々の“外部”システムに接続されることができ、その外部システムでゲートウェイはシステムとその他のアプリケーション間のあるヘルスケア情報の転送を容易にする。例えばシステムに記憶されている患者情報はゲートウェイインターフェースを介して外部システム（例えばレガシーシステム）からダウンロードされるかまたは外部システムヘアップロードされることができる。ワークステーション110はインターネット170またはＬＡＮ或いはイントラネットのような他のネットワークを介してネットワークサーバ140と通信することができる。しかしながら、ネットワークサーバはウェブサーバおよび同時のユーザにより共有されるＥｎｄｏｗｏｒｋｓ（登録商標）システム定義及びデータの中央レポジトリとして機能できる。さらに、ネットワークサーバはデータベース管理装置を支援することができる。付加的なプロセッサ容量が付加的な同時のユーザに対して必要とされ、対称的なマルチプロセッサ（ＳＭＰ）コンピュータは多数の同時のユーザを支援するために構成されることができる。このようなマルチユーザ環境では、多数のクライアントワークステーションは中央化されたデータを含んでいる共有されたサーバにアクセスし、適切な直列化およびロック能力が与えられ、合理的である場合にはデータに対する同時のアクセスが可能にされることを確実にし、更新されているデータの一貫性を確実にする。
【００２６】
ワークステーション110はさらに例えばファックスモデム162を介して報告書をファックス送信するためにファックスサーバ160とも通信できる。
【００２７】
通常、ファームウェア及びマイクロコードを含むソフトウェア命令はコンピュータの読取り可能な媒体とも呼ばれる任意のタイプの１または複数のプログラム記憶装置中に記憶されてもよい。ソフトウェアはここで説明する機能を実現するために既知の方法でプロセッサにより実行される。
【００２８】
［臨床的なフロー］  
図２乃至５はシステムに関連する最も普通のアクティビィティと、本発明による内視鏡ラボラトリのコンテキストでのそれらの時間における関係を示している臨床的なフロー図を示している。臨床的なフローは患者のフローに基づき、これは内視鏡手順の前、その期間中、および後に患者が処置される態様に関する。全てのケア相を経る全体的なフローは検査のリクエストで開始し、手順ノートの作成、患者の解除、１組の関連する報告書の作成で終了する。ユーザの役目は水平のバンドとして表されている。
【００２９】
図２の登録およびスケジュール化の臨床的なフロー200は通院を設定するのに必要な全ての情報の集収を含んでいる。これは患者または患者の代理或いは委任医師により行われる検査のリクエストで開始される。看護婦および開業医は患者の予備処理指令と医療的な助言を準備する行為を共有する。
【００３０】
図３の事前手順の臨床的なフロー300は内視鏡施設に患者が到着することで開始し、患者が検査の準備をするのに必要な全ての管理及び医療的な行為をアドレスする。
【００３１】
図４の手順期間中の臨床的なフロー400は手順のケア相期間中に行われる実際の検査を示している。システムはこの段の期間中に映像を捕捉し、生存兆候を記録し、薬物を投与するために使用される。
【００３２】
図５の事後手順の臨床的なフロー500は検査の完了後に行われる行為を示している。これらの行為には看護婦が継続して患者の回復を監視し、看護婦が解除指令を終了し、患者を解放し、料金請求コードの報告を準備し、医師が手順ノートを生成することによって検査の解析を再検討し、編集する行為が含まれている。これが終了したときに医師は手順ノートに署名する。その後、管理報告、患者のリコールリクエスト、紹介状が作成され、分配される。
【００３３】
［ユーザインターフェース］  
本発明をユーザが内視鏡ラボラトリを管理することに関連する特別な特性をアクセスすることを許容するユーザインターフェースと関連して説明する。ユーザはユーザＩＤとパスワードを含むシステムログインを介してＥｎｄｏＷｏｒｋｓ（商標名）アプリケーションへのアクセスが許可されている人であることが理解されるであろう。ユーザはログイン時に選択された特定の部門にログインする。ユーザは１以上の部門へアクセスする。選択された部門へログインするとき、ユーザはデフォルト機能を割当てられる。ユーザはその部門の医師、看護婦、またはスケジューラのようなユーザの認定（役割）を識別する特定の臨床員であってもよい。ここでさらに詳細に説明するように、適切な認証後、（ユーザの特権に基づく）アプリケーションはユーザがその部門のユーザの役割に関連する特別な機能にアクセスすることを許可する。他の医療関係者でないシステム管理者のようなユーザも存在する。
【００３４】
本発明のこの特徴によれば、予め規定されたアプリケーションレイアウトまたはインターフェースはユーザの役割、即ち例えば医師、看護婦、スケジューラの役割を含むユーザがシステムを使用して行う動作に基づいている。施設または医療部門はユーザにアプリケーション内の異なる選択肢に対するアクセスを与える役割を使用する。例えばここで詳細に説明するように、施設はスケジューラが患者の登録タブだけをアクセスすることを可能にするようにシステムを構成する。
【００３５】
例えばユーザＩＤおよびパスワードの入力によってユーザがシステムにログインし、そのユーザの役割にしたがって、ユーザはそれぞれ特別な機能に対するアクセスを許容するスクリーンの上部に位置するタブを使用して、そのユーザの役割に関連する特定の機能にアクセスできる。
【００３６】
Ｉ．ホームタブ600（図６）。ホームタブはデフォルトホームページであり、各役割に対して予め規定されている。好ましくは、選択された部門におけるユーザの役割に基づいて、アプリケーションによりその役割が予め規定されているデフォルトホームページが作成されるが、これはユーザの要求に適するように別のものに変更可能である。ホームタブにより実行されることのできる最も共通のタスクには、Ｓｃｈｅｄｕｌｅｄ  Ｅｘａｍｓ（スケジュールされた検査）の観察と、Ｎｅｗ  Ｖｉｓｉｔ（新たな通院）の作成、Ｐｅｎｄｉｎｇ  Ｉｔｅｍｓ（保留中のアイテム）の観察と、Ｐａｔｈｏｌｏｇｙ  Ｓｔａｔｕｅ（病状）の観察と、ユーザが特定の医師の署名されていない手順ノートを観察してそれらを署名したとしてマークすることを可能にするＵｎｓｉｇｎｅｄ  Ｒｅｐｏｒｔｓの観察と、ユーザが文書を医療提供者、臨床員に分配するかｅメールにより連絡するとき、システムで文書が受取人において利用可能であるという通知を自動的に作成してそれを受取人に送信する機能のＣａｒｂｏｎ  Ｃｏｐｉｅｓ（複写）が含まれている。受取人はその後、システムに記録し、複写スクリーンで文書のリストを観察することができる。集中ケアユニット（ＩＣＵ）同期はユーザがＩＣＵモードで検査を行うとき、ユーザの映像局がネットワークサーバに接続されないことを確実にする。ユーザが検査を終了したとき、そのユーザは映像およびデータをワークステーションからサーバのレポジトリへアップロードしなければならない。ワークステーションが再度ネットワークに接続されるとき、一連の簡単なコマンドが検査中に捕捉されたデータ及び映像をアップロードする。データがアップロードされた後、ユーザは映像及びデータを同期させるためにＩＣＵ同期オプションと、別の検査をするようにユーザが患者にリコールすることを可能にするＲｅｃａｌｌ  Ｌｅｔｔｅｒ（リコール状）の観察特性を使用する。前述したように、これらのタスクに対するアクセスはユーザの役割に基づいている。例えば、ユーザがスケジューラとしてアプリケーションにログするならば、そのユーザはＳｉｇｎ  Ｒｅｐｏｒｔ（署名報告）メニュー選択肢を観察しない。それはその選択肢が医師の役割であるためである。  
II．患者のファイルタブ700（図７ａ−７ｄ）−ユーザが個々の患者に特有の情報を捕捉することを可能にする。このタブは患者の人口統計的情報、即ち患者の医療的警告、ＧＩ／肺、薬物、家族、社会歴情報の記録および、患者の情報の要約の観察とに使用される。
【００３７】
III．登録タブ800（図８ａ−８ｆ）−このタブは（ａ）通院および／または検査情報の生成と変更、（ｂ）過去、現在または将来のスケジュールの観察、（ｃ）処置室および装置を含む検査のためのリソースの割当て、（ｄ）登録文書の分配に使用される。
【００３８】
IV．事前手順タブ900（図９ａ−９ｇ）−このタブは（ａ）特定の通院のためのケアプラン情報の記録、（ｂ）医療的な警告情報の記録、（ｃ）ＧＩ、肺、家族、社会歴情報の記録、（ｄ）身体的検査、患者の評価、身体的チェック情報の管理、（ｅ）患者の予備状態情報の管理、（ｆ）通院のための同意情報の管理、（ｇ）生存兆候及び検査前に投与された薬物の捕捉、（ｈ）選択された事前手順情報の要約の表示および看護婦のハンドオフ情報の捕捉、（ｉ）事前手順の文書の分配に使用される。
【００３９】
Ｖ．手順タブ1000（図１０ａ−１０ｉ）−このタブは（ａ）内視鏡手順中の映像の捕捉、（ｂ）ライブのビデオクリップの記録、（ｃ）検査中に使用される内視鏡時間の記録、（ｄ）先の検査からの映像及び手順ノートの観察、（ｅ）レーザジェットまたはＭａｖｉｇｒａｐｈプリンタにおける検査の映像の印刷、（ｆ）看護婦の管理情報の記録、（ｇ）検査中に使用された付属品及び装置の記録、（ｈ）病理的リクエストの発生、（ｉ）手順文書の分配、（ｊ）本発明にしたがって生存兆候と検査中に投与された薬物の捕捉に使用される。
【００４０】
VI．事後タブ1100（図１１ａ−１１ｈ）−検査の終了後、このタブは診療後のタスクの実行のために使用される。これらのタスクにはＩＣＵモードでの映像の同期と、患者の生存兆候及び薬物情報の監視、捕捉された映像の管理、手順ノートの記載が含まれる。今回の手順からの映像、例えば映像１及び映像２と、以前の手順からの映像、例えば映像３、映像４、映像５とは比較のために共に表示されることができる。このタブは（ａ）患者の回復情報の記録、（ｂ）検査中に捕捉された映像の管理、（ｃ）映像のラベル付け、注釈付け、強調及び印刷、（ｄ）今回の検査に対する映像の取込みおよび搬出、（ｅ）検査中に記録されたビデオクリップの管理、（ｆ）手順ノートの書込み及び署名、（ｇ）患者のリコール情報の捕捉、（ｈ）検査に参加する研修員の能力の評価、（ｉ）患者の調査情報の捕捉、（ｊ）事後手順の文書の分配、（ｋ）ＩＣＵ同期の実行に使用される。
【００４１】
VII．解析タブ1200（図１２）−患者、手順、設備管理、効率解析、リソース利用に関するエンドユーザの管理報告の要求を満たすために再度規定されたテンプレートベースの管理報告を生成するために使用される。このタブは（ａ）連続的な品質改良（ＣＱＩ）報告、（ｂ）効率の報告、（ｃ）装置解析報告、（ｄ）手順解析報告、（ｅ）管理報告の生成に使用される。
【００４２】
VIII．管理タブ1300（図１３ａ−１３ｐおよび図１４ａ−１４ｊ）−管理者のタスクを実行し、システムの効率とセキュリティを確実にするために使用される。システムは施設、医師、臨床員の要求と必要性に基づいてカスタム化することができる。このタブは（ａ）（患者ＩＤタイプ、部門情報等の）システムデータの維持、（ｂ）（臨床員およびコンタクト情報等の）アプリケーションリソースデータの維持、（ｃ）（Ｍａｖｉｇｒａｐｈプリンタ及びビデオ設定等の）システム構造の実行、（ｄ）アプリケーションのフロー、および情報発生の態様（例えばアプリケーション内のメニューの順序及び位置の変更と、手順ノートの作成に使用されるテンプレート／モデルの編集または作成）のカスタム化、（ｅ）（他の患者情報および他の通院情報等の）ユーザ規定フィールドのカスタム化、（ｆ）（ユーザ及び役割のメンテナンス等の）アプリケーションへのまたはアプリケーション内のアクセスの制御、（ｇ）手順中に使用される装置の維持に使用される。
【００４３】
アプリケーション内のあるページには図７ａに示されている患者ファイルタブスクリーン700に示されている“Ｎｅｘｔ”（次へ）ボタン723のような“Ｎｅｘｔ”選択肢が設けられていることを理解すべきである。Ｎｅｘｔ選択肢の選択は妥当性検査後に現在のページにデータの保存を開始し、予め規定された順序にしたがって現在のＰｈａｓｅ  Ｏｆ  Ｃａｒｅ（ケア相）（即ちタブ）内の次のページへユーザをナビゲートする。現在のケア相内のナビゲーションの限定は異なる場所で異なるケア相の各手順を行うユーザに対して大切である。
【００４４】
［ホームタブ］  
さらに図６に示されているようなホームページタブ600に関して、ユーザはスケジュールされた検査のリストの表示を開始し、新しい通院および検査を生成する能力を提供するスケジュールされた検査メニュー選択肢602の選択によってスケジュールされた検査インターフェーススクリーン620にアクセスできる。スケジュールされた検査スクリーン620により、ユーザは検査を検索するために施設名、日付または担当する医師を入力できる。スケジュールされた検査のリスト630は検索データ入力に従って表示され、検査の詳細は検査に対応するＤｅｔａｉｌｓ（詳細）アイコン609のクリックにより観察されることができる。
【００４５】
図８ｂに関してここで説明するように、スケジュールされた検査タブにより、ユーザはＮｅｗ  Ｖｉｓｉｔ（新しい通院）スクリーンにアクセスするために新しい通院ボタン612を選択することによって新しい通院を生成し、これによりユーザは患者の新しい通院のスケジュールに関連する所望の情報を入力することができる。患者の登録に関するさらに詳細をここで詳細に説明する。
【００４６】
図６のホームページタブ600により、ユーザはＰｅｎｄｉｎｇ  Ｉｔｅｍｓ（保留中のアイテム）メニュー選択肢604を選択することによって保留中のアイテムインターフェーススクリーンにアクセスでき、これによりユーザは全ての保留中のタスクを観察することができる。保留中のタスクインターフェーススクリーン（図示せず）により、ユーザはタスク、日付または患者に基づいて保留中のアイテムを検索することができ、さらにタスクを観察するためにＴａｓｋ  Ｄｅｔａｉｌｓ（タスク詳細）アイコンを選択する。タスクのドロップダウンから、ユーザはデータベース記録の変更、データベース記録の消去、注意書きの付加または注意書きの消去を含むがそれらに限定されていないアクティビティを行うことができる。
【００４７】
ホームページタブにより、ユーザは彼らが病状のリクエストを観察することを可能にするＰａｔｈｏｌｏｇｙ  Ｓｔａｔｕｓ（病状）メニュー選択肢606を選択することにより病状インターフェーススクリーン（図示せず）にアクセスでき、または通院、日付、患者またはリクエスト状態のような検索規準の入力によって既存のリクエストに対してデータベースを検索できる。ユーザが通院していないならば、デフォルトリストは表示されない。ユーザはさらに既存の病状結果を編集または消去できる。病状結果が消去されるとき、その記録に関連する全ての資料が消去される。ユーザは病状結果スクリーンにアクセスするためにＥｄｉｔ  Ｐａｔｈｏｌｏｇｙ  Ｓｔａｔｕｓ（病状の編集）アイコンを選択でき、病状結果スクリーンで、ユーザはさらにリクエストの状態を編集し、リクエストを再度吟味し、またはリクエストを消去できる。
【００４８】
［患者ファイルタブ］  
さらに、患者ファイルタブ700（図７ａ）に関して、入力された情報が捕捉され、異なる臨床員により要求された全ての患者データのレポジトリである患者ファイル中に記憶される。これは過去の検査および実験結果、医療的警告、現在患者に処方されている薬物のような関連する経歴データの入力とプレゼンテーションを管理する。したがって、インターフェースＰａｔｉｅｎｔ  Ｆｉｌｅ（患者ファイル）タブ（図７ａ）により、ユーザはそのユーザの役割に基づいてＰａｔｉｅｎｔ  Ｆｉｌｅ（患者ファイル）メニュー選択の選択肢にアクセスできる。任意の内視鏡検査または手順が行われる前に、ユーザは患者を登録しなければならない。患者を登録するとき、関連する患者情報が捕捉され、これには人口統計、医療的警報、ＧＩ経歴、肺の経歴、薬物歴、社会歴、家族歴を含んでいる。患者情報が入力されると、これはその患者に対するその他の検査または手順において再度入力される必要はない。
【００４９】
患者ファイルタブを介してＮｅｗ  Ｐａｔｉｅｎｔ  Ｒｅｃｏｒｄ（新しい患者の記録）を付加するために、ユーザはＰａｔｉｅｎｔ  Ｓｅａｒｃｈ（患者検索）メニュー選択肢702を選択すると、“ｎｅｗ”ボタン722を含む患者検索スクリーン720を表示し、“ｎｅｗ”ボタン722を選択するとき、新しい患者の情報を捕捉するために患者の人口統計スクリーンの表示を開始する。ＩＤタイプ、患者ＩＤ、姓、名、保険、医学的仲介者情報を含み、必要ならば、任意の随意選択的な情報を入力する。図７ｂに示されているように、Ｐａｔｉｅｎｔ  Ｄｅｍｏｇｒａｐｈｉｃｓ（患者人口統計）スクリーン730は新しい保険業者を含む全ての患者の人工統計情報を付加（または既存の情報を編集）し、新しい医師を付加または選択された医師を編集する機能を可能にするアイコンを含んでいる。
【００５０】
図７ａに戻ると、既存の患者の記録を変更するために、ユーザは最初に検索エントリフィールドに検索規準を入力することによって患者を検索し、図７ｂに示されているＰａｔｉｅｎｔ  Ｄｅｍｏｇｒａｐｈｉｃｓ（患者人口統計）スクリーン730を表示するＤｅｔａｉｌｓ（詳細）アイコン709をクリックする。ユーザはその後、所望するように情報を変更できる。ユーザは最初に患者を検索するために患者検索スクリーンにアクセスすることにより患者の情報の要約を観察し、患者を選択するために選択アイコン719をクリックして、図７ｄに示されているようなＰａｔｉｅｎｔ  Ｓｕｍｍａｒｙ（患者要約）スクリーンを表示させる。患者の記録は消去ボタン739の選択によって図７ｂに示されている患者の人口統計スクリーンから消去されることができることを理解すべきである。
【００５１】
さらに患者の人口統計スクリーン730によりエネーブルされる機能は、その患者に対する患者人口統計スクリーンにアクセスすることにより新しい患者ＩＤを選択された患者に割当てるか付加し、ＩＤ  Ｔｙｐｅの隣のＮｅｗボタンをクリックし、消去する患者ＩＤの右に位置するＤｅｌｅｔｅ（消去）アイコンをクリックすることにより患者ＩＤを消去することを含んでいる。
【００５２】
図７ａの患者ファイルタブに戻ると、システムは医療的警報情報を管理するための機能を含み、これは特別な考察を必要とする条件を有する患者に関係している。Ｍｅｄｉｃａｌ  Ａｌｅｒｔｓ（医療的警報）選択肢704の選択によって、図７ｃに示されているようなＭｅｄｉｃａｌ  Ａｌｅｒｔｓ（医療的警報）スクリーン740の表示が開始される。医療的警報スクリーン740により、複数の医療的警報カテゴリが医療的警報のドロップダウンリスト742から選択されることができる。ユーザが選択された患者の医療的警報を設定するとき、ステータスバー749で表示するために患者アイコン759の医療的警報のＶｉｅｗ（ビュー）が発生され、患者が選択される限り、アイコンはステータスバーに存在する。患者についての全ての医療的警報の設定を観察するため、ユーザは患者アイコン759の医療的警報のビューを選択できる。図７ｃに示されているように、医療的警報スクリーン750は２つのセクション、即ちＭｅｄｉｃａｌ  Ａｌｅｒｔｓ（医療的警報）およびＮｏｔｅ（ノート）を含んでいる。医療的警報セクションは患者の医療状態を記録するために使用され、ノートセクションは患者の状況に関する関連または詳細情報を記録するために使用される。
【００５３】
医療的警報スクリーン740により患者の医療的警報記録を付加するために、ユーザは最初に、医療的警報ドロップダウンリストから医療的警報の必要なカテゴリを選択し、医療的警報をエネーブルするためＹｅｓラジオボタンを選択し、Ｃａｌｅｎｄａｒアイコン769からＳｅｌｅｃｔをクリックし、Ｄａｔｅ  Ｒｅｃｏｇｎｉｚｅｄ（承認された日付）フィールドに日付を入力する。Ｓｅｌｅｃｔ  Ｄａｔｅ（日付選択）ウィンドウが現れ、ここでユーザは患者が最初に（警報に関する）条件により診察された日付を選択し、対応する詳細フィールドがアクティブであるならばその警報の詳細を入力できる。ユーザはＮｏｔｅ（ノート）セクションの右のＮｅｗボタンをクリックし、医療的警報カテゴリに関するノートを入力することもできる。
【００５４】
さらに図７ｃに示されている医療的警報スクリーン740によりエネーブルされる別の機能は、医療的警報記録の除去、ノートの消去を含んでいる。さらに、内視鏡手順の実行において特別な考慮を必要とする任意の注意事項は警報として指示される。ここでさらに詳細に説明するように、システムの管理者は施設または部門にかかわりなくシステムレベルでシステム警報を規定できる。システム警報は医療的警報アイテムが警報を指示するように設定されているか否かを決定するための規準であり、即ちシステム警報の表示の指示を保証する。コンテキスト中の患者が警報として指定された注意事項の１つ、例えばアレルギーを有するならば、医療的警報アイコン759がステータスバーで表示される。ユーザは選択されたカテゴリに対するシステム規定警報を表示するためにＳｙｓｔｅｍ  Ａｌｅｒｔｓ（システム警報）ボタンをクリックすることにより、医療的警報スクリーンを介してシステム管理者により設定されたシステム警報を観察できる。選択された医療カテゴリのシステム警報ウィンドウがユーザに観察されるように表示される。
【００５５】
図７ａの患者ファイルタブに戻ると、システムはさらに患者の胃腸系に関する過去の診断、診療、他の手順についての情報を記録し編集することによってＧＩ経歴（ＧＩ  Ｈｉｓｔｏｒｙ）スクリーン（図示せず）を介して患者のＧＩ経歴情報を管理するための機能を含んでいる。ＧＩ経歴スクリーンはユーザがＧＩ部門のアプリケーションにログインするときに表示される。Ｐａｔｉｅｎｔ  Ｓｅａｒｃｈ（患者検索）スクリーン（図７ａ）を介して患者を選択後、許可されたユーザはＧＩ経歴メニューを選択し、患者のＧＩ経歴を検索及び表示するための機能をエネーブルする。表示されたＧＩ経歴スクリーンによりエネーブルされた機能は、Ｐａｓｔ  Ｄｉａｇｎｏｓｉｓ（過去の診断）ウィンドウを開くことにより過去の診断を付加し、日付、診断、器官、患者の過去の診断についてのコメントを入力し、過去の診断情報を更新することを含み、ここでは日付フィールド、確信／病気状態フィールドが日付および確信／病気状態情報のエントリを可能にするために与えられている。ＧＩ経歴スクリーンによる他の機能には、過去の診断の変更、既存の記録の消去による過去の診断の消去、過去の診断に関連する手順ノート報告の観察、Ｐａｓｔ  Ｓｕｒｇｅｒｙ（過去の診療）セクションにおけるＤａｔｅ（日付）、Ｓｕｒｇｅｒｙ（診療）、Ｏｒｇａｎ（器官）、Ｃｏｍｍｅｎｔｓ（コメント）エントリフィールドによる過去の診療記録の付加、過去の診療記録の変更または消去、Ｐａｓｔ  Ｐｒｏｃｅｄｕｒｅ（過去の手順）セクションにおけるＤａｔｅ（日付）、Ｐｒｏｃｅｄｕｒｅ（手順）、Ｃｏｍｍｅｎｔｓ（コメント）エントリフィールドによる過去の手順記録の付加、過去の手順記録の変更または消去、括弧の手順に関連するＰｒｏｃｅｄｕｒｅ  Ｎｏｔｅ（手順ノート）報告の観察が含まれている。
【００５６】
図７ａの患者ファイルタブを介して、ユーザが病院のＢｒｏｎｃｈｏｓｃｏｐｙ（気管支鏡）部門にログするならば、例えば選択された患者の従来の肺手順に付いての情報を記録及び編集し、肺の経歴記録を付加し、肺の経歴の過去の手順記録を変更し、肺の経歴のキロックを消去し、過去の肺の手順に関連する手順ノート報告を観察することによってＰｕｌｍｏｎａｒｙ  Ｈｉｓｔｏｒｙ（肺の経歴）スクリーン（図示せず）を介して患者の肺の経歴記録を管理する機能が与えられることが理解されるべきである。
【００５７】
さらに、図７ａの患者ファイルタブにより、システムは患者の現在及び過去の薬物についての情報を記録及び編集することによって、Ｍｅｄｉｃａｔｉｏｎ  Ｈｉｓｔｏｒｙ（薬物歴）スクリーン（図示せず）により患者の医療的な薬物歴を管理する機能を含んでいる。医療経歴スクリーン（図示せず）は薬物歴メニュー選択肢708の選択により表示され、選択された患者の薬物歴を検索し表示する機能をエネーブルする。
【００５８】
薬物歴スクリーンによりエネーブルされた機能には、例えば薬またはブランドのフルネームまたはＳｅａｒｃｈ（検索）フィールドのワイルドカードが後続する名称の最初の数文字を入力することにより薬物を経歴記録に付加することを含んでおり、ここでは規準に一致する全ての薬物のリストはＭｅｄｉｃａｔｉｏｎ  Ｓｅａｒｃｈ（薬物検索）ウィンドウで選択するために表示される。ユーザはさらに、薬物の効力を検索するためＳｔｒｅｎｇｈ（効力）フィールドの隣の検索アイコンを選択する。ユーザはその後、Ｄｒｕｇ  Ｓｔｒｅｎｇｈ（薬物効力）ウィンドウ（図示せず）から薬物の効力を選択し、薬物の開始日をＤａｔｅ  Ｓｔａｒｔｅｄ（開始日）フィールドへ入力し、（現在服用中の薬物ではないならば）薬物の停止日をＤａｔｅ  Ｓｔｏｐｐｅｄ（停止日）フィールドへ入力する。ユーザはさらに患者の経歴記録から薬物を消去できることが理解される。
【００５９】
図７ａの患者のファイルタブに戻り、参照すると、システムはＳｏｃｉａｌ  Ｈｉｓｔｏｒｙ（社会歴）スクリーン（図示せず）により患者の社会歴を更新する機能を含んでおり、これはユーザが患者の社会的な行動と法的な考察についての情報を記録することを可能にする。社会歴スクリーンは選択された患者の社会歴の検索及び表示のための機能をエネーブルするために社会歴メニュー選択肢710を選択することによって表示される。社会歴スクリーンによりエネーブルされる機能は、次の５つの領域に関する情報のエントリを含めた患者の社会歴記録を付加し、即ち１）患者がタバコの使用を停止した日および箱数の使用年数（即ち一日当りの箱数およびその箱数の使用年数）のエントリを含むタバコの使用と、２）患者がアルコールの消費を停止した日および飲酒年数（即ち週当りのボトル数および飲酒年数）のエントリを含むアルコールの使用と、３）患者がＩＶ薬剤の濫用を停止した日およびＩＶ薬剤の濫用についての詳細な情報のエントリを含むＩＶ薬物の使用と、４）リビングウイル情報と、５）弁護士の権限であり、これによってユーザはＤＮＲ（蘇生をしない）詳細フィールドを介して情報を入力できる。ユーザの社会歴記録はさらに変更されてもよいことが理解されよう。
【００６０】
図７ａの患者のファイルタブに戻り、参照すると、システムは患者のＦａｍｉｌｙ  Ｈｉｓｔｏｒｙ（家族歴）スクリーン（図示せず）により患者の家族歴を更新する機能を含んでおり、これはユーザが癌の発生またはその他の関連する家族の医療状況についての情報を記録することを可能にする。好ましくは、Ｂｒｏｎｃｈ（気管支）およびＧＩ部門に対しては異なる家族歴スクリーンが存在する。家族歴スクリーンは選択された患者の家族歴の検索及び表示のための機能をエネーブルするために家族歴メニュー選択肢712を選択することによって表示される。例えば、家族歴スクリーンにより選択された患者に対してＧＩ癌記録を付加するために、Ａｄｄ（付加）ボタンがＧＩ癌ウィンドウを表示するために選択され、それはＧＩ  Ｃａｎｃｅｒ（ＧＩ癌）に隣接して設けられている。そのウィンドウによって、ユーザはＴｙｐｅ（タイプ）ドロップダウンリストから癌のタイプを選択するか、Ｏｔｈｅｒ−Ｄｅｔａｉｌｓ（他の詳細）を選択でき、ここでＤｅｔａｉｌｓ（詳細）フィールドはユーザがその詳細フィールドにコメントを入力することを可能にするために設けられている。ユーザはさらに、セクションへのラインの付加を可能にするＲｅｌａｔｏｎ（親戚関係）の隣のＮｅｗボタンをクリックでき、ここでユーザは親戚関係ドロップダウンリストから親戚を選択し、親戚が癌と診断された年齢を入力することができる。
【００６１】
家族歴スクリーンにより、ユーザはさらに親戚関係のＧＩ癌以外の記録を付加し、または患者の親戚関係の気管支癌の記録を付加できる。さらに別の親戚の家族歴（例えば癌以外）が付加されることができ、さらに消去または変更が可能である。
【００６２】
図７ａの患者のファイルタブに戻り、参照すると、Ｏｔｈｅｒ  Ｐａｔｉｅｎｔ  Ｉｎｆｏｒｍａｔｉｏｎ（他の患者情報）スクリーン（図示せず）を介して、他の患者情報の入力または変更を可能にする更に別のシステム機能が可能にされ、他の患者情報スクリーンは選択された患者の他の情報の検索と表示の機能を可能にする他の患者情報メニュー選択肢714の選択により、患者に関係する付加的な事前設定およびユーザ規定データの捕捉を可能にするために発生される。
【００６３】
［登録タブ］  
さらに、登録タブ800（図８ａ）に関して、ユーザが通院を生成、変更または消去、或いは通院中における検査の生成、変更または消去を可能にするための機能が与えられる。すなわち、患者の記録の作成後、ユーザは患者の検査をスケジュールできる。通院は患者において行われた１以上の一連の手順を含むことができることが理解される。ユーザは患者の通院をスケジュールし、または既存の通院を変更するために“新しい通院”と“通院の変更”スクリーンを選択できる。したがって、図８ａの登録タブ800に示されているように、新しい通院を作成するため、ユーザは新しい通院メニュー選択肢802を選択し、図８ｂに示されているように新しい通院スクリーン820が表示される。新しい通院スクリーン820により、ユーザはＦａｃｉｌｉｔｙ（施設）ドロップダウンリスト822から通院の施設を選択し（デフォルトはユーザが現在ログインしている施設である）、通院の施設に与えられた特有の識別子である通院ＩＤをＶｉｓｉｔ（通院）ＩＤフィールド824に入力し、患者フィールドの隣の患者検索アイコン825をクリックして、患者を選択するか、（患者の検索後、患者の記録が発見されないならば）患者の人口統計ウィンドウ（図７ｂ）に戻り、患者の新しい記録を作成し、患者に対する全ての医療提供者の名を含むＲｅｆｅｒｒｉｎｇ（委任医師）ドロップダウンリスト826から委任医師を選択し（デフォルトは患者の主治医である）、Ｐａｔｉｅｎｔ  Ｃｌａｓｓ（患者クラス）ドロップダウンリスト828から患者のクラスを選択し、Ｄａｔｅ（日付）フィールド830に通院日を入力し、（デフォルトは現在の日付けである）、通院時間を入力するためにクロックアイコン832をクリックし（デフォルトは現在の時間である）、通院にユーザが検査を付加する必要があるならばＥｘａｍ（検査）の近くの付加ボタン833をクリックすることができ、検査の詳細スクリーンが表示される。
【００６４】
患者のファイルタブ700（図７ａ）に戻り、参照すると、患者の通院記録の作成の次に、ユーザはＰａｔｉｅｎｔ  Ｓｕｍｍａｒｙ（患者の要約）選択肢703を選択し、図７ｄに示されている患者の要約スクリーン750を表示させ、患者の記録が作成されたか最後に変更されたときに捕捉された全ての患者の人口統計データを表示し、それからユーザはスクリーンの通院情報セクション766から既存の通院を選択できる。ユーザはさらにＭｏｄｉｆｙ  Ｖｉｓｉｔ（通院変更）スクリーンの表示を開始するために通院変更アイコン767を選択し、これは既存の通院記録を変更するか通院記録を消去する機能を提供する。
【００６５】
図８ａの登録タブに戻り、参照すると、システムは通院記録の作成後にのみ検査のスケジュールを可能にする機能を含んでいる。検査を通院に付加するため、ユーザは図８ａの登録タブから通院変更メニュー選択肢804を選択することによって、図８ｃの図に示されている通院変更スクリーン830へアクセスできる。図８ｃでは、検査の隣の付加ボタン832のクリックにより、図８ｄに示されている検査詳細スクリーン840を表示させ、ここからユーザは日付フィールド842に検査日を入力し、時間フィールド844に検査時間を入力し、検査タイプドロップダウンリスト845から検査タイプを選択できる。担当する医師はＡｔｔｅｎｄｉｎｇ（担当医師）ドロップダウンリスト846から選択されることができる。ユーザが担当する医師または臨床員を検索することを望むならば、Ｃｌｉｎｉｃａｌ  Ｓｔａｆｆ（臨床員）アイコン848が選択され、臨床員リストウィンドウ（図示せず）を表示させ、ここでユーザはリストから臨床員を選択できる。臨床員がリストで見つからないならば、ユーザは臨床員ウィンドウ（図示せず）を表示するＮｅｗ  Ａｔｔｅｎｄｉｎｇ（新しい従事医師）アイコン849を選択し、それによって臨床員についての関連情報が入力されることができる。従事医師情報を編集するために、ユーザは従事医師を選択し、Ｅｄｉｔ  Ａｔｔｅｎｄｉｎｇ（従事医師の編集）アイコン850をクリックし、臨床員ウィンドウを表示させて、そのウィンドウによってユーザは関連する変更を行うことができる。ユーザはさらに、Ａｃｃｅｓｓｉｏｎ  Ｎｕｍｂｅｒ（受諾番号）フィールド853から受諾番号を入力し、Ｒｏｏｍ（部屋）ドロップダウンリスト866から部屋番号を選択し、Ｄｕｒａｔｉｏｎ（期間）ドロップダウンリスト868から検査期間を選択し、Ａｖａｉｌａｂｌｅ（利用可能）ドロップダウンリスト869から必要とされるリソースのタイプを選択し、Ａｖａｉｌａｂｌｅ（利用可能）ドロップダウンリスト870から検査に必要なリソースを選択するように促される。矢印のアイコン855はリソースをＡｓｓｉｇｎｅｄ（割当て）リストボックス875に移動するためにユーザによって選択されることができる。例えばユーザは特別なアクセサリまたは内視鏡を検査に割当てることを希望し、この場合システムは通院変更スクリーン830（図８ｃ）において、検査の隣に表示するようにＳｐｅｃｉａｌ  Ａｃｃｅｓｓｏｒｙ／Ｓｃｏｐｅ（特別なアクセサリ／内視鏡）に必要なアイコン878を発生できる。
【００６６】
図８ａの登録タブに戻ると、システムはユーザが登録タブ800にアクセスするときに表示されるデフォルトスクリーンであるスケジュールされた検査スクリーン880を介して現在日のスケジュールされた検査を表示する機能を含んでいる。スケジュールされた検査スクリーン880により、ユーザは今日のスケジュールアイコン882を選択し、それは選択されるとき、現在日のスケジュール（デフォルト画面）を表示させ、Ｗｅｅｋ（週）アイコン884のＳｃｈｅｄｕｌｅ（スケジュール）を選択し、これは選択するとき、週のスケジュール（例えば日曜日から土曜日）を表示する。好ましくは、表示に選択された週は日付のインクリメントアイコン885aと日付のデクリメントアイコン885bとにより制御され、それぞれスケジュールにおいて現在表示されている間隔によって日付を増加または減少し、Ｍｏｎｔｈ（月）アイコン887でスケジュールを選択し、これが選択されるとき、選択された月の第１日で開始する一月のスケジュールを表示する。表示するように選択された月も日付のインクリメントアイコンと日付のデクリメントアイコンにより制御され、Ｓｃｈｅｄｕｌｅｄ（スケジュール）アイコン888を選択し、これが選択されるとき、検査がスケジュールされているがまだ行われていないことを示し（ステータス下で現れる）、Ｓｅｌｅｃｔ  ｔｈｉｓ  Ｅｘａｍ（この検査の選択）アイコン889を選択し、これが選択されるとき、ユーザは検査、文書等の選択を可能にされ、Ｍｏｄｉｆｙ  Ｖｉｓｉｔ（通院変更）アイコン890を選択し、これが選択されるとき、ユーザは検査、文書等の変更を可能にされ、カレンダーアイコンからＳｅｌｅｃｔ  Ｄａｔｅ（日付選択）を選択し、日付の選択に使用されるカレンダーを表示させる。
【００６７】
図８ａの登録タブに戻り、参照すると、システムはさらに知識ベースから用語を選択して組織するための“用語辞書”機能を提供する。知識ベースは医療専門用語のデータベースである。例えば医師であるユーザが検査中に注目すべきものを見つけたとき、用語辞書機能はその観察を記録することに使用される。左のメニュー選択肢806の選択によって、用語辞書スクリーン895は図８ｅに示されているように表示され、それによってユーザは（彼／彼女の観察に基づいて）ツリーフォーマットで論理的に記憶されている用語を含むフレーム896を有する知識ベースから用語を選び出す。この構造から、ユーザはこの情報を選択し使用でき、選択されたキーワードから形成される複数の文を具備する手順ノートを書く。さらに厳密には、知識ベースは知識ベースの基本的な構築ブロックである医療用語のキーワードと、キーワードを組織するメニューと、メニューおよびツリー内で組織されたそれらの関連するキーワードの集合であるビューとを含み、ビューは知識ベースを通してナビゲートし適切な医療用語またはキーワードの選択に使用される。特に、各知識ベースの用語はキーワードと呼ばれるユーザが右のフレーム896（利用可能な用語のリスト）からキーワードまたは用語を選択するとき、これは左のパネル（選択された用語のリスト）に現れる。メニューはメニュータイプと呼ばれるカテゴリに分類され、これは本質的に類似のキーワードを含んでいる。例えばサイズメニュータイプはキーワード、小、中、大を含んでいる。好ましくはメニューは単一選択、マルチ選択または特有である。ユーザが単一選択メニューからキーワードを選択するならば、メニュー内の他のキーワードへディスエーブルされる。例えばポリープのサイズが単一選択メニューであるならば、ユーザは小、中、大のような利用可能なサイズから１つのみのサイズを選択できる。ユーザがマルチ選択メニューからキーワードを選択するならば、選択されたアイテムはメニューからの任意の他のキーワードと同一レベルに添付される。例えば器官がマルチ選択メニューであり、ユーザが第１の器官として胃を選択し、第２の器官として十二指腸を選択したならば、十二指腸は胃と同一レベルに現れ、キーワードが特有メニューから選択されるならば、ユーザは再度キーワードを選択できない。即ちユーザが右のパネルから再度キーワードを選択しようとするとき、キーワードは左のパネルで強調され、これが既に選択されていることを示す。例えば器官メニューが特有であり、ユーザが第１の器官として胃を選択する。ユーザが右のパネルフレームで再度胃を選択するならば、左のパネルのキーワード、胃が強調され、胃が既に選択されていることを示す。
【００６８】
用語辞書はケア相に基づいて知識ベースの内容を異なる報告セクションに配置する。施設はいずれの報告セクション898がケア相において用語辞書スクリーンで利用可能であるかを決定する。図８ｅに示されているように、用語辞書スクリーン895はアイコン897と、アイコン898とを含み、アイコン897は用語辞書スクリーン895を介して報告書を作成する機能を開始し、知識ベースツリーにおいて上に移動する機能を開始し、知識ベースツリーにおいて下に移動する機能を開始し、料金請求コードを付加する機能を開始し、ツリーからキーワードを消去する機能を開始し、アイコン898は知識ベースから新しい用語を付加する機能を開始し、左側の最後のマルチ選択メニューへ移動する機能を開始し、先のキーワードに移動する機能を開始する。
【００６９】
文法エンジンは選択されたキーワードから適切な文の生成を確実にするために用語辞書と協同して実行される。
【００７０】
図８ａの登録タブに戻り、参照すると、システムは図８ｆに示されているＤｏｃｕｍｅｎｔ  Ｄｉｓｔｒｉｂｕｔｉｏｎ（文書分配）スクリーン860を介して紹介者への手紙および予約状のような文書を印刷して、分配する機能を含んでいる。作成された文書はｅメールまたはファックスにより分配されることができる。ユーザは最大９部の文書のコピーを分配でき、文書は印刷または分配前にプレビューまたは編集されることができる。ユーザはさらに各文書タイプに対して受取人のリストを編集できる。したがって図８ａの登録タブ800へナビゲートし、特定の検査を選択した後、ユーザは図８ｆに示されている文書分配スクリーン860を表示するための登録文書メニュー選択肢808をクリックする。文書を編集または再検討するため、文書分配スクリーン860からユーザはテンプレートドロップダウンリスト861からの文書のテンプレートを選択し、ユーザが編集または再検討する必要のある文書に対応するＥｄｉｔ  Ｄｏｃｕｍｅｎｔ（文書編集）アイコン862をクリックする。文書は新しいウィンドウに表示され、ここでその文書に対して必要とされる変更が行われる。ユーザはさらに、文書分配スクリーンからアイコンを選択することにより文書を再検討し、編集し、印刷することができる。文書の受取人に関して、３タイプの受取人、即ちＣｏｎｔａｃｔ（仲介者）、Ｍｅｄｉｃａｌ  Ｐｒｏｖｉｄｅｒ（医療提供者）、Ｃｌｉｎｉｃａｌ  Ｓｔａｆｆ（臨床員）が存在し、ユーザは受取人リストを介して受取人を付加または除去できる。受取人リストを編集するために、ユーザは編集される文書に関連するチェックボックス863をクリックする。ユーザはその後、現在の受取人リストに隣接するＥｄｉｔ  Ｒｅｃｉｐｉｅｎｔ  Ｌｉｓｔ（受取人リスト編集）アイコン864をクリックし、これは受取人編集ウィンドウ（図示せず）を表示するための機能を開始する。このウィンドウにより、ユーザは医療提供者または臨床員以外の受取人を変更するため仲介者をクリックする。仲介者リストウィンドウは受取人のカテゴリと共に表示される。さらに、Ｍｅｄｉｃａｌ  Ｐｒｏｖｉｄｅｒ  Ｌｉｓｔ（医療提供者リスト）ウィンドウから医療提供者を選択するためのＭｅｄｉｃａｌ  Ｐｒｏｖｉｄｅｒ（医療提供者）と、Ｃｌｉｎｉｃａｌ  Ｓｔａｆｆ  ＬＩｓｔ（臨床員リスト）ウィンドウから臨床員を選択するためにクリックされるＣｌｉｎｉｃａｌ  Ｓｔａｆｆ（臨床員）も設けられている。
【００７１】
したがって、システムはさらにＤｉｓｔｒｉｂｕｔｅ（分配）をクリックする前に、分配される文書の左側のチェックボックスをクリックし、テンプレートドロップダウンリストから文書のテンプレートを選択することによって、文書分配スクリーン（図８ｆ）を経て文書を分配するためユーザにより開始される機能を提供する。この特性に加えて、システムは手順または発見についてを通知する教育文書を患者へ分配するための付加的な機能を提供する。例えば、ユーザが患者の胃にポリープを発見し、システムがワード“ｐｏｌｙｐ”の教育トリガーを設定したならば、教育テンプレートに基づいてユーザが患者に分配するための文書が作成される。印刷は教育文書の分配に利用可能な多数の媒体選択肢の１つである。ユーザの施設が教育トリガーを設定していないならば、教育文書は作成されないことが理解されよう。
【００７２】
教育文書は分配される文書の隣のチェックボックスをクリックし、テンプレートドロップダウンリストから文書のテンプレートを選択し、Ｃｏｐｉｅｓ（コピー）ドロップダウンリストから印刷される必要のあるコピー数を選択することによって文書分配スクリーンにより分配されることができる。
【００７３】
［事前手順タブ］  
さらに、事前手順タブ900（図９ａ）に関して、ユーザがスケジュールされた検査を検索し、検査を検索し、新しい通院を作成し、スケジュールの要約を再検討し、事前手順呼を記録し、患者の記録を検索し、患者の人工統計情報を管理し、医療的警報情報を管理し、ＧＩ経歴情報を管理し、肺情報を管理し、社会歴情報を管理し、家族歴情報を管理し、患者のプロセス情報を管理し、同意チェックリスト情報を管理し、患者の予備状態情報を管理し、患者の評価情報を管理し、身体検査情報を管理し、生存兆候及び薬物データを管理し、臨床的な用語辞書データを再検討／編集し、事前手順の要約を再検討し、他の通院情報を管理することを可能にする機能が与えられている。
【００７４】
図９ａに示されている事前手順インターフェーススクリーン900による通院／検査情報の検索に関して、ユーザは日付、時間、位置、従事する医師、任意の必要なリソース等の検査の詳細を観察するための機能を開始するようにスケジュールされた検査メニュー選択肢902を選択し、（必要ならば）検査情報の修正を行い、（検査が存在しないならば）患者の通院に対して検査を付加し、患者の状態についての注意または検査についての任意の他の情報を付加することができる。したがって、患者が手順の内視鏡施設に来たとき、患者の検査情報が最初に検索される。図９ａに関して示し説明したようなスケジュールされた検査スクリーンディスプレイ930を介して、ユーザは施設でスケジュールされている全ての検査のリストを観察し（デフォルトにより、スケジュールされた検査は現在の日付で表示されている）、スケジュールされた検査情報を再検討し、それによって割当てられた医療員及び装置リソースを再検討し、検査情報を変更し（即ち他のリソースを割当て）、（検査が存在しないならば）検査を患者の通院に対して付加できる。このケア相で可能にされる特別の機能は患者の状態についての注意または検査に関連する任意の他の情報を入力する能力である。即ち、ユーザが患者の事前手順データを入力する前に、ユーザは患者のスケジュールの要約を再検討し、事前手順呼情報を入力し、観察または変更する。したがって、図９ａの事前手順インターフェースにより、ユーザは検査を選択するための機能を開始するためにＳｃｈｅｄｕｌｅ  Ｓｕｍｍａｒｙ（スケジュールの要約）メニュー選択肢904を選択し、選択された検査の事前手順呼の要約を観察し、検査の事前手順呼情報を入力または変更する。
【００７５】
事前手順中、ユーザは患者の当を得た情報を証明し記録できる。したがって、事前手順スクリーンからＰａｔｉｅｎｔ  Ｓｅａｒｃｈ（患者の検索）選択肢906を選択することにより、患者の検索スクリーン（図示せず）が表示され、検索規準のエントリ（例えば姓）に応答して患者を検索し、患者の人口統計（名前、住所、緊急連絡先、患者の保険適用範囲情報、医療提供者の情報等）、患者の注意事項、図７ｂで示され説明したような医療的警報情報を証明し記録する。例えば患者がラテックスに対してアレルギーを持つならば、この医療情報は検査が患者に行われる前に記録される。ユーザはさらに患者のＧＩ経歴、肺経歴、社会歴、家族歴を証明または記録することができる。このような患者の人工統計情報は図７ｂに関して示し説明したような患者の人口統計スクリーンにより検査の丁度前の登録時に捕捉されることができ、これはＮａｍｅ（名前）、Ａｄｄｒｅｓｓ（住所）、Ｅｍｅｒｇｅｎｃｙ  Ｃｏｎｔａｃｔ（緊急連絡先）、Ｐａｔｉｅｎｔ  Ｉｎｓｕｒａｎｃｅ  Ｃｏｖｅｒａｇｅ  Ｉｎｆｏｒｍａｔｉｏｎ（患者の保険適用範囲情報）、Ｍｅｄｉｃａｌ  Ｐｒｏｖｉｄｅｒ  Ｉｎｆｏｒｍａｔｉｏｎ（医療提供者の情報）及びその他の情報等の既存の患者、臨床的ではない患者のデータにおいて記録または変更するため事前手順相でアクセスされることができる。新しい患者の人口統計記録はさらに、捕捉された新しい人工統計情報と共に作成されることができる。
【００７６】
さらに、図９ａに関して示され説明されている事前手順インターフェーススクリーン900から、図７ｃに関して示され説明されているように、ユーザが患者の注意事項および関連する医療歴についての情報を観察、変更または除去し、さらにノートフィールド741の任意の情報を記録または消去することを可能にするために医療的警報メニュー選択肢908が選択されることができる。
【００７７】
さらに、事前手順スクリーン900から、ＧＩ経歴メニュー選択肢910が選択され、ユーザが患者の過去の診断または手順に関する患者のＧＩ診療情報（またはユーザが気管支部門にログされるならば、胃の診断情報）を観察し、変更し、または除去することを可能にする。
【００７８】
さらに、事前手順スクリーン900から、社会歴メニュー選択肢912が選択され、患者の過去の社会歴情報を観察し、変更し、または除去するか、新しい記録を付加し、家族歴メニュー選択肢914が選択され、ユーザが患者の家族歴に関する情報（例えば気管支およびＧＩ癌、ＧＩ以外の癌、他の関連する家族歴）を観察し、変更し、または除去することを可能にし、それによって癌の発生または患者の家族内の関連する医療状態を維持する。好ましくは、気管支およびＧＩ部門には異なる家族歴スクリーンが存在する。
【００７９】
ここで説明されているように事前手順タブ900による患者ベースの情報の管理に加えて、ユーザはさらに検査ベースの情報を管理できる。したがって、手順の実行前に、ユーザはＰａｔｉｅｎｔ  Ｐｒｏｃｅｓｓ（患者プロセス）メニュー選択肢915の選択によって関連する患者のケア情報を捕捉でき、これは図９ｂに示されているように患者プロセスインターフェーススクリーン950を表示させ、ユーザが到着、登録、事前手順時間等の情報を含む患者プロセス記録を生成し、患者クラス（例えば入院患者、入院患者の転送、外来患者）に基づいて患者のケアプランを作成することを可能にする。施設が任意の患者の所持品を記録するものであるならば、この情報は、所持品の位置に加えてこのスクリーンに記録される。
【００８０】
したがって、選択された検査では、ユーザは患者プロセススクリーン950により、患者の到着日時、登録開始及び終了時間、事前手順開始及び終了時間を含む情報を記録または編集でき、現在のドロップドロップダウンリスト951から患者のスケジュールされたケアプランクラスを選択する。ユーザが入院患者（Ｉｎｐａｔｉｅｎｔ）の転送を選択したならば、Ｆｒｏｍフィールド985中の部門およびユニットが入力される。（スケジュールされたプランから異なるならば）Ｃａｒｅ  Ｐｌａｎｎｅｄ（ケアプラン）ドロップダウンリスト952から現在のケアプランを選択する。ユーザはさらに、患者プロセススクリーンによりケアプランに関するその他の情報を含んだ情報を詳細エントリフィールド953に入力し、Ｐｌａｎ  Ｓｐｅｃｉｆｉｃｓ（プラン特別）ドロップダウンリスト954から手順の後の患者の計画された配置を選択し、（適用可能ならば）ＩＤ  Ｂｒａｃｅｌｅｔ、Ｖａｓｃｕｌａｒ  ＢｒａｃｅｌｅｔまたはＡｌｌｅｒｇｙ  Ｂｒａｃｅｌｅｔチェックボックスを選択し、（適用可能ならば）患者を輸送する人の名前及び電話番号をＣｏｎｔａｃｔ（連絡先）およびＰｈｏｎｅ（電話）フィールドに入力し、患者を輸送する人が待合室にいるならば、Ｉｎ  Ｗａｉｔｉｎｇ  Ｒｏｏｍ（待合室）チェックボックス955を選択し、患者の所持品が保管されている位置をＤｅｆａｕｌｔ  Ｌｏｃａｔｉｏｎ（デフォルト位置）フィールド956に入力し、各適用可能な患者の所持品のチェックボックスを選択する。これは自動的に関連する位置フィールドをデフォルト位置でポピュレートするが、ユーザは所持品が他の場所に保管されているならば、位置を変更できる。
【００８１】
任意の手順の実行前に、ユーザは手順を行うために患者が同意書を提供することを確認する必要がある。したがって、手順の実行前に、ユーザは事前手順タブ900（図９ａ）によりＣｏｎｓｅｎｔ  Ｃｈｅｃｋｌｉｓｔ（同意チェックリスト）メニュー選択肢916を選択でき、これは図９ｃに示されているように同意チェックリストスクリーン960を表示させて患者が行われる手順に対して同意をするか否かをユーザが記録することを可能にする。ユーザは任意の情報を変更できるが、同意チェックリスト記録を消去できない。したがって、選択された検査に対しては、ユーザは同意チェックリストスクリーン960により、既存の情報を変更するか、ユーザが署名された同意を得たならば、Ｃｏｎｓｅｎｔ  Ｆｏｒｍ（同意書の形態）、Ｒｅｖｉｅｗｄ（再検討）されＳｉｇｎｅｄ（署名され）Ｗｉｔｎｅｓｓｅｄ（証明のある）無線ボタン96を選択することにより同意チェックリスト情報を含む情報を入力できる。ユーザが署名された同意を得ていないならば、彼／彼女はＮｏｔ  Ｏｂｔａｉｎｅｄ（同意を得ていない）無線ボタン962を選択できる。Ｎｏｔ  Ｏｂｔａｉｎｅｄの選択はＥｘｐｌａｎａｔｉｏｎ（説明）とＯｂｔａｉｎｅｄ  Ｆｏｒ（同意を獲得）セクションをディスエーブルする。同意が得られなかった理由は詳細ドロップダウンリストから選択されることができる。同意が得られたならば、ユーザはＧｉｖｅｎ  Ｔｏ（説明を受ける人）ドロップダウンリストから、説明を受ける人を入力し、説明を受けた人の名前を図９ｃに示されているＮａｍｅ（名前）フィールドに入力する。ユーザはさらに適切なチェックボックス（口頭、小冊子）を選択することにより説明を行う方法を示し、同意がＰｒｏｃｅｄｕｒｅ（手順）、Ｓｅｄａｔｉｏｎ／Ａｎｅｓｔｈｅｓｉａ（鎮静剤／麻酔）、またはＢｌｏｏｄ（血液）またはＢｌｏｏｄ  Ｐｒｏｄｕｃｔ（血液剤）に対して得られたことを示すために適切なチェックボックスを選択する。これら全てを選択するためには、Ｓｅｌｅｃｔ  Ａｌｌ（全て選択）ボタンをクリックする。ユーザはさらに説明が潜在的なＲｉｓｋ（危険性）、Ｂｅｎｅｆｉｔｓ（利点）、Ｌｉｍｉｔａｔｉｏｎｓ（限定）、Ａｌｔｅｒｎａｔｉｖｅｓ（代替）に対して行われたことを示すため適切なチェックボックスを選択するか全て選択をクリックすることによって全てを選択する。ユーザはさらにＯｂｔａｉｎｅｄ  Ｆｒｏｍ（同意を得た人）ドロップダウンリストから同意を得た人を選択し、同意が得られた人の名前を名前フィールドに入力する。ユーザはさらに同意が得られた日時をそれぞれＯｂｔａｉｎｅｄ  Ｏｎ（同意を得た日）とＴｉｍｅ（同意を得た時間）フィールドに入力し、同意を受けた人の名称を図９ｃに示されているＯｂｔａｉｎｅｄ  Ｂｙ（同意を受けた人）ドロップダウンリストから選択することにより示す。ユーザはさらにＷｉｔｎｅｓｓｅｄ  Ｂｙ（同意を目撃した人）ドロップダウンリストから選択することによって同意の獲得を目撃したスタッフの名前を示し、指示が患者に与えられ承諾されたならば、Ｄｉｓｃｈａｒｇｅ  ｉｎｓｔｒｕｃｔｉｏｎ  ｒｅｖｉｅｗｄ，ｓｉｇｎｅｄ  ａｎｄ  ｗｉｔｎｅｓｓｅｄ（再検討され、署名され、目撃された指示を遂行）チェッ��ボックスを選択することができる。ユーザはさらに患者による遂行指示を再検討し、名前フィールドの遂行指示に署名する患者を目撃したスタッフの名前を入力し、遂行指示が与えられたときに、それぞれ日付または時間フィールドをポピュレートするためにＤａｔｅまたは時間アイコンを使用してまたは手で日時を入力する。さらに、ユーザは図９ｃに示されているＮｏｔｅ（注意）テキストエントリボックスに任意の他の情報を入力できる。
【００８２】
さらに、患者の検査の準備をするとき、ユーザはＮＰＯ（食事なし）、Ｂｏｗｅｌ（腸）の準備、Ｐｒｅｐ（予備）結果、Ｃｕｒｒｅｎｔ（現在の）薬物等の情報を記録するためにＰｒｅｐ  Ｓｔａｔｕｓ（予備状態）スクリーンを使用できる。したがって手順の実行前に、ユーザは図９ａの事前手順タブ900により予備状態メニュー選択肢917を選択することができ、これは予備状態スクリーン（図示せず）を表示させ、ユーザがデータベース記録中に予備状態情報を入力することを可能にする。気管支とＧＩ部門に対しては異なる予備状態スクリーンが存在し、検査は予備状態スクリーンのアクセス前に選択されなければならない。予備状態スクリーンにより、ユーザはＮＰＯドロップダウンリストから適切なＮＰＯを選択し、腸の準備のためにＴａｋｅｎ（食事あり）またはＮｏｔ  Ｔａｋｅｎ（食事なし）無線ボタン（ＧＩのみ）を選択し、Ｂｏｗｅｌ  Ｐｒｅｐ  Ｒｅｓｕｌｔｓ（腸の予備結果）ドロップダウンリスト（ＧＩのみ）から適切な予備結果を選択する。ユーザはさらに適切であるならば、Ｏｔｈｅｒ  Ｒｅｓｕｌｔｓ（その他の結果）フィールドに任意の他の情報を入力できる（ＧＩのみ）。Ｃｕｒｒｅｎｔ  Ｍｅｄｉｃａｔｉｏｎｓ（現在の薬物）の隣の経歴をクリックすることにより、ユーザはＭｅｄｉｃａｔｉｏｎ  Ｈｉｓｔｏｒｙ（薬物歴）スクリーン（図示せず）を介して患者の薬物歴を観察し、適切であるならば患者の新しい現在の薬物を付加できる。予備状態スクリーンにより新しい薬物を付加するために、Ａｄｄ  Ｍｅｄｉｃａｔｉｏｎ（薬物の付加）スクリーンが表示され、ユーザが付加される必要のある薬物を検索するため薬剤（ブランド）名の検索フィールドに薬物名の最初の数個の文字を入力することを可能にする。ユーザはさらに薬剤および／またはブランド名により検索できる。検索アイコンの選択によって、付加的なＳｅａｒｃｈ（検索）スクリーン（図示せず）が表示され、ユーザが付加される薬物を選択し、服用量と投薬方法を選択することを可能にする。Ｕｐｄａｔｅ  Ｍｅｄｉｃａｔｉｏｎ  Ｈｉｓｔｏｒｙ（薬物歴の更新）チェックボックスは患者の薬物歴に薬物と薬物の開始日を付加するように選択される。
【００８３】
さらに、手順の実行前、ユーザは図９ａの事前手順タブ900によりＰａｔｉｅｎｔ  Ａｓｓｅｓｓｍｅｎｔ（患者評価）メニュー選択肢918を選択でき、これは図９ｄに示されているように患者の評価スクリーン970を表示させ、ユーザが患者の痛み、情緒状態、学習の必要性、ＩＶの開始に関する情報を記録することを可能にする機能を提供する。このスクリーンで捕捉されるデータは患者の全般的な状態を評価するときに重要であり、患者の評価スクリーン970によって変更されることができる。患者の評価スクリーン970により患者の評価情報を記録するために、ユーザはＰａｉｎ  Ｓｃｏｒｅ（痛みスコア）ドロップダウンリスト972から値を選択し、Ｌｏｃａｔｉｏｎ／Ｑｕａｌｉｔｙ／ｄｕｒａｔｉｏｎフィールド974に痛みの位置、質および／または継続期間を入力し、関連情報をＭｅａｓｕｒｅｓ  ｔｏ  Ａｌｌｅｖｉａｔｅ  Ｐａｉｎ（痛み緩和のための手段）フィールド976に入力し、関連情報をＭａｎａｇｅｍｅｎｔ  Ｐｌａｎ（管理プラン）フィールド977に入力し、患者の情緒状態を表す無線ボタン978を選択する。Ｅｍｏｔｉｏｎａｌ  Ｓｔａｔｕｓ（情緒状態）の有効な選択は、Ｃａｌｍ／Ｒｅｌａｘｅｄ（沈着／リラックス）、Ａｎｘｉｏｕｓ／Ｐａｒｔｉｃｉｐａｔｅｓ  ｉｎ  Ｃａｒｅ（不安／ケアに参加）、Ａｇｉｔａｔｅｄ／Ｕｎａｂｌｅ  ｔｏ  Ｐａｒｔｉｃｉｐａｔｅｓ  ｉｎ  Ｃａｒｅ（動揺／ケアに不参加）を含んでいる。さらに、患者評価スクリーン970により、ユーザは患者の好ましい学習方法（例えば面会、傾聴、または実行）に対応する無線ボタン975を選択し、Ｐｒｅｆｅｒｒｅｄ  Ｌａｎｇｕａｇｅ（好ましい言語）フィールドに患者の好ましい言語を入力できる。ユーザはさらに患者が翻訳を必要とするならば、Ｎｅｅｄｓ  Ｉｎｔｅｒｐｒｅｔｅｒ（翻訳が必要）チェックボックスを選択し、Ｖｉｓｉｏｎ（視覚）、Ｈｅａｒｉｎｇ（聴覚）、Ｐｈｙｓｉｃａｌ（身体的）、Ｅｍｏｔｉｏｎａｌ（情緒的）、Ｃｏｇｎｉｔｉｖｅ（認識）の理由による有効なチェックボックス選択肢により、患者の学習能力に対する１以上の障害を選択する。患者評価スクリーン970により、ユーザは図９ｄに示されているＶｅｎｏｕｓ  Ａｃｃｅｓｓ（静脈アクセス）セクションの適切なＩＶ  Ｔｙｐｅ（ＩＶタイプ）とＮｅｅｄｌｅ  Ｇａｕｇｅ（針の太さ）ドロップダウンフィールドを設定する。ユーザはＤｅｆａｕｌｔボタンのクリックによりこれらをデフォルトし、または“ｏｔｈｅｒ”（その他）選択肢がＧａｕｇｅ（直径）に対して選択されるならば、ユーザは設けられたＳｐｅｃｉｆｙ（特定）フィールドに針のサイズを入力できる。ユーザはさらにＳｉｔｅ（サイト）ドロップダウンリストからＩＶのサイトを選択し、Ｓｔａｒｔ  Ｔｉｍｅ（開始時間）フィールドにＩＶの開始時間を入力し、Ａｄｍｉｎｉｓｔｅｒｅｄ  Ｂｙ（担当）ドロップダウンリストからＩＶを開始する臨床員の名前を選択し、既存のＩＶが使用されるならば、Ｅｘｉｓｔｉｎｇ  ＩＶ（既存のＩＶ）チェックボックスを選択する。
【００８４】
手順を行う前に、ユーザはさらに図９ａの事前手順タブ900によりＰｈｙｓｉｃａｌ  Ｅｘａｍ（身体検査）メニュー選択肢920を選択することができ、これは身体検査スクリーン（図示せず）を表示させ、ユーザが患者の身長と体重等（インチまたはセンチメートル／ポンドまたはキログラムによる患者の自己評価及び実際の身長と体重（システムは計算によって他の単位フィールドを埋める））と、（良好または病的として患者の見た目を選択するためドロップダウンリストから）通常の見た目、栄養状態（ドロップダウンリストから患者の栄養状態が良好、不良またはやつれているかを選択）、公認の年齢、見た目、（例えばドロップダウンリストから患者の顔色が普通、蒼白、黄疸、発疹であるかを選択）顔色、（患者の皮膚の触診が暖かいか、冷たいか、乾燥しているか、或いは発汗しているかをドロップダウンリストから選択）皮膚の触診、（例えばリストされた選択肢においてＹｅｓ／Ｎｏ無線ボタンのクリックによる）ＧＩシステム機能の情報、および（例えばドロップダウンリストからのＫａｒｎｏｖｓｋｙ  Ｓｔａｔｕｓ情報等の）その他の情報を記録することを可能にし、これは医師が検査を開始する前が適切である。ＧＩおよび気管支の部門では異なる身体検査スクリーンが存在し、ユーザは身体検査スクリーンをアクセスする前に検査を選択しなければならない。患者の身体検査の記録はその後変更されることができる。
【００８５】
任意の手順を行う前に、患者の生存兆候、薬物情報、手順間評価情報を記録することが有効である。したがって手順の実行前に、ユーザは図９ａの事前手順タブ900からＶｉｔａｌｓ  ａｎｄ  Ｍｅｄｓ（生存兆候と薬物）メニュー選択肢922を選択でき、これは図９ｅに示されているような生存兆候と薬物スクリーン980を表示させ、ユーザが患者の生存兆候と、投与する薬物の情報を入力することを可能にする。さらに、図９ｅの生存兆候と薬物スクリーン980のディスプレイにより、ユーザは患者を比較するために事前手順Ａｌｄｒｅｔｅスコアも記録する。図９ｅに示されているように、生存兆候と薬物スクリーンインターフェースは２つのタブ、Ｖｉｔａｌｓ  ａｎｄ  Ｍｅｄｓ（生存兆候と薬物）とＡｓｓｅｓｓｍｅｎｔ（評価）タブを含んでいる。生存兆候および薬物タブは２つの表示されたセクション、即ち、例えば脈拍、呼吸、心収縮、心拡張、Ｏ２飽和、Ｏ２の量及び方法、体温のような患者の情報を入力するための行を含んでいる生存兆候セクションと、異なるケア相の期間に投与される薬物についての情報を含んでいる患者に対する薬物のセクションとを含んでいる。評価タブはその他の２つのセクション、即ち行動、呼吸、循環、意識、Ｏ２飽和、包帯、痛み、歩行、断食−摂食、尿の出具合についてのスコアであるＡｌｄｒｅｔｅスコアのセクションと、検査前または検査期間中の患者の手順間観察を含んでいる手順間評価セクションを含んでいる。この情報はＬＯＣ（意識レベル）、皮膚／循環、リズムストリップ、情緒状態、痛み、注釈からなる。
【００８６】
さらに図９ｅに示されているように、生存兆候と薬物980は各読取り時に患者の生存指標のデータの値でポピュレートされた生成された列を表示している。即ち各列が生成され、示されているように時間の瞬間（即ち“タイムスタンプ”）に関連される。新しい患者の生存兆候データが入力される度に、列はインターフェースの右側の部分に生成される。生存兆候及び薬物スクリーンを介して列を付加するため、ユーザは現在の時間に関連する列を付加させるための機能を開始するようにアイコンをクリックする。列はしたがって現在の時間で生存兆候及び薬物のディスプレイに付加される。患者の生存兆候及び薬物情報は異なる時間間隔で捕捉されることができる。しかしながら、デフォルトによって、ユーザは図９ｅの生存兆候及び薬物のスクリーンの１つの列だけを見ることができる。それ故、ユーザは異なる時間間隔でさらに列を付加することができる。生存兆候及び薬物スクリーンを介して多数の列を付加するために、ユーザは多数の列を付加させるための機能を開始するためのアイコンをクリックできる。特に、多数の列の付加ウィンドウが表示され、ユーザは日付を入力するために日付アイコンをクリックするか、手作業でそれをタイプすることができる。デフォルトによって、現在の日付が与えられる。ユーザはさらに、時間を入力するために時間アイコンをクリックするかそれを手作業でタイプできる。デフォルトによって、現在の時間が与えられる。さらに、ユーザは時間間隔および列をそれぞれＩｎｔｅｒｖａｌ  ａｎｄ  Ｃｏｌｕｍｎｓ（間隔および列）フィールドに入力することを可能にされる。したがって、患者の生存兆候情報を記録するために、最初に列が生存兆候及び薬物タブの生存兆候に生存兆候値を記録するために利用可能である必要がある。そうではないならば、ユーザは１または多数の列を付加するように促される。値はその後スライダインターフェースエントリ機構、スピナー、またはテキストボックスを使用して任意または全ての生存兆候（Ｏ２を除く）に入力されることができる。
【００８７】
さらに生存兆候及び薬物情報が手順のケア相中に生存兆候及び薬物インターフェースを介して記録されることができることが理解されるべきである。任意の情報が検査の事前手順相の期間に記録されるならば、この情報は手順中にスクリーンに表示される。
【００８８】
手順を行う前に、医師が検査前に患者の彼／彼女の再検討を文書化する必要がある。したがってユーザが図９ａの事前手順タブ900を介してＰｈｙｓｉｃｉａｎ  Ｃｈｅｃｋｓ（医師チェック）メニュー選択肢923を選択することができ、これは図９ｆに示されている医師検査スクリーン990を表示させ、それによってユーザは、医師が看護婦の文書の再検討を行うことを示すためＮｕｒｓｅ  Ｄｏｃｕｍｅｎｔａｔｉｏｎ  Ｒｅｖｉｅｗｅｄ（看護婦の文書の再検討）チェックボックスを選択し、表示されるＦｏｃｕｓｅｄ  Ｐｈｙｓｉｃｉａｎ  Ｅｘａｍ（綿密な医師の検査）セクションにリストされている各アイテムのＮｏｒｍａｌ（正常）またはＡｂｎｏｒｍａｌ（異常）無線ボタンを選択することができる。選択されていない無線ボタンを正常に設定するため、ユーザはＳｅｔ  Ｕｎｓｅｌｅｃｔｅｄ  Ｔｏ  Ｎｏｒｍａｌ（選択されていないボタンを正常に設定）ボタンをクリックできる。これは彼らが正常である場合には便利である。アイテムが異常に設定されているならば、対応する詳細フィールドが情報のエントリを可能にするためにエネーブルされる。ユーザはさらにＡＳＡ（米国麻酔医協会）の身体状態弁別ドロップダウンリストから値を選択し、Ｐａｔｉｅｎｔ  ｉｓ  ｓｕｉｔａｂｌｅ  ｃａｎｄｉｄａｔｅ  ｆｏｒ  ｐｌａｎｎｅｄ  ｐｒｏｃｅｄｕｒｅ  ｗｉｔｈ（患者が右記の計画された手順に対して適切な候補である）ドロップダウンリストからアイテムを選択し、Ｌｅｖｅｌ  ｏｆ  Ｃｏｎｓｃｉｏｕｓｎｅｓｓ（意識レベル）ドロップダウンリストからアイテムを選択し、適切であるならばＥｍｅｒｇｅｎｃｙ  Ｅｑｕｉｐｍｅｎｔ  Ａｖａｉｌａｂｌｅ（緊急装置が利用可能）チェックボックスを選択し、標準的な規準がチェックボックスを満たしているとき、Ａｕｔｈｏｒｉｚｅ  Ｐｏｓｔ−Ｐｒｏｃｅｄｕｒｅ  ｄｉｓｃｈａｒｇｅ（許可された事後手順を遂行）を選択し、適切であるならば、Ｒｅｖｉｅｗｅｄ  Ｂｙ（再検討人）ドロップダウンリストから医師のチェックを行う臨床員の名前を選択する。これは強制フィールドであり、記録が保存されることができる前に、満たされなければならない。さらにユーザは医師のチェックが行われた日付を手によるか日付アイコンの使用によって入力することにより行い、医師のチェックが行われた時間を手によるかＴｉｍｅ（時間）アイコンの使用によって入力することにより提供する。
【００８９】
さらに、図９ａの事前手順タブ900を介して、ユーザは図８ｅに関してここで説明したように知識ベースから用語を選択するための用語辞書機能にアクセスする。説明したように用語辞書はケア相に基づいて、知識ベースの内容を異なる報告セクションに構成する。これらの報告セクションは用語辞書スクリーンにタブとして現れ、事前手順のケア相では、報告セクションは“ｉｎｄｉｃａｔｉｏｎｓ”（指示）、Ｕｎｐｌａｎｎｅｄ  ｅｖｅｎｔｓ（計画されていない事象）、コードを含んでいる。したがって用語辞書により、ユーザはＢｉｌｌｉｎｇ  Ｃｏｄｅｓ（料金請求コード）を選択されたキーワードに関連付ける能力を与えられる。ユーザは手順ノードのこれらのコードを使用し、したがって行われたサービスに対してあるその他の医療機構に料金請求する。用語辞書スクリーンにより料金請求コードに選択されたキーワードに関連付けるため、ユーザは料金請求コードを関連付けたいキーワードを選択し、Ｃｏｄｅ  Ｓｅｔ（コードセット）ドロップダウンリスト（図示せず）からコードセットのタイプを選択する。ユーザが検索しているコードの数をＮｕｍｂｅｒ（数）フィールドに入力した後、ユーザはコードの説明をＤｅｓｃｒｉｐｔｉｏｎ（説明）フィールドに入力し、システムは入力された検索規準に基づいて料金請求コードのリストを表示することにより応答する。ユーザが任意の検索規準を入力しないならば、選択されたコードセットからの全ての料金請求コードが表示され、そこからユーザは１以上の料金請求コードを選択できる。
【００９０】
さらに、図９ａに示されている事前手順タブ900を介して、ユーザはＰｒｅ−Ｐｒｏｃｅｄｕｒｅ  Ｓｕｍｍ（事前手順の要約）メニュー選択肢924を選択し、これは図９ｇに示されている事前手順要約スクリーン995を表示させ、ユーザが事前手順の要約および看護婦のハンドオフ情報を記録、再検討および／または編集することを可能にする。これは予備状態、同意、現在の薬物と、身体検査からの異常な発見物を含んでいる。事前手順の要約情報を記録するため、ユーザは事前手順要約スクリーン995にアクセスし、ＹｅｓまたはＮｏ無線ボタンを選択して、事前手順の看護婦報告が与えられているか否かを示す。Ｅｄｉｔ（編集）ボタンがＣａｐｔｕｒｅ  Ｖｉｓｉｔ  Ｔｉｍｅｓ（通院回数の捕捉）スクリーンを表示するためにクリックされ、ここからユーザは事前手順の終了日時をＤａｔｅ  ａｎｄ  Ｔｉｍｅ（日時）アイコンを使用して入力する。予備看護婦の名前もＰｒｅｐ  Ｎｕｒｓｅ（予備看護婦）ドロップダウンリストから選択可能であり、手順室の看護婦の名前はＲｏｏｍ  Ｐｒｅｐ  Ｎｕｒｓｅ（手順室の予備看護婦）ドロップダウンリストから選択可能である。任意の他の関連情報はこのディスプレイによってＮｕｒｓｉｎｇ  Ｎｏｔｅｓ（看護ノート）フィールドに入力されることができる。事前手順要約情報は図９ｇのスクリーンディスプレイを介して変更されることが理解されよう。
【００９１】
さらに、図９ａに示されている事前手順タブ900を介して、ユーザはＰｒｅ−Ｐｒｏｃｅｄｕｒｅ  Ｄｏｃｓ（事前手順の文書）メニュー選択肢926を選択し、これは文書分配スクリーン（図示せず）を表示させ、これは図８ｆに関してここで示されているような方法で事前手順情報に関する文書を印刷及び分配することを可能にする。生成された文書はｅメールまたはファックスにより分配される。文書は印刷または分配する前に再検討および編集され、ユーザは各文書形式で受取人リストを編集できる。
【００９２】
ユーザはまだ捕捉されていないカスタム事前手順通院情報を他のスクリーンに記録するために図９ａの事前手順タブ900を介して、他の通院情報スクリーン（図示せず）にアクセスできる。特定の施設の要求に基づいて、システムは検査が選択されたならば、特別な情報を記録するために使用されることができる。
【００９３】
［手順タブ］  
さらに、手順タブ1000（図１０ａ）に関して、ユーザが事前手順の要約を再検討し、患者の通院情報を変更し、検査中に使用されるアイエムを記録し、内視鏡情報を管理し、映像を捕捉し、ビデオクリップを記録し、病状および標本情報を変更し、患者の生存兆候と薬剤を記録し、他の検査情報を観察し、用語辞書を更新し、プリンタ（Ｍａｖｉｇｒａｐｈ）待ち行列を管理し、手順文書を管理し、看護施与情報を記録し維持することを可能にする機能が与えられる。
【００９４】
手順を行う前に、医師は次の情報を観察する必要があり、即ち、医師に検査の詳細を与えるためにスケジュールされた検査の詳細、患者についての事前手順情報を映像化するための事前手順の要約、別の通院／検査が患者に対して必要な場合の通院情報、結果およびラボラトリの検査を観察するための病状記録、手順に使用される装置についての情報を捕捉するために必要な任意の装置である。したがって、図８ａに関してここで説明する機能にしたがって、ユーザは検査の詳細を観察し、検査を検索し、または新しい通院を付加するため手順タブを介してスケジュールされた検査選択肢を観察できる。
【００９５】
さらに、手順タブ1000を介して、図１０ａに示されているように、ユーザはＰｒｅ−Ｐｒｏｃｅｄｕｒｅ  Ｓｕｍｍａｒｙ（事前手順の要約）メニュー選択肢1001を選択でき、これはここで図１０ｂに関してここで示し説明した事前手順の要約スクリーン1020を表示させ、ディスプレイスクリーンの事前手順のケア相期間に得られた情報の概要の自動的なポピュレーションを可能にする機能を提供する。
【００９６】
さらに、手順タブ1000により、ユーザはＭｏｄｉｆｙ  Ｖｉｓｉｔ（通院変更）メニュー選択肢1002を選択でき、これはユーザが患者の通院をスケジュールし、図８ｃに関してここで示し説明したように、既存の通院記録を変更することを可能にする。
【００９７】
さらに、手順タブ1000により、ユーザはＥｑｕｉｐｍｅｎｔ  Ｕｓｅｄ（使用される装置）メニュー選択肢1003を選択でき、図１０ｃに示されているように使用される装置スクリーン1030を表示させる。使用される装置のスクリーン1030を介して、ユーザは特に表示されたＭｅｄｉａ（媒体）セクションに媒体情報を付加するか、Ａｃｃｅｓｓｏｒｙ（アクセサリ）の隣のＮｅｗ（新しい）ボタンをクリックすることによって、検査に使用される装置に関する情報を記録し、アクセサリセクションに新しいエントリを付加し、ユーザがＣａｔｅｇｏｒｙ（カテゴリ）ドロップダウンリストからアクセサリカテゴリを選択し、アイテムの数と品質を入力することを可能にする。Ｅｑｕｉｐｍｅｎｔ（装置）の隣のＡｄｄ（付加）ボタンをクリックすることにより、Ｅｑｕｉｐｍｅｎｔ  Ｄｅｔａｉｌ（装置の詳細）スクリーン（図示せず）が表示され、そこからユーザはカテゴリドロップダウンリストからアクセサリカテゴリを選択できる。ユーザが例えばカテゴリドロップダウンリストからＥｌｅｃｔｒｏｓｕｒｇｉｃａｌ  Ｇｅｎｅｒａｔｏｒｓ（電気外科発生器）を選択したならば、Ｅｌｅｃｔｏｃａｕｔｅｒｙ（電気メス）セクションがエネーブルされ、それによってユーザは例えば通し番号等の他の装置情報を入力できる。使用された装置と装置の詳細スクリーンの全ての入力された装置情報が保存されることができる。
【００９８】
手順の実行に関して、実際の検査中、ユーザは、内視鏡情報を管理し、映像を捕捉しビデオクリップを記録し、病状及び標本情報を変更し、患者の生存兆候と薬物情報を記録し、他の検査情報を観察し、ｍａｖｉｇｒａｐｈプリンタの待ち行列を管理し、文書を分配し、看護施与情報を維持することができる。
【００９９】
したがって、手順タブ1000により、ユーザはＩｍａｇｅ  Ｃａｐｔｕｒｅ（映像捕捉）選択肢1004を選択でき、これは図１０ｄに示されているような映像捕捉インターフェーススクリーン1050の発生及び表示を可能にし、これによってユーザは映像を捕捉しビデオクリップを記録し、これらの映像を変更し消去し、これらを報告文書に組込む能力を与えられる。使用される内視鏡装置がアプリケーションに接続されないならば、装置が通信できないという警報メッセージが発生され、ユーザは内視鏡装置がシステムに接続されていることを確認するように促される。
【０１００】
最初に、映像捕捉スクリーン1050を介して、ユーザは図１０ｄに示されるインターフェースのＡｄｄ  Ｓｃｏｐｅ  Ｉｎｆｏｒｍａｔｉｏｎ（内視鏡情報の付加）セクション1052を介して内視鏡情報を付加及び消去できる。典型的に、使用される内視鏡装置は内視鏡の名称、通し番号等の情報を提供するＩＤチップを含んでおり、このデータはビデオプロセッサを通してＥＷシステム（例えば映像ノード）に送信される。システムはこのデータを受信するとき、新しい内視鏡情報を自動的に付加する。内視鏡がＩＤチップを含んでいないならば、ユーザは手作業で新しい内視鏡情報を付加できる。新しい内視鏡情報を付加するために、ユーザはＳｃｏｐｅ  Ｉｎｆｏｒｍａｔｉｏｎ（内視鏡情報）の右側のＮｅｗボタンをクリックし、検索アイコンをクリックし、内視鏡のタイプを位置付け、これは表示されたＳｃｏｐｅ  Ｍｏｄｅｌ（内視鏡モデル）ドロップダウンリスト（図示せず）を介して付加される必要がある。ユーザは内視鏡モデル番号と通し番号を選択できる。ユーザはさらに現在の時間を入力するためにＴｉｍｅ（時間）アイコン1053を選択するか、手作業でタイプし、継続期間と内視鏡が使用されるＴｏｔａｌ  Ｄｕｒａｔｉｏｎ（総期間）時間を計算するための機能を開始するＣａｌｃｕｌａｔｅ  Ｄｕｒａｔｉｏｎ（期間計算）アイコン1054をクリックする。
【０１０１】
手順期間中、映像を捕捉するために、ユーザは映像をフリーズするようにＰａｕｓｅ（ポーズ）アイコンをクリックする。映像を捕捉するため、ユーザはＣａｐｔｕｒｅ（捕捉）アイコンをクリックし、これは図１０ｄに示されているように映像（Ｉｍａｇｅ）ボックス1055に映像を表示するための機能を開始する。ユーザが映像をダブルクリックするならば、映像は図１０ｄの拡大映像1056により示されているように、さらに大きな空間で表示されて発生される。検査期間中、内視鏡装置が接続を外されるならば、ユーザはシステムを再度開始しなければならず、即ち装置を映像捕捉スクリーン内のシステムに再度接続する。システムは自動的に再開するか、手作業でリセットされる。
【０１０２】
映像捕捉に関して、システムは３つのマスク設定、即ち自動マスク、一次、二次設定を行う。Ｔｏｇｇｌｅ  Ｍａｓｋ（トグルマスク）機能はユーザがこれらのビデオ設定間でトグルすることを可能にするために設けられている。システムの管理者が自動マスク設定を適用するならば、ユーザはこれらのビデオ設定間で切換えるか、新しいビデオ設定を選択する。例えばマスクドロップダウンリスト1058の隣に位置するトグルマスクボタン1057をクリックすることにより、自動マスク設定は一次設定に変化する。再度トグルマスクボタンをクリックすることにより、一次設定は二次設定に変更される。内視鏡がシステムに接続されているならば、デフォルト自動マスク設定が適用される。ユーザはマスクドロップダウンリストから設定を選択することによってデフォルト自動マスク設定を変更できる。
【０１０３】
ビデオクリップを記録するため、ユーザはＲｅｃｏｒｄ  Ｃｌｉｐｓ（クリップ記録）アイコン1059aをクリックし、これはビデオクリップを記録し、映像管理セクション1055を介して後にプレイバックするためクリップを記憶する機能を可能にし、またはＶｉｄｅｏ  Ｃｌｉｐｓ（ビデオクリップ）を消去する。さらにクリップの消去に関して、Ｄｅｌｅｔｅ  Ｃｌｉｐｓアイコン1059bをクリックすることにより、全てのセーブされていないビデオクリップがスクリーン（図示せず）で表示され、これはユーザが消去されるクリップを選択することを可能にする。
【０１０４】
内視鏡手順の実行中にシステムにより可能にされる更に別の機能はＬａｂ（ラボラトリ）、Ｓｐｅｃｉｍｅｎ（標本）、Ｃｙｔｏｌｏｇｙ（細胞学）、Ｂｉｏｈａｚａｒｄ（生物学的危険）の詳細のような病状および標本情報を捕捉し、観察する能力である。したがって、図１０ａの手順タブ1000を介して、ユーザはＰａｔｈｏｌｏｇｙ  Ｒｅｑｕｅｓｔ（病状リクエスト）メニューオプション1005を選択することができ、これは図１０ｅに示されているような選択された検査の病状リクエストスクリーン1060の発生と表示を可能にする。病状リクエストスクリーンを介して病状リクエスト記録を生成するために、ユーザは付加ボタンを選択して、Ｌａｂドロップダウンリストからラボラトリの選択を可能にし、ジャー番号、集収方法、標本情報を含むその他の関連情報を標本記録（図示せず）に関連する標本セクションに入力する。検査中、ユーザはさらに病状リクエスト及び標本記録に対して編集または必要な変更を行うことができ、または病状リクエストスクリーンを介して記録を付加または消去する。
【０１０５】
手順中、患者の生存兆候、薬物情報、手順間評価情報を記録することが有効である。したがって、ユーザは図１０ａの手順タブ1000から生存兆候及び薬物メニュー選択肢1006を選択でき、これは図９ｅに関してここで詳細に説明した方法でグラフィックユーザインターフェースを介して、生存兆候および薬物スクリーン（図示せず）を表示させ、ユーザに患者の生存兆候と投与される薬物情報を入力させる。
【０１０６】
さらに、図１０ａの手順タブ1000を介して、ユーザは図８ｅに関してここで説明したように知識ベースから用語を選択するために用語辞書機能1007にアクセスする。用語辞書の１特性は知識ベースがケア相に基づいて異なる報告セクションに対して内容を構成することである。ファシリティはケア相（内視鏡手順ライフサイクル段）において用語辞書スクリーンで利用可能であるべき報告セクションを決定する。したがってユーザは報告セクションと現在の検査に対するアイテムの階層ツリー（メニュー及びキーワード）を表示するために報告セクションを選択し、用語辞書インターフェースのツリーは利用可能なアイテムを表示する。したがって例えば医師が胃の膣前壁に小さいポリープを発見したならば、用語辞書スクリーンは図１０ｆに示されているようにディスプレイ1065を生じる。
【０１０７】
前述したように、手順のケア相期間中には、プリンタ（例えばＭａｖｉｇｒａｐｈ）待ち行列を管理し、手順文書を管理し、看護施与情報を記録し維持することが可能である。
【０１０８】
したがって、図１０ａの手順タブ1000を介して、ユーザはＭａｖｉｇｒａｐｈ  Ｐｒｉｎｔｉｎｇスクリーン（図示せず）を発生するＭａｖｉｇｒａｐｈ  Ｐｒｉｎｔｉｎｇメニュー選択肢1008を選択し、ユーザが特に施設情報を入力してプリンタを選択することにより、例えばＭａｖｉｇｒａｐｈのようなプリンタ装置の印刷待ち行列を検索することを可能にする。このスクリーンにより、ユーザは例えばＩｍａｇｅｓ  ｐｅｒ  Ｐａｇｅ（ページ当りの映像）ドロップダウンリストからのページにおいてユーザが印刷する必要のある映像番号を選択し、図１０ｇに示されているＰｒｉｎｔ  Ｏｎ  ｍａｖｉｇｒａｐｈインターフェーススクリーン1070に示されているようにＡｎｎｏｔａｔｉｏｎｓ（注釈）、Ｅｎｈａｎｃｅｍｅｎｔｓ（強調）、Ａｎａｔｏｍｉｃａｌ  Ｄｉａｇｒａｍ（解剖図）から１以上の印刷選択肢を印刷することにより、さらに現在の検査の映像を印刷できる。
【０１０９】
このケア相によるさらに別の機能は手順タブ1000によりＰｒｏｃｅｄｕｒｅ  Ｄｏｃｓ（手順文書メニュー選択肢）1009を選択することによって手順文書を管理する能力を含んでおり、これは図１０ｈに関してさらに詳細にここで示され説明されたようにＤｏｃｕｍｅｎｔ  Ｄｉｓｔｒｉｂｕｔｉｏｎ（文書分配）スクリーン1075を表示させる。文書分配スクリーン1075により、ユーザは文書分配スクリーンからの文書を再検討し、編集し、印刷し、さらに受取人を選択し、印刷、ｅメールまたはファックスによって患者及び検査が関係する文書を目的とする受取人（例えば臨床員）へ分配させる。
【０１１０】
手順中、さらに管理施与情報を捕捉し維持することが有効である。したがって、図１０ａに示されている手順タブ1000を介して、ユーザは図１０ｉに示されているように選択された検査の看護施与スクリーン1080の発生と表示を可能にする。看護管理スクリーン1080を介して、ユーザはＣａｐｔｕｒｅ  Ｖｉｓｉｔ  Ｔｉｍｅｓ（通院回数捕捉）スクリーンを表示するためにボタン1081をクリックし、これはユーザがＲｏｏｍ  Ｉｎ（部屋に入出）日時、Ｐｒｏｃｅｄｕｒｅ／Ｓｅｄａｔｉｏｎ  Ｓｔａｒｔ（手順／鎮静開始）時間、Ｐｒｏｃｅｄｕｒｅ  Ｅｎｄ（手順終了）時間、Ｒｏｏｍ  Ｏｕｔ（部屋を退出）日時を入力することを可能にする。ユーザはさらにそれぞれ表示されたＳａｆｅｔｙ（安全）およびＰｏｓｉｔｉｏｎ（位置）セクションで関連する安全及び位置情報を入力し、Ｒｅｓｏｕｒｃｅ（リソース）ドロップダウンリストから現在の医療員情報を選択できる。Ｓｃｈｅｄｕｌｅｄ（スケジュール）ボタンのクリックにより、ユーザはさらに手順に割当てられた医療人員をＡｓｓｉｇｎｅｄ（割当て）テキストボックスに入力し、さらにＲｏｏｍ  Ｎｕｒｓｅ（病室の看護婦）とＲｅｃｏｖｅｒｙ  Ｎｕｒｓｅ（回復室の看護婦）についての情報をＨａｎｄｏｖｅｒ（ハンドオーバー）セクション1082へ入力する。
【０１１１】
［事後手順タブ］  
さらに事後手順タブ1100（図１１ａ）に関して、ユーザがＩＣＵモードで映像を同期し、検査映像を管理し、映像をｍａｖｉｇｒａｐｈまたはレーザプリンタに印刷し、検査のために手順ノートを作成し、手順ノートに署名し、患者の現在の生存兆候と薬物情報を収集し、患者の回復シートを準備し、患者のリコール状を作成し、訓練者の評価を行い、料金請求報告書、手順ノート、紹介状のような事後手順文書を分配することを可能にする機能が与えられる。
【０１１２】
手順の実行後、医師は以下の動作、即ちＩＣＵモードで映像を同期し、映像を管理し、臨床的な用語辞書を再検討／編集し、手順ノートを作成し、患者の現在の生存兆候と薬物情報を記録し、患者の回復シートを準備し、患者をリコールする手紙を準備し、患者の満足度の調査を完了し、訓練者の評価を行い、事後手順文書を分配する動作を行うことができる。
【０１１３】
図１１ａに関してここで説明した機能にしたがって、ユーザがＩＣＵモードで検査を行っているとき、彼／彼女の映像ステーションはネットワークサーバ（図１のａを参照）に接続されておらず、即ちネットワークから物理的に接続を外されている。アプリケーションは全ての必要なデータの捕捉をサポートし、検査を行い、ネットワークに再度接続されるまで情報を記憶する。局部的に記憶されたデータはその後サーバのデータベースにアップロードされる。したがって、例えば検査が終了されるとき、ユーザは映像及びデータをワークワークステーションからサーバのレポジトリへアップロードし、同期しなければならない。１実施形態では、ユーザがワークステーションをントに再度接続し、システムにログインするとき、ユーザは一連のコマンドを入力し、これは検査中に捕捉された映像及びデータをアップロードし、同期するための機能を開始する。
【０１１４】
したがって、ここで説明する機能に従って、ユーザは最初に検査の詳細を観察し、検査を検索し、または新しい通院を付加するため図１１ａの事後手順タブ1100を介してメニュー選択肢1102を選択することによってＳｃｈｅｄｕｌｅｄ  Ｅｘａｍｓ（スケジュールされた検査）から検査の詳細を観察することができる。
【０１１５】
さらに、図１１ａの事後手順タブ1100を介して、ユーザはＩＣＵ  Ｓｙｎｃｈｒｏｎｉｚａｔｉｏｎ（ＩＣＵ同期）メニュー選択肢1104を選択でき、これは図１１ｂに示されているように、ＩＣＵ同期スクリーン1130を表示させ、データベース内でＩＣＵモードで映像を同期する。ユーザはＩＣＵモードで行われる選択されたモードで検査のリストを表示するために発生するＮｏｄｅ（ノード）ドロップダウンリストからノードを選択する。ユーザが同期される検査を選択した後、ＩＣＵ検査スクリーンが最も可能性の高い一致のリストと共に表示される。ユーザはスケジュールされた検査を検索し、または検査が一致のリストにないならば、ユーザ検索入力に基づいて、ディスプレイの検査のリストを検索する。ユーザが同期される検査の隣のＳｙｎｃｈｒｏｎｉｚｅ  Ｔｈｉｓ  Ｅｘａｍ（この検査を同期）アイコンをクリックし、選択された検査の同期を開始する。Ｐｏｓｔ  Ｐｒｏｃｅｄｕｒｅ（事後手順）タブ内のＩｍａｇｅ  Ｍａｎａｇｅｍｅｎｔ（映像管理）スクリーンへのエントリは同期が適切に行われたか否かを確認する。ユーザが同期する検査を見つけなかったならば、ユーザは新しい通院を生成し、したがって検査を通院に付加する。
【０１１６】
特に、ユーザはＩＣＵ検査スクリーンを介して、Ｆａｃｉｌｉｔｙ（施設）ドロップダウンリストから通院する施設を選択し（例えばデフォルト施設はユーザが現在ログインしている施設である）、Ｖｉｓｉｔ  ＩＤフィールドに通院ＩＤを入力する。通院ＩＤは通院するための特有の施設に与えられた識別子であり、Ｐａｔｉｅｎｔ  Ｓｅａｒｃｈ（患者の検索）スクリーンを表示するため、Ｐａｔｉｅｎｔ（患者）フィールドの隣の患者検索アイコンをクリックする。患者の記録が患者検索フィールドで発見されないならば、患者の新しい記録がＮｅｗ  Ｐａｔｉｅｎｔ（新しい患者）アイコンをクリックすることにより作成され、それによって同期のためリソースを割当てるためここで説明した機能を有するＰａｔｉｅｎｔ  Ｄｅｍｏｇｒａｐｈｉｃｓ（患者の人口統計）ウィンドウを表示する。映像及びデータはレポジトリに同期され、ＩＣＵ同期スクリーンが再度表示される。同期が適切であったか否かを確認するため、ユーザはＩｍａｇｅ  Ｍａｎａｇｅｍｅｎｔ（映像管理）メニュー選択肢1106を選択することにより、映像管理機能にナビゲートし、図１１ｃおよび１１ｄに関してここで示し説明するような映像管理スクリーン1140を表示させ、それは手順中に捕捉された映像を管理する機能を行い、特に映像に注釈を付け、映像または関連する発見物を映像にラベル付けし、映像の詳細を表示し、映像の品質を強化し、映像を取り入れ、搬出し、他の検査映像を観察し、映像をｍａｖｉｇｒａｐｈまたはレーザプリンタで印刷し、映像を消去する。
【０１１７】
取り入れ映像ボタンの選択により、フォルダ中の幾つかの検査映像が取り入れ映像機能を使用して（Ｉｍｐｏｒｔ  ａｎ  Ｉｍａｇｅ  ｔｏ  ｔｈｅ  ｃｕｒｒｅｎｔ  ｅｘａｍ（映像を現在の検査に取り入れる）アイコンをクリックすることにより）現在の検査に取り入れられることができる。Ｅｘｐｏｒｔ  ｔｈｅ  ｓｅｌｅｃｔｅｄ  Ｉｍａｇｅ（選択された映像を搬出する）アイコン1142の選択により、映像ファイルは記憶するため映像管理スクリーン1140を介して例えば映像搬出機能を使用してＢＩＴＭＡＰ、ＪＰＧまたはＴＩＦＦ映像を含む目的地フォルダに搬出される。
【０１１８】
映像のある臨界的領域を強調またはコメントするために、ユーザは線、円、省略符号、矢印、テキストを注釈として付加でき、さらに注釈の色、形状、寸法、位置を変更してもよい。映像管理インターフェースを介して生成された注釈はオーバーレイとして記憶され、本来の映像に影響せず、さらに注釈を示すか隠すことができる。選択された検査において映像に注釈をつけるために、図１１ｃの映像管理スクリーン1140は選択された検査中に捕捉された全ての映像を表示し、そこからユーザは映像リスト1145から注釈をつけるための映像をクリックして選択できる。
【０１１９】
表示された注釈メニュー1147から適切な形状アイコンを選択することにより、図１１ｃに示されている選択された映像1133において示されている例示的な注釈1132のように、ライン、長方形、省略符号または円がクリックされ、映像へドラッグされることができる。選択された形状は映像上に現れ、ここでテキストメッセージがテキストアイコンの選択により挿入され、これは映像上にテキストボックスを生成するためにドラッグされる。
【０１２０】
映像の形状を動かすため、ユーザは選択された映像上で選択アイコン1148を選択し、彼／彼女が所望の位置へ移動及びドラッグしようと望む以前に生成された注釈形状をクリックする。選択モードアイコンは新しい映像の描写から既存の映像の選択へ前後に切換えるために使用される。別の形状を描写するため、ユーザは再度Ｄｒａｗｉｎｇ  Ｍｏｄｅ（描写モード）に切換えるために選択モードアイコン1148をクリックする。ユーザはさらに映像の形状を消去する。
【０１２１】
映像を強化するため、ユーザは選択された映像上でＥｎｈａｎｃｅ  Ｉｍａｇｅ（映像強化）アイコン1151を選択し、これは所望ならば映像の寸法を変更するためのズームスライダ、所望ならば映像の鮮明さを変更するための鮮明度スライダ、所望ならば映像のコントラストビューを変更するためのコントラストスライダ、所望ならば映像の輝度を増加または減少するための輝度スライダを含めた強化ウィンドウ（図示せず）の表示を開始する。強化された映像はリセットボタンのクリックにより、本来の設定へリセットされることができる。
【０１２２】
ユーザはさらに、注釈の指示／隠しアイコン1153をクリックすることにより、選択された映像における注釈を指示または隠す機能を選択でき、さらに他の検査映像を観察する機能を開始できる。患者が施設内で類似の検査を受け、ユーザがその検査からの映像を観察することを望むならば、他の検査ドロップダウンリスト1155が与えられ、ユーザが他の検査からの映像結果を選択することを可能にする。図１１ｄの例示的な映像管理スクリーン1140’に示されているように、ユーザが比較するため、捕捉された映像の現在の映像リストの表示と同時に、映像リスト1156フォーマットを表示するために他の検査映像がアクセスされ、生成される。
【０１２３】
図１１ｃに戻り参照すると、インターフェースを介して、ユーザは他の検査ドロップダウンリストの隣の大きい映像の観察アイコンを使用して、他の検査からの映像を拡大し、さらに手順ノートの観察アイコン1157を使用して他の検査で記録された手順ノートを観察する。手順ノートのタイトルバーは他の検査の日付およびタイプを含むことができる。
【０１２４】
ユーザが映像に関連付けるための発見をもたないときの状況では、ユーザは現在の検査アイコン1158から全ての選択された映像をラベル付けするためＬａｂｅｌをクリックすることにより映像管理スクリーンを介して将来識別するための映像にラベル付けでき、それによってラベルをラベルテキストエントリポップアップテキストボックス（図示せず）で入力できるＬａｂｅｌ（ラベル）ウィンドウを表示することが理解される。その結果、ラベルは映像管理スクリーンを介して変更されるか消去されることができる。
【０１２５】
ユーザはさらに、図１１ｃの映像管理スクリーン1140を介して現在の検査アイコン1159から全てのラベルされていない映像を消去するためにＤｅｌｅｔｅ（消去）を選択することによって単にクリックにより現在の検査から全てのラベル付けされていない映像を消去する。
【０１２６】
ユーザが特定の発見に関する映像を捕捉し、発見物の説明を捕捉された映像に関連付けることを希望するならば、用語辞書メニュー選択肢1107は図１１ｃに示されている映像管理スクリーン1100から選択され、知識ベースセクション1149を使用して発見物を入力する。最初に、選択された映像に対しては、Ｆｉｎｄｉｎｇｓ（発見物）タブ1156が表示された知識ベースセクションから選択され、発見物のタイトルは表示された知識ベースツリーからクリックされる。発見物の情報はここで説明した方法により発生され、知識ベースインターフェースの左側に現れる。その後、図１１ｃに示されている映像管理スクリーンから発見物の関連付けアイコン1160をクリックすることにより、発見物は選択された映像に関連付けられる。ユーザが発見物を映像に関連付けるとき、映像も印刷のマークをされる。
【０１２７】
発見物を映像との関連付けから解除するため、発見物を有する映像が選択され、関連付け解除アイコン1162はユーザによりクリックされる。ユーザが発見物を映像との関連付けから解除するとき、映像は印刷のマークを外されないことに注意する。
【０１２８】
本発明のシステムは任意の診療上の変化を文書化するために解剖図を提供する。ユーザがサイトを含む発見物を映像と関連付けるとき、点は発見物のサイトに対応して表示される。異なる検査のタイプに対しては異なる診療図が存在する。診療図を観察するため、ユーザは図１１ｃおよび１１ｄに示されている映像管理スクリーン1140を介して発見物に関連付けされる映像をクリックし、診療変更アイコン1163を選択して、図１１ｅに関して示されているような診療変更ウィンドウ1165を表示する。ユーザが、映像捕捉に関してここで説明したように、矢印、円、線、長方形、実線の長方形を選択された映像に描写するために診療変更スクリーンのツールバーを使用することによって診療図に注釈をつけることを可能にする機能がさらに与えられている。ユーザはさらにここで説明したように、テキストをタイプ及びフォーマットし、注釈を移動、隠し、消去することができる。
【０１２９】
図１１ｃに戻ると、ユーザが検査の映像を印刷することを望むならば、印刷する映像は最初に映像管理スクリーン1140を介して、印刷アイコン1172で選択された映像のＭａｒｋをクリックすることによりマークされ、例えばｍａｖｉｇｒａｐｈまたはその他の適切なプリンタで印刷されなければならない。好ましくは例えば図１１ｃで示されているように“Ｐ”のような適切な指示が捕捉される映像の角に設けられ、印刷する映像をマークする。その後、ユーザは映像のマークを解除するために印刷アイコン1173で選択された映像のＵｎｍａｒｋ（マーク解除）をクリックし、映像の右上の角の“Ｐ”指示を除去する。
【０１３０】
ｍａｖｉｇｒａｐｈプリンタで映像を印刷するために、印刷機能が現在選択されているｍａｖｉｇｒａｐｈプリンタに印刷ジョブを付加することにより与えられる。ユーザは１以上の印刷ジョブを印刷し、既存の印刷ジョブを再度印刷できる。したがって映像管理スクリーンで印刷される映像をマークした後、ユーザは図１１ｃの映像管理スクリーンからＭａｖｉｇｒａｐｈ印刷メニュー選択肢1108を選択でき、これはＭａｖｉｇｒａｐｈプリンタドロップダウンリストを表示し、ここからｍａｖｉｇｒａｐｈプリンタが選択されることができる。図１０ｇに関してここで説明したように、現在の検査では、ユーザがそれらの注釈を付けて映像を印刷することを望むならば、注釈チェックボックスが選択されることができ、Ｅｎｈａｎｃｅｍｅｎｔ（強化）チェックボックスは鮮明度、コントラスト、輝度に関する強化を行った映像を印刷するために選択されることができ、Ａｎａｔｏｍｉｃａｌ  Ｄｉａｇｒａｍ（解剖図チェックボックス）は検査の解剖図を印刷するために選択されることが理解されよう。さらに、印刷ジョブを消去し、消去される印刷ジョブの隣のチェックボックスをクリックする機能が与えられる。
【０１３１】
ビデオクリップが手順中に記録されたならば、ユーザは事後手順タブを介してこれらのクリップを管理し、特にビデオクリップを再生するか消去し、ビデオクリップを別のファイルに保存することができる。ビデオクリップを再生するために、映像管理スクリーンを介して、ビデオクリップアイコン1176がビデオクリップリストウィンドウを表示するために選択されることができ、ここでユーザはさらにウインドウズ（登録商標）メディアプレーヤのような適切なビューアのビデオクリップを再生するためにプレビューアイコン（図示せず）をクリックし、またはビデオクリップを消去する。ビデオクリップリストウィンドウを表示するためにビデオクリックアイコンをクリックすることによって、ビデオクリップは映像管理スクリーンを介して、例えば消去されるかまたはダウンロードアイコンをクリックし、目的地ファイル位置を選択することにより別のファイルに保存されるように選択される。
【０１３２】
ここで前述したように、ユーザは知識ベースから用語を選択するための用語辞書機能を使用できる。例えば検査の手順関連情報を記録することが望ましいとき、ユーザは発見物を記録するために用語辞書機能を選択できる。用語辞書はケア相に基づいて、知識ベース内容を異なる報告セクションに構成し、これらの報告セクションは図１０ｆに示されているような用語辞書スクリーン1065のタブとして現れ、これは指示タブ1177a、手順タブ1177b、発見物タブ1177c、明確されていない事象タブ1177d、勧告タブ1177e、要約タブ1177f、料金請求コードタブ1177gを含んでいる。報告セクションに関連する知識ベース用語を見るためタブをクリックすることによって、ファシリティはケア相について用語辞書スクリーンで有効であるべき報告セクションを決定する。システムの管理者はＡｄｍｉｎタブ1300を介して報告セクションを適切なケア相に対して利用可能にすることができる。用語辞書スクリーンを介して可能にされる機能をここでより詳細に説明する。ユーザが（そのユーザの発見物に基づいて）右側のパネルから有効な用語を採取または選択するとき、左側のパネルにコピーされ、したがって選択された用語を表示し、検査の包括的な説明を論理的に構築する。これらの選択された用語は、種々のケア相中に集収された他の検査データと共に手順ノートと他の検査に関連する文書を生成するために使用される。
【０１３３】
用語辞書の１つの特別な使用はＢｉｌｌｉｎｇ  Ｃｏｄｅｓ（料金請求コード）を選択されたキーワードに関連付ける能力である。これらのコードは手順ノートで使用され、したがってサービスのためのある他の医療機関に料金請求する能力を提供する。料金請求コードを選択されたキーワードに関連付けるため、ユーザは図１１ａに示されているような用語辞書スクリーン部分1179をアクセスし、料金請求コードに関連付けたがるキーワードを選択し、コードアイコン1180をクリックし、表示された選択された料金請求コードウィンドウ（図示せず）からコードセットディスプレイ選択肢（図示せず）を選択する。コードセットの選択後、コードセットウィンドウが表示され、それによってユーザはこのウィンドウから料金請求コードを検索することができる。ユーザはコードセットドロップダウンリストからコードセットのタイプを選択し、オプショナル番号フィールドに検索するコードの番号を入力し、さらにオプショナル説明フィールドにコードの説明を入力する。入力された検索規準に基づいた料金請求コードのリストが表示されるか、検索規準が入力されないならば、デフォルトによって選択されたコードセットからの全ての料金請求コードが表示される。このリストからのユーザはその後、これを選択するために料金請求コードをクリックするか、さらに多数の料金請求コードを選択する。
【０１３４】
ここで説明するように、手順ノートは特別な検査についての文書化された情報であり、発見物、診断、薬物、勧告、過去の診断のようなその他の情報を文書化するために使用され、ユーザはさらに、映像を管理するための手順ノート機能を使用し、他の検査の映像及び手順ノードのような情報を観察し、知識ベースツリーから用語を選択し、報告テキストを発生し、料金請求コードを選択し、ノートに署名し、ノートの異なるバージョンを作成し、ノートを廃棄または消去する。
【０１３５】
図１１ａの事後手順タブ1100により、施設または医師により特定される方法で構成された先に作成された手順ノートテンプレートが文書に捕捉された情報を表示するために選択される。システム管理者は前もって手順ノートテンプレートを作成する。したがって、選択された検査に対して、ユーザは図１１ａのタブ1100を介して手順ノートメニュー選択肢1109を選択し、手順ノートテンプレートの選択スクリーン（図示せず）が表示され、ユーザが施設および／または医師の名前に基づいて手順ノートテンプレートを検索することを可能にする。ユーザにより選択可能な手順ノートテンプレートの結果的なリストが表示される。
【０１３６】
図１１ａに示されているように、選択された手順ノートスクリーン1190の例が示され、これは３つのセクション、即ち図１１ｃに関してここで説明したような現在の検査の映像を管理するための映像ストリップ1145と、手順ノートの文書を編集し作成するためのインターフェースを与える手順ノートビルダ1182と、報告書を作成するために知識ベース用語を取り上げるための知識ベースインターフェース1179とを含んでいる。
【０１３７】
図１１ａに関してここで説明するように、ユーザは映像管理スクリーン（図１１ｃ）を使用するときと類似の映像セクションを使用できる。手順ノートスクリーンボタンの映像セクションは、現在の検査から選択された映像を消去し、現在の検査から全てのラベル付けされていない映像を消去し、印刷するように選択された映像をマーク／マークを解除し、大きい映像を観察し、現在の検査から全ての選択された映像にラベル付けし、現在の検査から全ての選択された映像のラベルを消去し、発見物を関連つけ／関連付けを解除し、メニューまたはストリップを指示／隠し、選択された患者に関連する他の検査の映像及び手順ノートを観察する機能を可能にする。
【０１３８】
ユーザはさらに、検査に対する知識ベース用語を選択するための手順ノート機能を使用する。したがって、知識ベースセクションは用語の選択に使用され、ノートが作成されるとき、ユーザは文書セクションの文を含む報告書を作成するために報告書作成アイコン1192を選択できる。選択された用語に対して変更が行われるならば、報告書作成アイコンが付勢される。任意の選択されたキーワードが文章モデルに関連されるならば、文章が作成され、特定の報告セクション内で表示された報告書にポピュレートされる。器官ラベルの使用機能が検査タイプにおいて先に付勢されているならば、発見物の文は器官の名称で接頭辞を付けられる。例えば“ｓｔｏｍａｃｈ”に“ｐｏｌｙｐ”の発見物が存在し、器官ラベルの使用が検査タイプでＹｅｓに設定されているならば、報告書の文は以下のようになり、  
ＳＴＯＭＡＣＨ：Ｔｈｅｒｅ  ｗａｓ  ａ  ｐｏｌｙｐ  ｆｏｕｎｄ  ｉｎ  ｔｈｅ  ｓｔｏｍａｃｈ．（胃：胃にポリープが発見された。）
発見物に対する文章が生成されるとき、およびその発見物に関連する映像が存在する場合に、映像番号が発見物の最後に添付される。例えば胃内に“映像１”によるポリープの発見物が存在するならば、発見物の文章は以下のように現れ、  
Ｔｈｅｒｅ  ｗａｓ  ａ  ｐｏｌｙｐ  ｆｏｕｎｄ  ｉｎ  ｔｈｅ  ｓｔｏｍａｃｈ．（１）（胃：胃にポリープが発見された。）
知識ベースのキーワードはそれに関連する要約セクションに文モデルを有する。選択されたテンプレートが要約セクションを有し、選択されたキーワードが要約文モデルを有するならば、キーワードの要約文は要約セクションに現れる。例えば、胃にポリープが発見されたならば、ポリープの診断の要約文は以下のようになる  
Ｄｉａｇｎｏｓｉｓ−ｐｏｌｙｐ（診断−ポリープ）  
さらにここで説明するように、ユーザは検査の関連する料金請求コードを選択するために手順ノート機能を使用できる。キーワードがそれに関連する料金請求コードを有するならば、ユーザはコードアイコン1180の選択と、現在の検査のキーワードに関連する料金請求コードの選択に応答して、全ての料金請求コードと、キーワードに関連する説明を見ることができる。
【０１３９】
さらに図１１ａの手順ノートスクリーン1190を介して可能にされる機能は、「保存」のクリックにより手順ノートを保存し、手順ノートのテキストが終了されているならば手順ノートに署名する機能を含んでいる。検査の従事した医師だけがＰｒｏｃｅｄｕｒｅ  Ｎｏｔｅに署名できることが理解されよう。手順ノートの確認＆署名設定がイエスに設定されるならば、医師は彼／彼女のユーザＩＤとパスワードを確認するように尋ねられる。ノートの署名によって報告書はさらに編集されないようにロックされる。さらに、手順ノートの署名は患者の過去の手順、過去の診断、過去の診療記録を更新し、例えばユーザが既存の手順ノートに対して変更を行い、それらの変更を将来の手順ノートに適用したがる場合の状況では手順ノートをテンプレートとして保存する。変更された手順ノートはテンプレートとして保存され、これは将来の手順ノートの作成に使用されることができる。したがって手順ノートスクリーン1190により、ユーザはＳａｖｅ  Ａｓ（保存）ボタンを選択し、テンプレートに名称を割当て、施設または医師名を選択し、所有者をテンプレートに割当てる。
【０１４０】
手順ノートが作成される時間は、共通して使用されるアイテムに対してショーットカットを構成する医療知識ベースインターフェースを介して手順報告を行い、注釈またはラベルを付けされた映像を書き込まれた報告書に組込むことによって減少されることが理解されよう。さらに、報告書の適切なセクションは事前手順、手順中、事後手順位相中に前もって集収された患者データに基づいて自動的にポピュレートされることができる。
【０１４１】
前述したように、手順ノートが署名されると、これはロックされ、編集されることができない。既存の署名された手順ノートに対して変更を行うためには、ユーザは手順ノートの新しいバージョンを作成しなければならない。手順ノートの新しいバージョンは文章を何等再度作成せず、または任意のデータベースフィールドを更新しない、現在署名された手順ノートの全くのコピーである。手順ノートスクリーンにより新しいバージョンを作成するために、ユーザはＮｅｗボタンをクリックし、手順ノートの新しいバージョンが生成される。
【０１４２】
手順ノートはさらに手順ノートスクリーンを介してＤｉｓｃａｒｄ（廃棄）をクリックすることにより消去される。廃棄された手順ノートは廃棄ビンに記憶され、ここでこれらは観察されるが回復されない。手順ノートはノートが署名されない限り消去されない。さらに手順ノートスクリーンにより可能にされる機能は手順ノートスクリーンから検査追加アイコン1198を選択することにより新しい検査追加リクエストを生成する機能を含んでいる。新しい検査追加リクエストを生成するために、新しい検査追加ウィンドウ（図示せず）が応答して表示され、それによってユーザは指名先セクションから指名人を選択し、状態ドロップダウンリストからリクエストの状態を選択し、ユーザが入力する任意のノートを有するならばＮｅｗをクリックすることを可能にする。検査追加リクエストは生成され、ユーザはそのユーザに関連するホームタブの保留アイテムスクリーンからこれを観察できる。
【０１４３】
さらに、事後手順タブ1100を介して、ユーザは患者の現在の状態を記録し、特に、患者の生存兆候と薬物情報に基づいて回復シートを準備し、患者に提供されるサービスのレベルを決定し、患者の満足度調査を記録し、任意の訓練者が手順に関与しているならば訓練者にアクセスし、検査に関する文書を分配できる。
【０１４４】
したがって、手順の実行後、ユーザは患者の生存兆候情報を記録し、与えられる任意の薬物を投与し、Ａｌｄｒｅｔｅスコアを書き記し、図１１ａに示されているように生存兆候と薬物メニュー選択肢1111の選択のときに患者の状態を決定するため手順間評価情報を記録できる。この機能は図９ｅに関してここで示し説明したようにデータを記録するために生存兆候と薬物スクリーンを介して実行される。
【０１４５】
手順の終了後、ユーザはさらに患者の回復データを捕捉するために図１１ｆに関してここで示したように回復スクリーン1195を使用できる。回復シートはまた遂行文書としての役目を有し、ここでユーザは来院時間と退院時間、事後手順解除情報、最後のＡｌｄｒｅｔｅスコア、患者の静脈の詳細等を入力する。ユーザが追加検査のために患者を呼ぶ必要があるならば、ユーザはこのスクリーンから新しい検査後の追加リクエストを生成できる。
【０１４６】
ユーザは事後手順タブ1100から回復メニュー選択肢1112を選択し、検査を選択した後、図１１ｆに示されているように回復スクリーン1195から回復シートを処理する。回復スクリーンにより、ユーザはさらに通院時間の捕捉スクリーンを表示でき、ここでユーザは回復室の到着日時と、退出日時を入力できる。ユーザはさらに関連する事後手順の解放の許可情報を選択することができる。１実施形態では最後のＡｌｄｒｅｔｅスコアセクションは図９ｅの生存兆候及び薬物スクリーンで捕捉された最後のＡｌｄｒｅｔｅスコアを自動的にポピュレートされる。ユーザはさらにＶｅｎｏｕｓ  Ｄｅｔａｉｌｓ（静脈の詳細）を入力できる。さらにＰｏｓｔ−Ｅｘａｍ  Ｃａｌｌ（検査後の呼）セクション（図示せず）のＮｅｗボタンをクリックすることによって、ユーザは呼後の面会をセットアップし、指定先セクションから検査後の呼の指定人を選択する。臨床員を割当てるため、臨床員アイコンが表示され、臨床員が臨床員リストから選択される。ユーザはさらに状態ドロップダウンリストから検査後の呼の状態を選択できる。これが新しい呼であるならば、状態はＯｐｅｎである。Ｎｅｗ  Ｐｏｓｔ  Ｅｘａｍ  Ｃａｌｌ（新しい検査後の呼）ウィンドウの他の情報はシステムデータベースからポピュレートされることができる。ユーザはさらにＤｉｓｃｈａｒｇｅ  Ｄｅｔａｉｌｓ（解除の詳細）を入力し、Ｐａｔｉｅｎｔ  Ｂｅｌｏｎｇｉｎｇｓ（患者の所持品）セクションに関連情報を入力する。患者に申告する所持品がないならば、Ｎｏ  Ｂｅｌｏｎｇｉｎｇ（ｓ）  ｔｏ  Ｒｅｔｕｒｎ（申告する所持品なし）の指示がある。
【０１４７】
さらに検査するため患者をリコールするように、ユーザはリコール状を患者に発行しなければならない。患者リコールスクリーンはアイテムをＲｅｃａｌｌ  Ｌｅｔｔｅｒ  Ｑｕｅｕｅ（リコール状待ち行列）に付加するために使用され、患者に追加検査のことを思い出させる。リコール状は作成され、後に患者に送られる検査通知である。事後手順スクリーンを介してアイテムをリコール状待ち行列に付加するため、ユーザは図１１ａの事後手順スクリーン1100にナビゲートし、選択された検査において、図１１ｇに示されているように患者リコールスクリーン1196を表示するために患者リコールメニュー選択肢1113を選択しなければならない。図１１ｇの患者リコールスクリーンを介して、ユーザは患者が通院する施設を選択し、患者の名前を入力し、与えられたエントリフィールドに退出時間を入力する。ユーザはその後、検査ドロップダウンリストから患者がリコールを希望する検査を選択し、Ａｔｔｅｎｄｉｎｇ（所属）ドロップダウンリストから従事する医師を選択し、任意のノートを入力する。
【０１４８】
ユーザは図６に示されているホームタブのリコール状スクリーンからリコール状を観察し印刷する。ホームタブ600によりリコール状を印刷するために、ユーザはリコール状メニュー選択肢607を選択してリコール状スクリーンを表示し、施設ドロップダウンリスト（図示せず）から施設を選択する。所望ならば、他の検索入力も同様に入力されることができる。応答して、システムは表示するため患者の戻り日により分類したリコール状のリストを作成できる。患者リコールスクリーンが表示され、所望ならばユーザはリコールに変更を行うことができる。手紙を選択するための選択チェックボックスがクリックされ、その後印刷される。
【０１４９】
リコール状がテンプレートポップアップ選択ウィンドウから選択され印刷され、そこからユーザは印刷するためのテンプレート名ドロップダウンリストからリコール手紙を選択できることが理解されよう。
【０１５０】
システムは患者満足度調査スクリーンを提供し、手順、スタッフ、検査時間、通院全体等のある要素に対する患者の満足度のレベルを捕捉する。各アイテムの格付けは優秀、非常に良好、良好、普通、不良を含んでいる。事後手順タブ1100を介して患者の満足度の詳細を記録するため、選択された検査においてユーザはＰａｔｉｅｎｔ  Ｓｕｒｖｅｙ（患者調査）メニュー選択肢1114を選択し、患者調査スクリーン（図示せず）を表示させ、ユーザは内視鏡医の方法、技術能力、患者の待ち時間等を含む複数の各格付けアイテムについて患者の満足度の格付けを入力できる。
【０１５１】
訓練者が手順に関与するならば、ユーザは訓練者の能力記録を評価するためＴｒａｉｎｅｅ  Ａｓｓｅｓｓｍｅｎｔ（訓練者評価）スクリーンを使用できる。Ｉｎｔｕｂａｔｉｏｎ（挿管）およびＴｈｅｒａｐｅｕｔｉｃ  Ｍａｎｅｕｖｅｒｓ（治療上の手技）も評価されることができる。訓練者の評価情報を図１１ａに示されている事後手順タブ1100を介して記録するため、ユーザは訓練者評価スクリーン（図示せず）を表示するために訓練者評価メニュー選択肢1115を選択する。訓練者は訓練者ドロップダウンリストから選択されることができ、評価情報及び随意選択的な挿管および治療上の手技情報も入力されることができる。
【０１５２】
ユーザが（紹介状等の）文書を別の医師または施設へ発送することを望む状態では、Ｄｏｃｕｍｅｎｔ  Ｄｉｓｔｒｉｂｕｔｉｏｎ（文書分配）機能が実行されることができる。ユーザは料金請求報告書、手順ノート、解除命令、検査映像、看護婦の報告書または紹介状等の事後手順文書をｅメールまたはファックスによって配送することができる。ユーザはさらに印刷または配送する前に文書をプレビューおよび編集でき、さらに各文書タイプの受取人リストを編集する。文書分配スクリーンを観察するために検査が選択されなければならない。
【０１５３】
図１１ａに示されている事後手順タブ1100を介して文書をプレビューし、編集し、分配するため、ユーザはＰｏｓｔ  Ｐｒｏｃｅｄｕｒｅ  Ｄｏｃｓ（事後手順文書）メニュー選択肢1116を選択し、図１１ｈに示されているように特定の検査についての文書分配スクリーン1120を表示する。このスクリーンから、ユーザは文書分配スクリーンにアクセスしてテンプレートドロップダウンリスト1121から文書のテンプレートを選択することにより文書を編集または再検討することができ、編集または再検討される必要がある文書に対応する文書編集アイコンを選択する。文書は必要な変更を行うことのできる新しいウィンドウで表示される。文書は文書分配スクリーンを介して配送せずに印刷されることもできる。
【０１５４】
ユーザは文書分配スクリーン1120から文書の受取人を編集でき、特に文書分配スクリーンを介してリストから受取人を付加および消去する。分配される文書の選択後、ユーザは文書に隣接する受取人リストの編集アイコン1122を選択でき、これは受取人編集ウィンドウを表示し、医療提供者または臨床員以外の受取人を付加するための仲介人の選択肢を提供する。仲介人リストスクリーンは受取人のカテゴリと共に表示される。アイコンは受取人を消去するために与えられる。
【０１５５】
文書を分配するために、ユーザは図１１ｈの文書分配スクリーン1120にアクセスし、分配される文書に関連するチェックボックス1123をクリックする。テンプレートドロップダウンリストから文書に対するテンプレートが選択され、ユーザは選択された媒体、例えばデフォルトプリンタ上の印刷を介してＤｉｓｔｒｉｂｕｔｅ（分配）をクリックでき、または受取人が観察するようにｅメールすることができる。
【０１５６】
さらに、教育文書が患者に分配され、彼らに手順または発見物を通知する。例えばユーザの施設がワード“ｐｏｌｙｐ”について教育トリガーを設定しているならば、ポリープが患者の胃で発見されたとき、教育テンプレートに基づいた文書がその患者に分配されるようにユーザに対して作成されることができる。施設が教育トリガーを設定していないならば、教育文書は作成されない。教育文書は文書の選択と、分配される文書の隣のチェックボックスのクリックと、テンプレートドロップダウンリストからの文書のテンプレートの選択と、印刷される必要のあるコピー数の選択によって文書分配スクリーン1120を介して選択されることができる。
【０１５７】
［解析タブ］  
解析タブに関して、図１２に示されているように、ＥＷシステムはメニューに規定されているカテゴリの予め規定された問合せを呼出すためのメニュー選択肢を提供する。ユーザがメニューリストから報告を選択し、実行ボタンを押すとき、システムは予め規定された問合せを呼出し、予め規定されたテンプレートに従って結果を表示する。図１２の解析タブ1200に示されている予め規定された問合せはＣＱＩ（連続的な品質の改良）に関する統計的報告の作成を可能にする。他の予め規定された問合せは効率、装置の解析、手順解析、管理に関する報告を作成するために呼出されることができる。
【０１５８】
［システムの管理タブ］  
さらにシステムの管理タブ1300（図１３ａ）に関して、管理の特権を有するユーザがシステムデータを維持し、アプリケーションリソースデータを維持し、患者および臨床員情報を管理し、アプリケーションの設定及び機能をカスタマイズし、ユーザおよび役割情報を管理し、施設、ノード、ｍａｖｉｇｒａｐｈ、ビデオ設定を構成し、ログ及び待ち行列を管理し、装置情報を管理し、ユーザが規定するスクリーンを変更することを可能にする機能が提供される。システムの管理者はまたシステム性能を最大にし、新しいキーワード、文章モデル、メニュー構造を付加することにより知識ベースを維持し、内視鏡装置情報及び臨床員記録等のリソース情報を記録及び維持し、ユーザを付加及び除去し、各ユーザに適切な特権を割当て、定期的な管理を行うためにシステムおよびアクティビティログを再検討し、任意の問題を解決するための調整策を取るために、システムを構成する役目を有する。
【０１５９】
システムデータを維持するための管理者の機能に関して、システムデータの維持を可能にする機能を行うための、管理特権を有するユーザによってアクセス可能な機能が与えられる。システム管理タブ1300を介して、システムメニュ選択肢1301の選択は図１３ａに示されているようにシステムスクリーンの表示を開始し、これはデータベースに記憶されているシステム情報を入力、記憶、消去および／または変更する機能を提供し、以下のことを含んでいるがそれらに限定されず、即ち１）保険業者情報；図１３ａに示されているＩｎｓｕｒａｎｃｅ（保険）サブメニュー選択肢1302をさらに選択することによって、保険業者記録を臨床員に対して利用可能にするために選択可能であるアクチブチェックボックスを含んだ業者名、業者コード、他の保険業者情報の作成、変更、記憶、消去を行う機能が可能にされ、２）手順室情報；図１３ａに示されているＰｒｏｃｅｄｕｒｅ  Ｒｏｏｍ（手順室）サブメニュー選択肢1303を選択することによって、システムデータベースに記憶するための、施設内の手順室（例えば部屋名または部屋番号）についてのデータベース記録の作成、変更、記憶、消去を行う機能が可能にされ、３）Ｒａｃｅ情報；図１３ａに示されているＲａｃｅ（人種）システムサブメニュー選択肢1304を選択することによって、アメリカンインディアン、ネイティブのアラスカ人、白人即ちカフカス人、アジア人、黒人またはアフリカ系米国人等のような人種情報の記録の作成、変更、記憶、消去を行う機能が可能にされ、４）Ｅｔｈｎｉｃｉｔｙ（民族）情報；図１３ａに示されているＥｔｈｎｉｃｉｔｙ（民族）システムサブメニュー選択肢1305を選択することによって、米国人、オーストラリア人、カナダ人、カリブ人、中国人、欧州人、スペイン人、インド人、日本人等を含むがそれらに限定されていない民族の標準的なリストのエントリの作成、変更、記憶、消去を行う機能が可能にされ、５）Ｎａｍｅ  Ｐｒｅｆｉｘｅｓ（名前の接頭辞）；図１３ａに示されているＮａｍｅ  Ｐｒｅｆｉｘｅｓ（名前の接頭辞）システムサブメニュー選択肢1306を選択することによって、Ｄｒ．、Ｆａｔｈｅｒ、Ｍｉｓｓ、Ｍｒ．、Ｍｒｓ．、Ｍｓ．等の人に割当てることのできる規定された名前の接頭辞（および関連する性）のエントリを管理者が作成、変更、記憶、消去を行うことを可能にする機能が与えられ、６）Ａｃａｄｅｍｉｃ  Ｄｅｇｒｅｅ（学位）情報；図１３ａに示されているＡｃａｄｅｍｉｃ  Ｄｅｇｒｅｅ（学位）システムサブメニュー選択肢1307を選択することによって、Ｄ．Ｏ．、Ｌ．Ｐ．Ｎ．、Ｍ．Ｄ．、Ｍ．Ｓ．Ｎ．、Ｒ．Ｎ．等の人に割当てることのできる学位に関する情報の作成、変更、記憶、消去を行う機能が可能にされ、７）Ｓｔａｔｅ／Ｐｒｏｖｉｎｃｅｓ（州／プロビンス）；図１３ａに示されているＳｔａｔｅ／Ｐｒｏｖｉｎｃｅｓ（州／プロビンス）システムサブメニュー選択肢1308を選択することによって、アプリケーション内にインストールされている州／プロビンス記録の変更、記憶、消去を行うかまたは新しい州／プロビンス（およびそれらの略称）を作成する機能が可能にされ、８）Ｃｏｕｎｔｒｙ（国）情報；図１３ａに示されているＣｏｕｎｔｒｙ（国）システムサブメ��ュー選択肢1309を選択することによって、国名（例えば米国及びカナダ）及びそれらの略称の変更、記憶、付加、消去を行うかまたは新しい国をリストに付加する機能が可能にされ、９）Ｄｅｐａｒｔｍｅｎｔ（部門）情報；図１３ａに示されているＤｅｐａｒｔｍｅｎｔ（部門）システムサブメニュー選択肢1310を選択することによって、部門情報（およびそれらの略称）の変更、記憶、作成、消去を行う機能が可能にされる。部門はＧａｓｔｒｏｅｎｔｅｒｏｌｏｇｙ（胃腸学）（ＧＩ）またはＢｒｏｎｃｈｏｓｃｏｐｙ（気管支鏡）（Ｂｒｏｎｃｈ）等の１以上の医療領域を専門とする機関または施設内のさらに細分化された組織または診療所である。これはＥＧＤまたはＥＲＣＰのような１以上の検査タイプ（専門）についてサービスを提供する。臨床員は１以上の部門で実行または作業する資格が与えられ、特別なアクセサリ装置はその部門に関連されている。システムは部門維持機能を使用して部門の記録を設定し維持して多数の部門を支援する。Ｄｅｐａｒｔｍｅｎｔ  Ｌｉｓｔ（部門リスト）スクリーンがアクセスされるとき、規定された部門が名前のアルファベット順に表示される。さらに次の機能を含んでいる。即ち、１０）Ｐａｔｉｅｎｔ  Ｉｄｅｎｔｉｆｉｅｒ  Ｔｙｐｅ（患者識別子タイプ）情報；図１３ａに示されているＰａｔｉｅｎｔ  Ｉｄｅｎｔｉｆｉｅｒ  Ｔｙｐｅ（患者識別子タイプ）システムサブメニュー選択肢1311を選択することによって、患者の識別に使用されるコードである施設の患者識別子タイプ情報の変更、記憶、作成、消去を行う機能が可能にされる。例えば識別子コード“ＭＲＮ”はデフォルトの患者識別子タイプである。施設は患者識別子タイプスクリーンにより、その固有の識別子タイプを作成し、部門を編集し、付加し、または削除する。デフォルトの患者識別子タイプは施設設定機能を使用して設定されなければならないことが理解されよう。この特有の患者識別はまた１つの施設が別の施設と合併する決定をするならば、便利である。さらに次の機能を有し、１１）Ｍｅｄｉｃａｌ  Ａｌｅｒｔｓ（医療的警報）情報；図１３ａに示されているＳｙｓｔｅｍ  Ａｌｅｒｔｓ（システム警報）サブメニュー選択肢1312を選択することによって、医療的警報または施設の注意事項の変更、記憶、作成、消去を行う機能が可能にされる。ここで説明したように、システムは医療的警報によりユーザに患者の注意事項を通知するようにプログラムされる。システムの医療的警報は施設により識別されるシステムレベルの注意事項である。患者が指定されたシステムの医療的警報を有するならば、図７ｃに示されているような医療的警報アイコン759がステータスバー749に表示される。この医療的警報アイコンは問題の患者が選択されるときにはいつでも、ステータスバーに表示され、そこに留まる。医療スタッフは患者の全ての医療的警報のリストを観察するため医療的警報アイコンをクリックできる。システムに規定された医療的警報は１３カテゴリ存在し、例えばアレルギー、凝固等である。各カテゴリは編集または変更できない警報を含んでいる。
【０１６０】
前述したように、システムの管理タブ1300（図１３ａ）により与えられるさらに別の機能はアプリケーションリソースデータのメンテナンスである。アプリケーションリソースデータを維持する管理者機能に関して、患者情報、臨床員情報または仲介人情報の作成または変更のような機能を行うための、管理特権を有するユーザによってアクセス可能な機能が提供される。臨床員は機関、施設、またはクリニックにより雇用されているかそれらに提携されている専門家または認定された医療人員として規定されている。各臨床員はシステムで規定されている役割に関連付けられている。臨床員のメンテナンスに関して、例えばメンバーは検査のタイプにおいて次の役割を有し、即ち、所属医師、ＥＧＤ、看護婦およびその他ＥＲＣＰ等である。適切な資格を有する臨床員のメンバーだけが検査のタイプで必要とされる役割を行うことができる。本発明のシステムは臨床員記録の付加、変更、消去を支持する。
【０１６１】
したがって、図１３ｂに示されているシステム管理タブ1300を介して、システムのＣｌｉｎｉｃａｌ  ａｎｄ  Ｐａｔｉｅｎｔ（臨床員および患者）メニュー選択肢1315の選択は、有効な臨床員と患者のサブメニュー選択肢を提供する臨床員リストスクリーンを表示することによってこれらのアプリケーションリソースデータタイプのメンテナンスを可能にする。臨床員および患者メニュー選択肢1315の選択後、ユーザはさらに臨床員サブメニュー選択肢1316を選択し、これは臨床員リストスクリーン（図示せず）を表示し、ユーザが与えられた検索フィールドに入力された１以上の規準を使用して臨床員を検索することを可能にし、これはＰｒｉｍａｒｙ  Ｆｕｎｃｔｉｏｎ（一次機能）、Ｆａｃｉｌｉｔｙ（施設）、スタッフＩＤ、医療員メンバーの姓名を含んでいる。臨床員リストスクリーンを介して医師をシステムに付加するため、ユーザはＮｅｗボタンをクリックし、図１３ｂと１３ｃに示されているような臨床員スクリーン1340の表示を可能にし、これはスタッフＩＤ、接頭辞、医師の姓及び名等の臨床員の個人情報データを入力するためのフィールドを設け、一次機能ドロップダウンリストからの“Ｐｈｙｓｉｃｉａｎ”（医師）の選択を可能にする。臨床員スクリーンにより可能にされる更なる機能は、施設ドロップダウンリストから施設を選択することにより施設を医師に割当て（例えば２以上の施設が医師に割当てられることができる）、学位ドロップダウンリストから学位を選択することにより学位を医師に割当て（例えば２以上の学位が医師に割当てられることができる）、検査ドロップダウンリストから検査を選択することにより検査を医師に割当て、医師が選択された検査で行っている役割を役割ドロップダウンリストから選択する能力を含んでいる。所属、補助、訓練者の３つのみの役割が有効であるが、別の検査及び役割を付加する機能が有効である。全ての検査が医師に割当てられることが理解されるであろう。
【０１６２】
医師記録の作成により医師をシステムに付加することに関して説明したのと同じ方法で、看護婦が看護婦記録の作成により、システムに入力されることができる。即ち、看護婦が検査に割当てられる前に、看護婦の情報はシステムに付加されなければならず、これは図１３ｂと１３ｃの臨床員スクリーン1340により実現される。システムから臨床員メンバーを変更または消去するために、管理者は臨床員リストスクリーンにアクセスし、変更を受ける臨床員記録を検索し、臨床員の隣の詳細アイコンをクリックし、臨床員スクリーンにより、所望の変更を行うか、選択された記録を消去するために消去アイコンをクリックする。
【０１６３】
さらに、システム管理タブ1300を介して、システムの臨床員及び患者メニュー選択肢1315と、さらにＣｏｎｔａｃｔｓ（仲介人）1317のサブメニュー選択肢の選択は仲介人リスト（図示せず）の表示を可能にし、新しい薬局または新しい売主等の新しい仲介人の付加を可能にする。したがってシステムは臨床員以外の仲介人を維持するファシリティを可能にし、薬局、料金請求、病状、品質保証、生物医学部門、医療記録、院外医師の診療所、救急車サービス、感染制御、病院の仲介人、売主及び取締まり局を含むが、これらに限定されない。特に、仲介人リストスクリーンを介して、管理者は既存の仲介人記録の検索問い合わせを入力できる。既存の仲介人記録は仲介人スクリーンディスプレイ（図示せず）で呼出され、ユーザが仲介人情報の変更または仲介人記録の消去を行うことを可能にする。
【０１６４】
本発明の管理構造機能はシステム設定、特別なノードのノード設定、プリンタ（例えばＭａｖｉｇｒａｐｈ）設定、ビデオ設定、自動マスク設定、施設設定を含んでいるアプリケーション構造アイテムを維持する。システム設定に関して、システムはさらにシステムのセットアップパラメータがデータを記録し表示することを可能にする。システム設定はアプリケーションのインストール時に構成されるが、これらはシステム設定スクリーンを介して、いつでも変更されることができる。特に、管理タブ1300を介して、ユーザは構造メニュー選択肢1318を選択でき、有効な構造サブメニュー選択肢を表示する。システム設定サブメニュー選択肢1320の選択が行われ、これが選択されるとき図１３ｄに示されているようなシステム設定スクリーン1350の表示を生成する。
【０１６５】
システム設定スクリーン1350を介して、ユーザは次のようなシステムパラメータを入力するためのエントリフィールドを提供することにより、必要なシステム設定情報を変更できる。即ち、例えばＢＭＰ、ＪＰＥＧまたはＪＰＧのようなフォーマットの機関ロゴを含んでいる映像ファイルである機関名および機関ロゴと、国に応じた社会保障番号（ＳＳＮ）または社会識別（ＳＩＮ）を入力するためのフォーマットの特定に使用される設定のＳＳＮ／ＳＩＮフォーマット（例えばデフォルト値は＃＃＃−＃＃−＃＃＃＃であり、ここで＃は０と９の間の数である）と、機関の電話番号エントリフォーマットの特定に使用されるＰｈｏｎｅ  Ｆｏｒｍａｔ（電話機フォーマット）設定と、９９９を超える番号を入力したときに使用される分離符号を決定する１０００の分離符号フォーマット設定と、１０進法の番号で使用される分離符号を決定する１０進法の分離符号）設定と、機関の時間フォーマットを決定し、軍事または標準時間の選択肢であるＴｉｍｅ  Ｆｏｒｍａｔ（時間フォーマット）設定と、機関の日付エントリフォーマットの特定に使用されるＤａｔｅ  Ｆｏｒｍａｔ（日付フォーマット）設定と、機関の好ましいグラフィック圧縮フォーマットの特定に使用されるＣｏｍｐｒｅｓｓｉｏｎ（圧縮）フォーマット設定（例えばデフォルト値はなく（即ち圧縮なし）、他の許容可能な値は損失なし、高、中、低）と、主要の現地言語の特定に使用され、患者評価スクリーンで好ましい言語として表示される値の決定に使用される設定であるＬａｎｇｕａｇｅ（言語）設定のシステムパラメータである。
【０１６６】
前述したように、システムにより提供されるさらに別の機能は施設の要求に基づいたアプリケーションレイアウトのメンテナンスである。即ち、システムはユーザに対して有効になる選択肢を決定する能力を有する非常にカスタム化が可能なアプリケーションである。例えば、管理者は手順ノートセクションにアクセスするためにユーザが看護婦の役割に入ることを許可または禁止する選択を行うことができる。
【０１６７】
したがって、システム管理タブ1300（図１３ｃ）を介して、管理者はＡｐｐｌｉｃａｔｉｏｎ  Ｆｌｏｗ（アプリケーションフロー）構造サブメニュー選択肢1322をアクセスし、これは図１３ｅに示されているようにアプリケーションフロースクリーン1355に有効な構造選択肢を表示させる。アプリケーションフロースクリーン1355を介して既存のレイアウトを変更するため、ユーザはＴａｂ（タブ）ドロップダウンリスト1356からタブを選択し、これはＡｖａｉｌａｂｌｅ（利用可能な）テキストボックス1357aの全ての有効なサブメニュー選択肢の選択を提供し、Ａｓｓｉｇｎｅｄ（割当て）テキストボックス1357bでリストされている全ての割当てられた選択肢を提供する。ユーザはその後、選択された選択肢を割当てリスト1357aに付加するため右矢印アイコンをクリックすることにより、ユーザに割当てられる有効なメニュー選択肢リストから選択肢を選択し、または除去するために割当てリストから選択肢を選択し、左矢印アイコンをクリックして、割当てテキストボックス1357bから選択された選択肢を除去する。
【０１６８】
管理者はさらに新しい施設を付加し、施設の嗜好と動作手順をＦａｃｉｌｉｔｙ  Ｓｅｔｔｉｎｇｓ（施設の設定）スクリーンからカスタマイズし、また主要な患者の識別子タイプ、デフォルト患者クラス、ＩＶタイプ等の施設のシステムデフォルト選択肢を設定する。アプリケーションの動作に影響する他の設定は施設に特有ではなく、システム設定機能を通して制御される。Ｆａｃｉｌｉｔｙ  Ｌｉｓｔ（施設リスト）スクリーンは表示された有効な構造選択肢から施設設定サブメニュー選択肢1324を選択することによりＡｄｍｉｎタブ1300によりアクセスされる。施設設定メニュー選択肢1324の選択のとき、施設リストスクリーンが表示され（図示せず）、そこから管理者は変更される選択された施設の隣の詳細アイコンを選択することにより情報を変更し、または特定の施設を消去することを可能にされる。新しい施設情報をシステムに付加するため、新しい選択肢を選択するために施設リストスクリーンがアクセスされ、これは図１３ｆに示されているような施設スクリーン1360を表示し、新しい施設情報、即ちネームフィールドの名称、略称フィールドの施設の略称、州ドロップダウンリストからの施設の州、国ドロップダウンリストからの施設の国、主要な患者識別子タイプドロップダウンリストからの施設の主要な患者識別子タイプ、デフォルト患者クラスドロップダウンリストからのデフォルト患者クラス（例えば３つの選択肢、即ち入院患者、入院患者の移動、外来患者が有効である）、ＩＶタイプドロップダウンリストからの施設のデフォルトとして設定されているＩＶタイプ、Ｈｏｕｒｓ  ｏｆ  Ｏｐｅｒａｔｉｏｎ（営業時間）セクションにおける新しい施設の営業開始時間、終了時間、週の開始日、週の終了日、間隔情報、システム管理者の名称及び電話番号のユーザエントリを可能にする。
【０１６９】
管理者はさらにノードに対するノード設定、または施設が検査の実行に使用するコンピュータを規定することができる。図１３ｇに示されているようなノード設定スクリーン1365から、管理者はノード名、ノードの物理的アドレス、通信ポートのようなノード設定を規定し、一次ビデオマスク設定を設定し、二次ビデオマスク設定を設定し、ビデオ自動マスク設定を規定し、ノードのデフォルトｍａｖｉｇｒａｐｈプリンタを選択することができる。ノード設定リストスクリーンにアクセスするためにシステム管理タブ1300（図１３ｄ）を介して、管理者はノード設定構造サブメニュー選択肢1325を選択できる。ノード設定構造選択肢を選択するとき、ノード設定リストスクリーンが表示され（図示せず）ユーザが新しいノード設定記録を編集、付加、または作成することを可能にする。ノード設定リストスクリーンがアクセスされるとき、規定されたノードが表示される。ノード設定リストスクリーンから、管理者は変更される選択されたノードの隣の詳細アイコンを選択することによって情報を変更し、または特定のノードを消去することが可能にされる。システムに新しいノード情報を付加するため、新しい選択肢を選択するようにノード設定リストスクリーンがアクセスされ、図１３ｇに示されているようなノード設定スクリーン1365を表示し、Ｎｏｄｅ  Ｎａｍｅ（ノード名称）フィールドのノード名、Ｆａｃｉｌｉｔｙ（施設）ドロップダウンリストからの施設、Ｐｈｙｓｉｃａｌ  Ａｄｄｒｅｓｓ（物理的アドレス）フィールドのノードの物理的アドレス、Ｉｎｐｕｔ  Ｔｙｐｅ（入力タイプ）ドロップダウンリストからの入力タイプ、ＣＯＭ  Ｐｏｒｔ（ポート）ドロップダウンリストからのＣＯＭポート、他の関連情報のような新しいノード情報のユーザエントリを可能にする。さらに、ノード設定スクリーン1365を介して、デフォルトｍａｖｉｇｒａｐｈプリンタがＤｅｆａｕｌｔ  Ｍａｖｉｇｒａｐｈドロップダウンリスト（ｍａｖｉｇｒａｐｈプリンタのリストはここで説明したようにｍａｖｉｇｒａｐｈプリンタ装置がＭａｖｉｇｒａｐｈ設定スクリーンのファシリティに付加されるときに作成される）から選択され、デフォルトラベルがＤｅｆａｕｌｔ  Ｐｒｉｎｔｅｒ（デフォルトプリンタ）フィールドのプリンタに割当てられる。ノード設定スクリーン1365を介して、管理者はさらにＰｒｉｍａｒｙ  Ｓｅｔｔｉｎｇ（一次設定）ドロップダウンリスト1366からノードの一次ビデオ設定を選択できる。管理者はさらに二次設定ドロップダウンリスト1367から二次ビデオ設定を選択し、自動マスク設定がエネーブルされているならば、Ａｐｐｌｙ  Ａｕｔｏｍａｓｋ（自動マスクの適用）チェックボックス1368を選択する。
【０１７０】
管理者はさらにＭａｖｉｇｒａｐｈプリンタリストスクリーン（図示せず）からプリンタ、例えばｍａｖｉｇｒａｐｈプリンタを付加、変更、消去できる。Ｍａｖｉｇｒａｐｈプリンタリストスクリーンにアクセスするために、システム管理タブ1300（図１３ｄ）を介して、管理者はＭａｖｉｇｒａｐｈ設定構造サブメニュー選択肢1326を選択でき、Ｍａｖｉｇｒａｐｈ設定リストスクリーンの表示を開始し、管理者がｍａｖｉｇｒａｐｈ設定記録を付加、変更、消去することを可能にする。ユーザがＭａｖｉｇｒａｐｈ印刷リストスクリーンにアクセスするとき、ｍａｖｉｇｒａｐｈプリンタのリストが表示され、これはさらにデフォルトｍａｖｉｇｒａｐｈプリンタをノード設定スクリーンのノードに割当てることに使用される。新しいｍａｖｉｇｒａｐｈ設定記録をシステムに付加するため、新しい選択肢を選択するようにＭａｖｉｇｒａｐｈ設定リストスクリーンがアクセスされ、Ｍａｖｉｇｒａｐｈ設定スクリーン（図示せず）を表示し、これはＭａｖｉｇｒａｐｈ  Ｎａｍｅ（Ｍａｖｉｇｒａｐｈ名称）フィールドにおけるｍａｖｉｇｒａｐｈプリンタの名称、ｍａｖｉｇｒａｐｈプリンタの位置、Ｆａｃｉｌｉｔｙ（施設）ドロップダウンリストからのｍａｖｉｇｒａｐｈプリンタが属する施設などの新しいプリンタ情報のユーザエントリを可能にする。Ａｃｔｉｖｅ（アクチブ）チェックボックスは臨床員に対してプリンタを利用可能にするために選択されることができる。
【０１７１】
管理者はさらに、ビデオ構造設定と、ＲＧＢモニタ上でどのように情報が表示されるかを規定する構造マスク設定をビデオ設定リストスクリーンを介して付加、変更、消去することができる。ユーザは変更が自動的に表示されるＲＧＢモニタ上にビデオ設定をプレビューすることができる。ビデオ設定リストスクリーンにアクセスするため、システム管理タブ1300（図１３ｄ）を介して、管理者はビデオ設定構造サブメニュー選択肢1328を選択できる。ビデオ設定構造選択肢1328を選択するとき、ビデオ設定リストスクリーンが表示され（図示せず）、管理者が現在規定されているビデオ設定、例えば名前のアルファベット順に分類されている設定を観察することを可能にする。管理者は（ノードにそれが関連されないならば）ビデオ構造を消去し、変更される選択されたビデオ設定の隣の詳細アイコンを選択することによってさらに情報を変更できる。新しいビデオ設定記録を付加するため、新しい選択肢を選択するようにビデオ設定リストスクリーンがアクセスされ、図１３ｈに示されているようなビデオ設定スクリーン1370を表示し、Ｎａｍｅ（名称）フィールドにおけるビデオ構造に対する名称、ビデオ信号ドロップダウンリストからのビデオ信号等の新しいビデオ設定情報のユーザエントリを可能にし、構造設定をユーザに対して利用可能にするためにアクチブチェックボックスを選択する。さらに、ビデオ設定スクリーン1370を介して、ユーザは上、左、下、右のマスク設定をマスク設定セクション1372のライブビデオ、寸描、患者情報に割当てる。
【０１７２】
管理者はさらに、自動マスク設定スクリーンを介して特別なビデオプロセッサ及びチップタイプの組合せでマスク設定を編集、付加または作成することができる。スクリーンがアクセスされるとき、規定された自動マスク設定、プロセッサタイプ、チップタイプ、規定されたビデオ設定が表示され、プロセッサタイプにより分類される。プロセッサタイプとチップタイプとの組合せは特有でなければならないことが理解される。自動マスク設定スクリーンにアクセスするために、システム管理タブ1300（図１３ｄ）を介して、管理者は自動マスク設定構造サブメニュー選択肢1329を選択できる。自動マスク設定構造サブメニュー選択肢1329が選択されると、自動マスク設定スクリーン（図示せず）が表示され、ユーザが現在規定された自動マスク設定を観察することを可能にする。この自動マスク設定スクリーンを介して、管理者は自動マスク構造を消去し、さらに変更される選択された自動マスク設定の隣の詳細アイコンを選択することによって情報を変更できる。新しい自動マスク設定記録をシステムに付加するため、新しい選択肢を表示するように自動マスク設定スクリーンがアクセスされ、図１３ｉに示されているような自動マスク設定スクリーン1375を表示し、プロセッサタイプ、チップタイプ、ビデオ設定をそれぞれＰｒｏｃｅｓｓｏｒ  Ｔｙｐｅ、Ｃｈｉｐ  Ｔｙｐｅ、Ｖｉｄｅｏ  Ｓｅｔｔｉｎｇｓドロップダウンリストから選択することによって、ユーザが新しい自動マスク設定を規定することを可能にする。規定されると、マスクは自動的に使用される内視鏡またはプロセッサに基づいてシステムにより選択されることが理解される。
【０１７３】
前述したように、システムにより提供される更に別の機能はアプリケーションが機能する態様についてのある特性をカスタマイズする能力である。これらの機能には検査タイプ情報の編集、報告セクションを規定する情報の編集、アプリケーションのケア相内に含まれる報告セクションのメンテナンス、報告書テンプレートと文書タイプの管理、全ての文書のテンプレートの編集または作成、システムの知識ベースのメンテナンスが含まれている。
【０１７４】
したがって、システム管理タブ1300（図１３ｊ）を介して、管理者はＣｕｓｔｏｍｉｚａｔｉｏｎ（カスタム化）メニュー選択肢1330にアクセスし、これは有効なカスタムカサブメニュー選択肢を表示させる。Ｅｘａｍ  Ｔｙｐｅ（検査タイプ）サブメニュー選択肢1331を選択するとき、検査タイプリストスクリーン（図示せず）が表示され、ユーザが現在規定されている検査タイプを観察することを可能にする。このスクリーンから、ユーザは気管支鏡、結腸内視鏡、食道と胃及び十二指腸鏡、食道と胃及び十二指腸鏡／結腸内視鏡、食道と胃及び十二指腸鏡／Ｓ字結腸鏡、膵胆管造影法、内視鏡的逆行、ＥＧＤ／内視鏡超音波、食道鏡、Ｓ字結腸鏡、回腸鏡、肝臓生検、下部内視鏡超音波、穿開術、腸内鏡、上部内視鏡超音波等を含むがこれらに限定されない検査タイプを付加、消去、変更できる。各リストされた検査の後に、略称、関連する部門、詳細アイコンが続く。現在の記録はそれがアプリケーションデフォルトではない限り、またはこれが他の場所で参照されるならば、消去されることができる。新しい検査タイプ記録をシステムに付加するために、新しい選択肢を選択するために検査タイプリストスクリーンがアクセスされ、これは図１３ｊに示されているような検査タイプスクリーン1380を表示し、Ｎａｍｅ（名称）フィールドにおける検査タイプの名称のような情報を含んでいる新しい検査タイプの管理者エントリを可能にし、Ｄｅｐａｒｔｍｅｎｔ（部門）ドロップダウンリストから部門を選択し、略称をＡｂｂｒｅｖｉａｔｉｏｎ（略称）フィールドの検査タイプを割当て、新しい報告セクションを付加するためにＲｅｐｏｒｔ  Ｓｅｃｔｉｏｎｓ（報告セクション）の隣のＮｅｗをクリックし、Ｓｅｃｔｉｏｎ（セクション）ドロップダウンリストから報告セクションを選択し、薬名、効力、単位、薬物の経路を含む新しい薬物を付加するためＤｅｆａｕｌｔ  Ｍｅｃｉｃａｔｉｏｎ（デフォルト薬物）の隣のＮｅｗをクリックする。前述したように、管理者はさらに検査タイプに報告セクションを付加するかそれを除去することができ、検査タイプ記録に対する随意選択的なデフォルト薬物を含む。
【０１７５】
前述したように、さらにシステムによって与えられる機能は報告セクションを規定する情報を編集し、アプリケーションのケア相内に含まれる報告セクションを維持する能力である。したがって、システム管理タブ1300（図１３ｊ）を介して、管理者は報告セクションメニュー選択肢1332にアクセスでき、報告セクションリストスクリーン（図示せず）が表示され、ユーザが報告セクションタイプを付加、消去、変更することを可能にする。図１０ｆに関してここで説明したように、報告セクションは特定の検査タイプの手順ノートを作成するために使用される。管理者が手順ノートテンプレートを作成するとき、彼／彼女はそこにいくつかまたは全ての報告セクションを含むように選択でき、さらにこれらの報告セクションをケア相に割当て、その後、記録データに対するタブとして用語辞書スクリーンでそれらを使用する。ユーザは報告セクションリストスクリーンから報告セクションを作成、変更、消去できる。システムデータベースに新しい報告セクション記録を付加するため、報告セクションリストスクリーンは新しい選択肢を選択するためにアクセスされ、これは図１３ｋに示されているような報告セクションスクリーン1382を表示し、Ｎａｍｅ（名称）フィールドにおける報告セクションの名称、報告セクションの表示順のような情報を含んでいる新しい報告セクションタイプの管理者エントリを可能にし、報告セクションをユーザに対して利用可能にするためにＡｃｔｉｖｅ（アクチブ）チェックボックスをクリックする。
【０１７６】
前述したように、さらにシステムにより提供される機能は４つのケア相、即ち登録、事前手順、手順中、事後手順を編集及び管理する能力である。これらの相はアプリケーションで登録、事前手順、手順中、事後手順として示されている。各ケア相に割当てられることのできる特別な報告セクションが利用可能である。これらの報告セクションは手順ノートの作成に使用される。図１３ｌに示されているように、ケア相機能はこれらの報告セクションをケア相に割当てるために使用される。これらの報告セクションは例えば図８ｅと図１０ｆに関してここで説明したように用語辞書スクリーンでタブ898として観察される。したがって例えば、登録タブの用語辞書スクリーンはＩｎｔｒｏｄｕｃｔｉｏｎ（序文）、Ｉｎｄｉｃａｔｉｏｎ（指示）、Ｃｏｄｅ（コード）報告セクションを含んでいる。ケア相スクリーンを介して、管理者は報告セクションを付加または除去することにより登録ケア相の用語辞書スクリーンを構成できる。
【０１７７】
システム管理タブ1300（図１３ｋ）を介して、管理者はケア相カスタマイズサブメニュー選択肢1333にアクセスでき、これはケア相リストスクリーン（図示せず）を表示させ、管理者が現在規定されているケア相を観察することを可能にする。このケア相リストスクリーンから管理者は１つのケア相記録の隣の詳細アイコンをクリックすることによって報告セクション記録を割当てることができる。図１３ｌに示されているようなケア相スクリーン1383は応答して表示され、ユーザがデフォルト報告セクションドロップダウンリストから報告セクションを選択することを可能にし、Ａｖａｉｌａｂｌｅ（有効）列1376からの報告セクションをクリックし、必要な報告セクションを割当てるか付加し、報告セクションをＡｓｓｉｇｎｅｄ（割当て）列1377に付加するために右矢印アイコンをクリックする。類似の方法で、管理者はケア相スクリーン1383を介して、報告セクションをケア相から除去するため割当て列1377から報告セクションをクリックし、ケア相から報告セクション1376を除去するために左矢印をクリックするすることにより報告セクション記録の割当てを解除する。
【０１７８】
前述したように、さらにシステムにより与えられる機能は報告書テンプレートと文書タイプを管理する能力である。文書タイプは異なるケア相の臨床員により必要とされる異なる文書のカテゴリ化である。これらの文書はアプリケーションの文書テンプレートの使用により作成される。システム中で予め規定されている文書タイプのリストは予約状、リコール状、事前解除指令、病状リクエスト、手順ノート、看護婦の報告書、解除指令、紹介状、料金請求報告書、病状ラベルを含んでいるがこれらに限定されない。
【０１７９】
したがって、システム管理タブ1300（図１３ｊ）を介して、管理者は文書タイプカスタム化サブメニュー選択肢1334を選択でき、これは文書タイプリストスクリーンを表示させ、ユーザが現在規定されている文書タイプを観察することを可能にする。この文書タイプリストスクリーンから、ユーザは文書タイプを作成／変更し、文書をケア相に割当て、文書タイプを検査タイプに割当てることができる。さらに臨床員メンバおよび／または仲介人は文書の受取人として付加されることができる。新しい文書タイプ記録をシステムデータベースに付加するために、文書タイプリストスクリーンが新しい選択肢を選択するためにアクセスされ、これは図１３ｍに示されているような文書タイプスクリーン1384を表示し、Ｄｏｃｕｍｅｎｔ  Ｔｙｐｅ  Ｎａｍｅ（文書タイプ名）フィールドにおける文書名、文書の分配時に印刷されることが所望されるコピーのデフォルト数のような情報を含んでいる新しい文書タイプの管理者の入力を可能にし、文書タイプに対するケア相の割当てを可能にする能力と、ケア相ドロップダウンリストからケア相を選択する能力と、別のケア相を付加する能力と、検査タイプを付加する能力と、検査タイプドロップダウンリストから検査タイプを選択する能力と、別の検査タイプを付加する能力と、全ての検査タイプを付加する能力と、（例えば人のドロップダウンリストからの紹介を受けた人、一次医師または看護婦）臨床員の受取人を付加する能力と、例えばカテゴリと人の選択により仲介の受取人を付加する能力等のシステム機能を可能にする。アクチブチェックボックスのクリックにより、新しい文書タイプがスタッフに利用可能である。
【０１８０】
前述したように、さらにシステムにより与えられる機能は報告書テンプレートを管理する能力である。例えば検査タイプに対する手順ノートテンプレートを作成するため、報告テンプレートスクリーンを介して報告テンプレート機能が与えられる。システム管理タブ1300（図１３ｊ）を介して、管理者はＲｅｐｏｒｔ  Ｔｅｍｐｌａｔｅ（報告書テンプレート）カスタム化サブメニュー選択肢1335を選択でき、これは手順ノートテンプレートスクリーン（図示せず）を表示させ、ユーザが検査タイプ、施設または医師を選択することにより手順ノートテンプレートを検索することを可能にし、それは入力された検索規準に基づいて手順ノートテンプレートのリストのディスプレイを発生する。新しい手順ノートテンプレートはＮｅｗ選択肢の選択によって手順ノートテンプレート選択スクリーンを介して発生され、これは図１３ｎに示されているような手順ノートテンプレートウィンドウ1386を表示させる。このテンプレートウィンドウ1386から、管理者はＮａｍｅ（名称）テキストフィールドに新しい手順ノートの名称を入力し、検査タイプドロップダウンリストから検査タイプを選択する等の機能を行い、Ｆａｃｉｌｉｔｙ  Ｏｗｎｅｒ（施設の所有者）またはＰｈｙｓｉｃｉａｎ  Ｏｗｎｅｒ（医師の所有者）の無線ボタンを選択して手順ノートテンプレートの所有者を選択し、先の選択にしたがって施設または医師を選択する。空欄の手順ノートテンプレートフレーム1385はさらに図１３ｎに示されているようなディスプレイを発生する。このインターフェースから管理者は図１３ｎに示されているような報告セクションタブ1391から報告セクションを選択でき、Ｉｎｓｅｒｔ（挿入）ボタンをクリックして、右側のパネル1392にテンプレートのセクションを挿入し、さらに右パネルで見られるテキストツールによってテキストを変更できる。これらのステップは新しい手順ノートテンプレートに多数のセクションを作るために反復されることができる。テンプレート記録はその後データベース中に保存される。既存のテンプレートの新しいバージョンがさらに作成されることが理解される。さらに、最初に表示されたテンプレート選択スクリーン（図示せず）から、ユーザは手順ノートテンプレートを変更または消去することができる。
【０１８１】
システムで与えられている文書テンプレート機能は手順ノート以外の文書に対する文書テンプレートを生成するために使用されてもよいことが理解される。これらの文書は病状ラベル、リコール状、紹介状を含んでいる。文書テンプレート検索スクリーン（図示せず）から、管理者は文書の検索、文書の作成、変更、消去を行うことができる。したがってシステム管理タブ1300（図１３ｊ）を介して、管理者は文書テンプレートカスタム化サブメニュー選択肢1336を選択し、文書テンプレート検索スクリーンを表示させ、管理者が文書タイプ、施設および／または医師などの検索規準を入力することを可能にし、それは入力された検索に基づいて文書タイプテンプレートのリストのディスプレイを発生する。
【０１８２】
新しい文書のテンプレートは文書テンプレート選択スクリーンを介して、Ｎｅｗ選択肢を選択することにより作成され、図１３ｏに示されているように文書テンプレートウィンドウ1387を表示させる。このテンプレートから、管理者はテキストフィールドにおける名前を含むがそれに限定されない情報を入力でき、検査タイプドロップダウンリストから検査のタイプを選択し、施設の所有者または医師の所有者無線ボタンを選択して文書のテンプレートの所有者を選択し、適切なドロップダウンリストから施設または医師を選択する等の機能を行う。空欄のテンプレートは付加的に生成される。
【０１８３】
管理者はさらに図１３ｐに示されているような１例の文書テンプレートスクリーン1389のような文書テンプレートスクリーンの報告セクションタブ1393から報告セクションを選択でき、Ｉｎｓｅｒｔ（挿入）ボタンをクリックして、右側のパネルにテンプレートのセクションを挿入し、さらに右パネル1394で見られるテキストツールによってテキストを変更できる。これらのステップは文書テンプレートに多数のセクションを作るために反復されることができる。テンプレート記録はその後データベースに保存されるか、既存のテンプレートの新しいバージョンを作成する。文書テンプレート検索スクリーン（図示せず）から、ユーザは文書テンプレートを変更または消去することができることが理解される。
【０１８４】
前述したように、システムで与えられるさらに別の機能はアプリケーションまたはアプリケーションの一部へのまたはその内部のユーザアクセスを制御する能力である。このセキュリティ機能には、Ｕｓｅｒ  Ｍａｉｎｔｅｎａｎｃｅ（ユーザメンテナンス）、即ちアプリケーションユーザアカウントの作成及び変更を可能にする能力と、Ｒｏｌｅ  Ｍａｉｎｔｅｎａｎｃｅ（役割メンテナンス）、即ちユーザの役割の作成及び変更を可能にする能力を含んでいる。したがって、システム管理タブ1300（図１４ａ）を介して、管理者はＳｅｃｕｒｉｔｙ（セキュリティ）メニュー選択肢1402にアクセスし、図１４ａに示されているようなユーザリストスクリーン1420の表示を開始するユーザセキュリティサブメニュー選択肢1404を選択し、管理者が例えば文字及びワイルドカード等の検索規準を入力する等により既存のユーザ記録のデータベースに問い合わせることを可能にする。規準が入力されないならば、事前にポピュレートされたユーザリストスクリーンがユーザＩＤによりアルファベット順に表示された記録と共に表示される。
【０１８５】
新しいユーザＩＤを付加するため、ユーザはＩＤがユーザに割当てられる前は、臨床員または仲介人として規定されていなければならない。新しいユーザ記録がユーザリストスクリーン1404を介して、Ｎｅｗ選択肢の選択によって発生され、これは図１４ｂに示されているようなユーザメンテナンススクリーン1430を表示される。このスクリーンから、管理者はユーザＩＤフィールドにユーザＩＤを入力し、パスワードフィールドにパスワードを入力し、ユーザタイプドロップダウンリストからユーザタイプを選択する。ユーザタイプは臨床員または仲介人である。検索アイコンはユーザのフルネームを挿入するように選択される。仲介人がユーザタイプドロップダウンリストから選択されるならば、仲介人リストウィンドウが表示され、同様に、臨床員がユーザタイプドロップダウンリストから選択されるならば、臨床員リストウィンドウが表示され、ここでユーザは検索及び選択されることができる。代わりにユーザ名がＵｓｅｒ  Ｎａｍｅ（ユーザ名）フィールドに入力される。新しいユーザ記録についての更なる情報はＦａｃｉｌｉｔｙ（施設）ドロップダウンリストからユーザの施設の選択と、ユーザを付勢するためのアクチブチェックボックスの選択と、ユーザに割当てられる役割の選択を含んでいる。ユーザリストスクリーン1420（図１４ａ）から、ユーザはユーザ記録を変更または消勢することができることが理解される。変更に関しては、ユーザを検索し、詳細アイコン1422を選択することによって、例えば読取専用フィールドを除く必要なフィールドスクリーンに対して変更を行うことができる。さらに、役割がユーザに割当てられ、さらに消去アイコン1432（図１４ｂ）を選択することにより、割当てられたユーザの役割は消去されることができる。
【０１８６】
前述したように、システムにより与えられるさらに別の機能は役割を管理する能力である。システムで作成された各ユーザは割当てられた役割をもたなければならない。その役割に基づいて、ユーザはシステムアプリケーションの特別な機能を使用できる。予め規定された役割には、管理者、全て、気管支看護婦、気管支医師、ＧＩ看護婦、ＧＩ医師、スケジューラ等が含まれるが、これらに限定されない。
【０１８７】
役割メンテナンス機能は管理者がアプリケーションの役割を作成、コピー、変更、消去することを可能にする。ユーザに割当てられておらず、アプリケーション規定の役割ではない任意の役割は全て消去される。各ユーザには１つの役割が割当てられ、それは特別なスクリーンまたは機能に関連されている。選択された役割はこれらの特別なスクリーンに対するユーザアクセスを与える。役割データは変更され保存され、役割メンバーはシステムにログされる。あらゆる役割はシステムホームタブ600（図６）へアクセスする。役割メンテナンス機能はドロップダウンリストとデフォルトタブページフィールドからタブ名を選択することにより新しいタブ記録を付加することに使用されることができる。これらのフィールドは強制的であり、この機能が選択されるならば、空欄にしておくことはできない。
【０１８８】
役割メンテナンスに関して、システム管理タブ1300（図１４ａ）を介して、管理者は役割セキュリティサブメニュー選択肢1406を選択でき、これは図１４ｃに示されているような役割リストスクリーン1440を表示させ、管理者が現在の役割を観察し、既存の役割を変更または消去し、新しい役割を付加することを可能にする。新しいユーザの役割は役割リストスクリーン1440を介して、Ｎｅｗ選択肢の選択により発生され、これは図１４ｄに示されているような役割メンテナンススクリーン1450を表示させる。このスクリーンから、管理者はＲｏｌｅ  Ｎａｍｅ（役割名）フィールドに名前を入力し、デフォルトタブページドロップダウンリストから役割のデフォルトタブページを選択する。役割に割り当てられていない任意のタブは適切なラインの消去（Ｄｅｌｅｔｅ）アイコンをクリックすることにより消去される。管理者はさらに役割を割当てるためにＡｖａｉｌａｂｌｅ（利用可能）テキストボックスからメニュー選択肢を選択し、選択されたメニュー選択肢をＡｓｓｉｇｎｅｄ（割当て）テキストボックスに付加する。
【０１８９】
役割メンテナンス機能がアクセスされるとき、役割のリストは図１４ｃに示されているように表示される。既存の記録は必要とされるときには変更されてもよい。既存の役割記録を変更するために、役割リストスクリーンがアクセスされ、変更される記録の隣の詳細アイコンが選択される。役割メンテナンススクリーンが表示され、管理者が変更を必要とするフィールドを突き止め、変更を入力するか、ドロップダウンリストからエントリを選択するかして修正し、新しいタブ記録を付加するか、必要なようにメニュー変更を選択することを可能にする。ユーザはさらに記録、全てのタブとメニュー選択肢を先の役割から新しい役割へコピーし、これは名前を役割に割当てることを必要とする。既存の役割記録はそれがユーザに関連されず、アプリケーション規定の役割ではない限り、役割リストスクリーンを介してデータベースから除去されることができる。
【０１９０】
前述したように、システムにより与えられるさらに別の機能はシステムアプリケーションを維持する能力である。ユーティリティはアプリケーションエラーとアプリケーションにより生成されるメッセージのログの観察と管理をするためのアプリケーションシステムログ機能と、アプリケーションアクティビィティのログを管理するＡｃｔｉｖｉｔｙ  Ｌｏｇ（アクティビィティログ）機能と、Ｍａｖｉｇｒａｐｈプリンタの印刷待ち行列を管理するＭａｖｉｇｒａｐｈ待ち行列機能と、廃棄された手順ノートのリストを観察するための廃棄されたノート機能と、アプリケーションのロックされた機能のロックを解除するロック解除機能とを維持する。
【０１９１】
したがって、システム管理タブ1300（図１４ｅ）を介して、管理者はユーティリティメニュー選択肢1502をアクセスし、図１４ｅに示されているような前述のシステムアプリケーション機能を提供する。したがってシステムログの管理に関して、システムログユーティリティのサブメニュー選択肢1504の選択によりユーザは日付、施設名、ユーザＩＤ、ノード名選択肢を使用してシステムログ記録を検索し、その後選択されたログを観察または消去することができる。Ｍａｖｉｇｒａｐｈ待ち行列機能の管理に関して、Ｍａｖｉｇｒａｐｈ印刷ユーティリティのサブメニュー選択肢1506の選択により、Ｍａｖｉｇｒａｐｈ印刷スクリーンの発生を可能にし、これはユーザが施設で利用可能なｍａｖｉｇｒａｐｈプリンタを管理し、特に全てのｍａｖｉｇｒａｐｈ印刷待ち行列を観察し、ｍａｖｉｇｒａｐｈ印刷待ち行列ジョブを消去できるように与えられる。アクティビィティログの管理に関して、アクティビィティログのユーティリティのサブメニュー選択肢1508の選択により、アクティビィティログスクリーンの発生を可能にし、これはユーザが情報を読取りアプリケーションに書き込むときに行われる記録をリストするために与えられる。これらのエントリは日付／時間スタンプ、ユーザＩＤ、メニュー名、ページ、アクセス（読取りまたは書き込み）と共に記憶され、観察または消去されることができる。これらのエントリはまたコンテキスト中に患者が存在するならば患者ＩＤを含んでいる。廃棄されたノート機能に関して、廃棄されたノートのユーティリティのサブメニュー選択肢1510の選択により、廃棄された手順ノートスクリーンの発生を可能にし、それによって廃棄された手順ノートを観察することを可能にするために与えられているが、スクリーンにリストされている手順ノートの消去または編集を防止する。
【０１９２】
ユーザがシステムからログアウトする代わりに、ブラウザウィンドウを閉じるとき、ユーザにより使用される最後の機能はロックされる。前述したように、システムはロックされた機能のロックを解除するためのロック解除機能を提供する。ロックには次の３つのタイプが存在する。即ち１）映像捕捉、生存兆候と薬物、看護婦の管理、使用される装置、用語辞書、映像管理装置をロックする検査関係のロックと、２）回復機能をロックする通院関係ロックと、３）ＩＣＵ同期、知識ベースのメンテナンス機能をロックする機能レベルロックとである。ロック解除機能に関して、Ｕｎｌｏｃｋ  Ｆｕｎｃｔｉｏｎｓ  Ｕｔｉｌｉｔｉｅｓ（ロック解除機能ユーティリティ）サブメニュー1512の選択はロック解除機能のリストを提供するロック解除機能スクリーンの発生を可能にし、そこからユーザはロックを解除するための機能を選択する。
【０１９３】
前述したように、システムにより与えられるさらに別の機能はシステム装置を維持する能力である。すなわち、目録機能が手順中に使用されるアイテムの追跡のために使用される。これらの機能には、内視鏡モデル、即ち異なるタイプの内視鏡のメンテナンスと、実際の内視鏡アイテムのメンテナンスと、異なるタイプの装置アイテム（即ち装置及びアクセサリ）のメンテナンスが含まれている。
【０１９４】
内視鏡モデルメンテナンス機能は管理者がアプリケーションにより使用される異なるタイプの内視鏡を観察及び管理することを可能にする。内視鏡モデルメンテナンススクリーンは利用可能な内視鏡モデルのリストを表示しており、これはカテゴリにより規定され、気管支鏡、ＥＧＤ、食道鏡、回腸鏡、ＥＲＣＰ、腸内鏡、Ｓ字結腸鏡、結腸内視鏡、ＥＵＳ（上部および下部）の検査タイプに対して使用される。
【０１９５】
したがって、システム管理タブ1300（図１４ｆ）を介して、管理者は図１４ｆに示されているようにＥｑｕｉｐｍｅｎｔ（装置）メニュー選択肢1602にアクセスでき、利用可能な装置選択肢を表示する。したがって、内視鏡モデルの管理に関して、Ｓｃｏｐｅ  Ｍｏｄｅｌ（内視鏡モデル）装置サブメニュー選択肢1604は図１４ｆに示されているように内視鏡モデルリストスクリーン1620を表示するように選択され、そこからユーザは内視鏡モデル記録を選択し、それを観察し、変更し、編集または消去する。新しい内視鏡モデル記録を付加するために、内視鏡モデルデータエントリスクリーンがＮｅｗボタンの選択に応答して表示され、関連する内視鏡データ（例えば名称、カテゴリ、チャンネルサイズ、特定の検査タイプにおける使用）のフィールドへのエントリと、記録としてのデータベースへの記憶とを可能にする。
【０１９６】
内視鏡アイテムメンテナンススクリーンがさらに表示され、これは管理者が個々の各内視鏡エントリを作成し、編集し、消去することを可能にする。アプリケーションは入力規準に基づいてユーザに有効な全ての内視鏡のリストを表示する。この機能は管理者が内視鏡モデル、名称、通し番号、施設を入力することによって内視鏡アイテムを検索することを可能にする。内視鏡アイテムリストをアクセスするために、管理者はＳｃｏｐｅ（内視鏡）装置サブメニュー選択肢1606を選択し、図１４ｇに示されているように、内視鏡リストスクリーン1625がアクセスされ、そこから管理者は全てのアクチブな内視鏡モデルのリストから、（入力規準に基づいて）使用する内視鏡モデルを選択するための選択肢が与えられる。モデルは名前のアルファベット順にリストされ、リストの記録は変更され、或いは消去されることができる。管理者はさらにＮｅｗボタンの選択によって新しい内視鏡記録を作成することができる。これによって図１４ｈで示されているように内視鏡アイテムスクリーン1630が表示され、これはＳｃｏｐｅ  Ｍｏｄｅｌ（内視鏡モデル）、内視鏡モデルのＳｅｒｉａｌ  Ｎｕｍｂｅｒ（通し番号）、Ｎａｍｅ（名称）フィールドにおける内視鏡名、Ｆａｃｉｌｉｔｙ（施設）、随意選択的にＰｕｒｃｈａｓｅ  Ｄａｔｅ（購入日）の空欄フィールドを含んでいる。
【０１９７】
この装置のメンテナンス機能はまた内視鏡の修理日、修理人、修理の説明、修理代を含むがそれらに限定されない詳細を提供する修理歴記録も含んでいる。管理者は州履歴の記録を付加、変更または消去する選択肢を有する。新しい修理歴記録を付加するため、ユーザは最初に内視鏡アイテムを検索するか、新しい内視鏡アイテム記録を作成し、図１４ｈに示されているようにＲｅｐａｉｒ  Ｈｉｓｔｏｒｙ（修理歴）セクションを表示するようにナビゲートする。Ｎｅｗボタンの選択によって、エントリフィールドはＤａｔｅ（日付）フィールドに修理の日付を入力し、Ｒｅｐａｉｒｅｄ  Ｂｙ（修理担当者）フィールドに内視鏡アイテムを修理した企業または人の名前を入力し、Ｄｅｓｃｒｉｐｔｉｏｎ（説明）フィールドに修理についての簡単な説明を入力し、Ｃｏｓｔ（代金）フィールドに修理代を入力する。既存の内視鏡アイテム記録はそれが内視鏡リストスクリーンを介して他のデータベース記録と関連されないならば、さらにデータベースから変更されるか消去されることができる。
【０１９８】
内視鏡メンテナンス機能の一部として、システムはアクセサリカテゴリ機能を提供し、これはユーザがアプリケーションにより使用される異なるタイプのアクセサリを観察及び管理することを可能にする。アプリケーションに与えられているデフォルトアクセサリカテゴリには吸引、電気外科メス、注射針、生検針、内視鏡粘膜切除（ＥＭＲ）、結紮装置、胆汁ステント、ＥＲＣＰカニューレ、砕石器、生検はさみ、食道ステント、肺生検装置、チップ固定装置、ＥＵＳプローブ、金属ステント、凝固電極、握りはさみ、微生物ブラシ、細胞ブラシ、誘導管、雑、拡張カテーテル、止血プローブ、鼻／胆汁排管、拡張バルーン、高温生検はさみ、ＰＥＧ／ＰＥＪ、ポリープ切除スネア、回収バルーン、回収バスケット、括約筋切開刀、スプレーカテーテル、縫合装置を含むがそれに限定されない。
【０１９９】
したがって、アクセサリの管理に関して、システム管理タブ1300（図１４ｆ）を介して、管理者はアクセサリカテゴリリストスクリーン（図示せず）を表示するためにＡｃｃｅｓｓｏｒｙ  Ｃａｔｅｇｏｒｙ（アクセサリカテゴリ）装置サブメニュー選択肢1608を選択し、そこからユーザは現在のアクセサリカテゴリ記録を選択及び変更し、新しいものを生成しまたは現在の記録を消去する。現在のアクセサリカテゴリ記録の消去後、アプリケーションはリスト機能に戻る。システムはさらに、モデル情報のエントリのための随意選択的な機能を提供する。ユーザはさらにそのモデルに関連するアクセサリ記録がない限り、新しいモデルの付加、またはモデルの消去をするための選択肢を有する。
【０２００】
更に別の機能にはアクセサリリストスクリーン（図示せず）を介してシステムにより使用されるアクセサリを観察し管理する能力を含んでおり、このスクリーンは図１４ｆで示されているようにＡｃｃｅｓｓｏｒｉｅｓ（アクセサリ）装置サブメニュー選択肢1610の選択によりアクセスされる。表示されたアクセサリリストスクリーン（図示せず）から、ユーザはアクセサリエントリを作成、変更または消去することができ、さらにこれが検査に関連しない限り現在のアクセサリ記録を消去する選択肢を有し、消去後、アプリケーションは検索機能を表示する。アクセサリリストスクリーンがアクセスされるとき、規定されたアクセサリエントリが表示され、例えば昇順で、モデル及び通し番号によって分類されることができる。モデルと通し番号の組合せは特有でなければならないことが理解される。アクセサリを付加するために、管理者はアクセサリリストスクリーンからＮｅｗボタンを選択し、これは図１４ｉで示されているようにアクセサリメンテナンスデータエントリスクリーン1650の表示を開始し、それを介して、管理者は入力される新しいアクセサリアイテムに関する全ての関連情報を入力し、これはカテゴリドロップダウンリストからのアクセサリアイテムのカテゴリ、施設ドロップダウンリストからのアイテムの施設、アイテム名フィールドにおけるアイテム名、その他の随意選択的な情報を含んでいる。アクチブチェックボックスはアイテムを臨床員に対して利用可能にするために選択されることができる。
【０２０１】
装置のメンテナンス機能の一部として、システムはさらに装置カテゴリ機能を提供し、これはユーザがアプリケーションにより使用される異なるタイプの装置を観察及び管理することを可能にする。システム中の予め規定されている装置カテゴリ（名称及び設定タイプ）のリストは寒冷療法発生器、曲線装置、電気カテーテル装置、電気劇発生器、蛍光映像装置、蛍光透視鏡、熱プローブ発生器、レーザ装置を含んでいるが、それらに限定されない。
【０２０２】
したがって、システム管理タブ1300（図１４ｆ）を介して、管理者は装置カテゴリ装置サブメニュー選択肢1612を選択して、装置カテゴリリストスクリーン（図示せず）を選択し、装置カテゴリリストスクリーン（図示せず）を表示し、そこからユーザは新しい装置カテゴリ記録を編集し、付加し、または作成できる。随意選択的な機能はユーザがモデル情報を入力することを可能にする。この随意選択的な機能が使用されるならば、必要なときに示されるフィールドは強制的（例えばモデル名）であり、空欄にされない。チェックボックスはさらにモデルが再使用可能であるか否かを示すために与えられることができる。ユーザはさらに、臨床員またはそのモデルに関連する装置記録が存在しない限り、新しいモデルを付加するかモデルを消去する選択肢を有することができる。装置のカテゴリを付加するために、管理者は装置カテゴリリストスクリーンからＮｅｗボタンを選択し、図１４ｊに示されているような装置カテゴリデータエントリスクリーン1660を開始し、それを介して管理者は次のような入力される新しい装置に関する全ての関連情報を入力でき、即ち装置名、装置カテゴリを１以上の検査タイプと関連付けるための検査タイプと、その他の随意選択的な情報である。アクチブチェックボックスは装置アイテムを臨床員に対して利用可能にするために選択されることができる。
【０２０３】
さらに別の機能は装置リストスクリーン（図示せず）を介してアプリケーションにより使用される装置を観察及び管理する能力を含んでいる。したがって、システム管理タブ1300（図１４ｆ）を介して、管理者は装置サブメニュー選択肢1614を選択し、これは装置リストスクリーン（図示せず）を表示し、そこからユーザは装置のエントリを作成、変更、または消去する。ユーザはさらに現在の記録が検査に関連しない限り、現在の記録を消去する選択肢を有する。装置リストスクリーンがアクセスされるとき、規定された装置エントリが表示され、モデルおよび昇順の通し番号により分類されることができる。新しい装置のメンテナンス記録を付加するため、ユーザは装置のリストスクリーンにアクセスでき、新しいボタン選択肢の選択に応答して、システムは装置メンテナンススクリーン（図示せず）を発生し、そこからユーザはＣａｔｅｇｏｒｙ（カテゴリ）ドロップダウンリストからカテゴリを選択し、Ｆａｃｉｌｉｔｙ（施設）ドロップダウンリストから設備を選択し、Ｓｅｒｉａｌ  Ｎｕｍｂｅｒ（通し番号）フィールドに装置の通し番号を入力し、その他の随意選択的な情報を入力する。
【０２０４】
［コンテキスト情報］  
ユーザはアプリケーション内でナビゲートするとき、あるコンテキスト情報（ＣＩ）が追跡されることが理解される。この情報は多くのシステムアプリケーション機能への入力として使用される。ＣＩは部門、ユーザ、施設、患者、通院、検査からなる。
【０２０５】
したがって、例えば“部門”情報はユーザがアプリケーションにログインするときに設定され、ユーザがアプリケーションからログアウトするまで変更されない。“ユーザ”情報はさらにユーザがアプリケーションにログインするときに設定されるが、アプリケーションからログアウトすることにより変更されることができる。“施設”情報はユーザがユーザのデフォルト施設に基づいてアプリケーションにログインするときに設定される。現在の施設はユーザが通院（または通院内の検査）を選択すると通院が行われる施設を示すように更新される。
【０２０６】
“患者”情報はユーザが患者ファイル機能を使用して患者を、スケジュールされた検査から通院を、または患者の要約を、或いはスケジュールされた検査から検査を、保留中のアイテムを、または新しい通院／通院の変更を選択するときに設定され、ユーザが最初にアプリケーションにログインするときＣＩ中には患者が存在しない。現在ＣＩ中に患者が存在せず、新しい患者が選択されるならば、通院および検査情報はＣＩからクリアされる。現在ＣＩに存在する患者を使用するシステム機能は患者の要約、患者の人口統計、患者の保険適用範囲、医療的警報、胃腸病学および気管支鏡、ＧＩ経歴、肺歴、薬物歴、社会歴、家族歴胃腸病学および気管支鏡、計画されていない事象の要約、関連する検査およびラボラトリの要約、他の患者情報を含んでいるが、それらに限定されない。ＣＩ中の患者を必要とする先の機能の１つがアクセスされ、ＣＩに患者が存在しないならば、アプリケーションは選択されている患者がいないことを示す。ユーザはその後、患者を選択するために患者検索機能に再度誘導される。
【０２０７】
“通院”情報はユーザが患者の通院（スケジュールされた検査および患者の要約）を選択するときに設定されるか、新しい通院／通院の変更からの通院を保存する。通院が選択されるならば、患者及び通院自体がＣＩ中に置かれる。現在、選択された通院が存在するならば、検査情報はＣＩからクリアされる。現在ＣＩにある通院を使用するシステム機能は、スケジュールされた通院、スケジューラの医療的警報質問、患者の準備指令、胃腸病学、患者の準備指令、気管支鏡、予約状、スケジュールの要約、患者の評価、患者のプロセス、身体検査、胃腸病学および気管支鏡、関連されるラボラトリ、胃腸病学および気管支鏡、関連される検査、予備状態、胃腸病学および気管支鏡、生存兆候と薬物、同意チェックリスト、身体チェック、事前手順の要約、回復、患者の調査を含んでいるが、それらに限定されない。ＣＩ中に通院を必要とする前述の機能の１つがアクセスされ、ＣＩ中には通院が存在しないならば、アプリケーションは自動的に選択された通院がなく、ユーザが通院を選択するためにスケジュールされた検査に再誘導されることを示す。
【０２０８】
［ゲートウェイインターフェース］  
前述したように、図１のａの観点から、Ｅｎｄｏｗｏｒｋｓ（登録商標）システムは病院システムへのインターフェース、およびヘルスレベル７（ＨＬ７）、薬物におけるデジタル映像及び通信（ＤＩＣＯＭ）、拡張可能なマークアップ言語（ＸＭＬ）ゲートウェイインターフェースのような総称的な専用のゲートウェイインターフェースを介する他の外部システムに適用可能である。したがって、本発明のシステムは拡張可能な統合能力によって、病院、実行医師、委任医師、患者間の手順情報の流れをサポートし、拡張可能な統合能力には、ＨＬ７とＤＩＣＯＭとＸＭＬとが含まれ、ＨＬ７は患者の入院、登録、解除または転送（ＡＤＴ）データ、問合せ、リソース、患者のスケジュール、注文、結果、臨床的な観察、料金請求情報、医療記録、紹介人、患者のケアを送信または受信する種々のシステム間のインターフェースを現在アドレスしている標準であり、ＤＩＣＯＭは映像のフォーマット化及び交換、報告の手段と患者情報を説明する詳細な仕様を提供し、ＸＭＬは産業標準のＸＭＬフォーマット化を使用してデータがＥｎｄｏＷｏｒｋｓ（登録商標）システムと他の病院システムとの間で分配されるときに使用されることができる。
【０２０９】
ＥｎｄｏＷｏｒｋｓ（登録商標）システムにより提供されるさらに別の利点は、臨床的研究および調査のサポートを含んでおり、それによって“研究”は時間機関にわたって特別な患者および検査に関するデータを捕捉するようにカスタマイズされることができる。したがって、アプリケーションはユーザが規定可能な臨床的調査研究をサポートし、結果的なデータをコンパイル及び出版する手段を提供する。施設間および施設中の研究が付加的に可能である。アプリケーションは患者選択規準、データ集収形態、研究機関、研究に含まれる患者数のカスタマイズを許容する。
【０２１０】
本発明の好ましいと考えられる実施形態について示し説明したが、勿論、形態または詳細における種々の変形および変更が本発明の技術的範囲を逸脱せずに容易に行われることができることが理解されよう。それ故、本発明は説明し例示した形態そのものに限定されることを意図しておらず、特許請求の範囲の技術的範囲内に含まれる全ての変形をカバーすると解釈されるべきである。
【図面の簡単な説明】
【０２１１】
【図１】本発明による内視鏡検査システムの概略図と、本発明の包括的な臨床情報管理システムが使用されている実時間の内視鏡映像を獲得し、処理し、表示するための内視鏡ラボを示すブロック図。
【図２】本発明によるシステムアプリケーションによって可能にされた機能を示すハイレベルな登録及びスケジュール化のビジネスワークフローを示す図。
【図３】本発明によるシステムアプリケーションによって可能にされた機能を示すハイレベルな事前手順の臨床フローを示す図。
【図４】本発明によるシステムアプリケーションによって可能にされた機能を示すハイレベルな手順の臨床フローを示す図。
【図５】本発明によるシステムアプリケーションによって可能にされた機能を示すハイレベルな事後手順の臨床フローを示す図。
【図６】本発明によるホームタブユーザインターフェースを示す図。
【図７ａ】本発明による患者ファイルタブユーザインターフェースを示す図。
【図７ｂ】全ての患者の人口統計的情報を記録する機能を可能にする患者の人口統計インターフェーススクリーンを示す図。
【図７ｃ】患者の医療状態を記録するための患者との関連性の医療警報インターフェーススクリーンを示す図。
【図７ｄ】患者の保険、連絡、スケジュールされた通院情報を観察するための患者の要約インターフェーススクリーンを示す図。
【図８ａ】本発明によるユーザインターフェースの登録タブを示す図。
【図８ｂ】本発明による新しい通院インターフェーススクリーンを示す図。
【図８ｃ】本発明による通院変更インターフェーススクリーンを示す図。
【図８ｄ】本発明による検査詳細インターフェーススクリーンを示す図。
【図８ｅ】本発明による用語辞書インターフェーススクリーンを示す図。
【図８ｆ】本発明による文書分配インターフェーススクリーンを示す図。
【図９ａ】本発明によるユーザインターフェースの事前手順タブを示す図。
【図９ｂ】本発明による患者プロセスインターフェーススクリーンを示す図。
【図９ｃ】本発明による同意チェックリストインターフェーススクリーンを示す図。
【図９ｄ】本発明による患者評価インターフェーススクリーンを示す図。
【図９ｅ】本発明による生存兆候および薬物インターフェーススクリーンを示す図。
【図９ｆ】本発明による身体検査のような事前手順チェックを行うための医師の身体検査スクリーンを示す図。
【図９ｇ】本発明による事前手順要約情報スクリーンディスプレイを示す図。
【図１０ａ】本発明による手順中タブのユーザインターフェースを示す図。
【図１０ｂ】本発明による事前手順要約インターフェーススクリーンを示す図。
【図１０ｃ】本発明による装置が使用するインターフェーススクリーンを示す図。
【図１０ｄ】本発明による内視鏡映像捕捉インターフェーススクリーンを示す図。
【図１０ｅ】本発明による病状リクエストインターフェーススクリーンを示す図。
【図１０ｆ】本発明による手順ライフサイクル段の用語辞書インターフェーススクリーンを示す図。
【図１０ｇ】本発明によるＭａｖｉｇｒａｐｈ上の印刷インターフェーススクリーンを示す図。
【図１０ｈ】本発明による手順ライフサイクル段階の文書分配インターフェーススクリーンを示す図。
【図１０ｉ】本発明による看護婦管理インターフェーススクリーンを示す図。
【図１１ａ】本発明によるユーザインターフェーススクリーンの事後手順タブを示す図。
【図１１ｂ】本発明によるＩＣＵ同期インターフェーススクリーンを示す図。
【図１１ｃ】本発明による映像管理インターフェーススクリーンを示す図。
【図１１ｄ】本発明による映像比較を可能にするため映像管理インターフェーススクリーンを介して表示される他の検査特性を示す図。
【図１１ｅ】本発明による外科変更ウィンドウを示す図。
【図１１ｆ】本発明による回復インターフェーススクリーンを示す図。
【図１１ｇ】本発明によるリコール患者インターフェーススクリーンを示す図。
【図１１ｈ】本発明による事後手順ライフサイクル段階の文書分配インターフェーススクリーンを示す図。
【図１２】本発明による解析タブユーザインターフェースを示す図。
【図１３ａ】本発明によるシステム管理タブユーザインターフェーススクリーンを示す図。
【図１３ｂ】本発明による臨床員ユーザインターフェーススクリーンを示す図。
【図１３ｃ】本発明による臨床員ユーザインターフェーススクリーンを示す図。
【図１３ｄ】本発明によるシステム設定ユーザインターフェーススクリーンを示す図。
【図１３ｅ】本発明によるアプリケーションフローユーザインターフェーススクリーンを示す図。
【図１３ｆ】本発明による施設ユーザインターフェーススクリーンを示す図。
【図１３ｇ】本発明によるノード設定ユーザインターフェーススクリーンを示す図。
【図１３ｈ】本発明によるビデオ設定ユーザインターフェーススクリーンを示す図。
【図１３ｉ】本発明による自動マスク設定ユーザインターフェーススクリーンを示す図。
【図１３ｊ】本発明による検査タイプのカスタム化アプリケーションフローユーザインターフェーススクリーンを示す図。
【図１３ｋ】本発明による報告書セクションカスタム化ユーザインターフェーススクリーンを示す図。
【図１３ｌ】本発明によるケア相ユーザインターフェーススクリーンを示す図。
【図１３ｍ】本発明による文書タイプユーザインターフェーススクリーンを示す図。
【図１３ｎ】本発明による新しい手順ノートを作成するために使用される手順ノートテンプレートウィンドウおよびインターフェースを示す図。
【図１３ｏ】本発明による新しい文書タイプを作成するために使用される文書テンプレートウィンドウを示す図。
【図１３ｐ】本発明による以前に作成された文書テンプレートから新しい文書テンプレートを作成するための例示的な文書テンプレートウィンドウを示す図。
【図１４ａ】本発明によるユーザリストスクリーンを表示するシステム管理タブユーザインターフェースを示す図。
【図１４ｂ】本発明によるユーザメンテナンスユーザインターフェーススクリーンを示す図。
【図１４ｃ】本発明による役割リストユーザインターフェーススクリーンを示す図。
【図１４ｄ】本発明による役割メンテナンスユーザインターフェーススクリーンを示す図。
【図１４ｅ】本発明によるシステムログユーティリティユーザインターフェーススクリーンを示す図。
【図１４ｆ】本発明による内視鏡モデルリストユーザインターフェーススクリーンを示す図。
【図１４ｇ】本発明による内視鏡リストユーザインターフェーススクリーンを示す図。
【図１４ｈ】本発明による内視鏡アイテムユーザインターフェーススクリーンを示す図。
【図１４ｉ】本発明によるアクセサリメンテナンスユーザインターフェーススクリーンを示す図。
【図１４ｊ】本発明による装置カテゴリユーザインターフェーススクリーンを示す図。
【図１Ａ】
2007505419.tif 000003
【図１Ｂ】
2007505419.tif 000004
【図２】
2007505419.tif 000005
【図３】
2007505419.tif 000006
【図４】
2007505419.tif 000007
【図５】
2007505419.tif 000008
【図６】
2007505419.tif 000009
【図７Ａ】
2007505419.tif 000010
【図７Ｂ】
2007505419.tif 000011
【図７Ｃ】
2007505419.tif 000012
【図７Ｄ】
2007505419.tif 000013
【図８Ａ】
2007505419.tif 000014
【図８Ｂ】
2007505419.tif 000015
【図８Ｃ】
2007505419.tif 000016
【図８Ｄ】
2007505419.tif 000017
【図８Ｅ】
2007505419.tif 000018
【図８Ｆ】
2007505419.tif 000019
【図９Ａ】
2007505419.tif 000020
【図９Ｂ】
2007505419.tif 000021
【図９Ｃ】
2007505419.tif 000022
【図９Ｄ】
2007505419.tif 000023
【図９Ｅ】
2007505419.tif 000024
【図９Ｆ】
2007505419.tif 000025
【図９Ｇ】
2007505419.tif 000026
【図１０Ａ】
2007505419.tif 000027
【図１０Ｂ】
2007505419.tif 000028
【図１０Ｃ】
2007505419.tif 000029
【図１０Ｄ】
2007505419.tif 000030
【図１０Ｅ】
2007505419.tif 000031
【図１０Ｆ】
2007505419.tif 000032
【図１０Ｇ】
2007505419.tif 000033
【図１０Ｈ】
2007505419.tif 000034
【図１０Ｉ】
2007505419.tif 000035
【図１１Ａ】
2007505419.tif 000036
【図１１Ｂ】
2007505419.tif 000037
【図１１Ｃ−１】
2007505419.tif 000038
【図１１Ｃ−２】
2007505419.tif 000039
【図１１Ｄ】
2007505419.tif 000040
【図１１Ｅ】
2007505419.tif 000041
【図１１Ｆ】
2007505419.tif 000042
【図１１Ｇ】
2007505419.tif 000043
【図１２】
2007505419.tif 000044
【図１３Ａ】
2007505419.tif 000045
【図１３Ｂ−１】
2007505419.tif 000046
【図１３Ｂ−２】
2007505419.tif 000047
【図１３Ｃ】
2007505419.tif 000048
【図１３Ｄ】
2007505419.tif 000049
【図１３Ｅ】
2007505419.tif 000050
【図１３Ｆ】
2007505419.tif 000051
【図１３Ｇ】
2007505419.tif 000052
【図１３Ｈ】
2007505419.tif 000053
【図１３Ｉ】
2007505419.tif 000054
【図１３Ｊ】
2007505419.tif 000055
【図１３Ｋ】
2007505419.tif 000056
【図１３Ｌ】
2007505419.tif 000057
【図１３Ｍ】
2007505419.tif 000058
【図１３Ｎ】
2007505419.tif 000059
【図１３Ｏ】
2007505419.tif 000060
【図１４Ａ】
2007505419.tif 000061
【図１４Ｂ】
2007505419.tif 000062
【図１４Ｃ】
2007505419.tif 000063
【図１４Ｄ】
2007505419.tif 000064
【図１４Ｅ】
2007505419.tif 000065
【図１４Ｆ】
2007505419.tif 000066
【図１４Ｇ】
2007505419.tif 000067
【図１４Ｈ】
2007505419.tif 000068
【図１４Ｉ】
2007505419.tif 000069
【図１４Ｊ】
2007505419.tif 000070
【国際調査報告】
2007505419.tif 000071
2007505419.tif 000072